(57)【特許請求の範囲】
【請求項１】
複数の移動機と、移動機に対するクライアントからの測位要求を受け付けるひとつもしくは複数の測位ゲートウェイ装置と、その他必要な複数の通信装置から構成される移動通信ネットワークにおける測位システムにおいて、各移動機の過去の測位結果を移動通信ネットワーク内部の装置に蓄積し、クライアントからの測位要求に対して、過去の測位結果が利用可能な場合には過去の測位結果を応答し、過去の測位結果が利用不可能な場合には現在の位置を測定して応答することを特徴とする移動通信ネットワークにおける測位システム。
【請求項２】
請求項１に記載の移動通信ネットワークにおける測位システムにおいて、要求する測位結果の鮮度情報を付加してクライアントが測位要求を送信し、過去の測位結果が要求される鮮度情報を満たすことができない場合には現在の位置を測定することを特徴とする移動通信ネットワークにおける測位システム。
【請求項３】
請求項１または２に記載の移動通信ネットワークにおける測位システムにおいて、該移動機を使用するユーザーのプライバシ設定を移動通信ネットワーク内部の装置に保持し、過去の測位結果を外部に通知する前に該移動機を使用するユーザーのプライバシ設定を確認することを特徴とする、移動通信ネットワークにおける測位システム。
【請求項４】
請求項３に記載の移動通信ネットワークにおける測位システムにおいて、該移動機を使用するユーザーのプライバシ設定を測位ゲートウェイ装置が保持することを特徴とする、移動通信ネットワークにおける測位システム。
【請求項５】
請求項４に記載の移動通信ネットワークにおける測位システムにおいて、過去の測位結果を測位ゲートウェイ装置が保持することを特徴とする、移動通信ネットワークにおける測位システム。
【請求項６】
請求項５に記載の移動通信ネットワークにおける測位システムにおいて、プライバシ設定を確認した結果、該移動機に対して通知もしくは確認処理を行なう必要がある場合に、測位ゲートウェイ装置がプライバシチェック要求メッセージをネットワーク内の装置に送信し、前記装置が該移動機に対して通知もしくは確認処理を行なうことを特徴とする、移動通信ネットワークにおける測位システム。
【請求項７】
請求項６に記載の移動通信ネットワークにおける測位システムにおいて、測位ゲートウェイ装置が前記装置に送信する測位要求メッセージに専用のパラメータを追加することでプライバシチェック要求メッセージを実現することを特徴とする、移動通信ネットワークにおける測位システム。
【請求項８】
請求項４に記載の移動通信ネットワークにおける測位システムにおいて、過去の測位結果を測位ゲートウェイ装置以外のネットワーク内の装置が保持することを特徴とする、移動通信ネットワークにおける測位システム。
【請求項９】
請求項５に記載の移動通信ネットワークにおける測位システムにおいて、測位ゲートウェイ装置がプライバシ設定を確認した後、測位要求メッセージを前記ネットワーク内の装置に送信し、前記ネットワーク内の装置が過去の測位結果を応答することを特徴とする、移動通信ネットワークにおける測位システム。
【請求項１０】
請求項９に記載の移動通信ネットワークにおける測位システムにおいて、測位ゲートウェイ装置が送信する測位要求メッセージに、測位結果の鮮度情報を付加して送信することを特徴とする、移動通信ネットワークにおける測位システム。
【請求項１１】
複数の移動機と、移動機に対するクライアントからの測位要求を受け付けるひとつもしくは複数の測位ゲートウェイ装置と、その他必要な複数の通信装置から構成される移動通信ネットワークにおける測位システムにおいて、各移動機の過去の測位結果を移動通信ネットワーク内部の装置に蓄積し、移動機からの測位要求に対して、過去の測位結果が利用可能な場合には過去の測位結果を該移動機に対して応答し、過去の測位結果が利用不可能な場合には現在の位置を測定して該移動機に対して応答することを特徴とする移動通信ネットワークにおける測位システム。
【請求項１２】
請求項１１に記載の移動通信ネットワークにおける測位システムにおいて、要求する測位結果の鮮度情報を付加して該移動機が測位要求を送信し、過去の測位結果が要求される鮮度情報を満たすことができない場合には現在の位置を測定して該移動機に対して応答することを特徴とする移動通信ネットワークにおける測位システム。
【請求項１３】
(1)クライアントが、測位ゲートウェイに対し移動機の測位を要求し、
(2)前記測位ゲートウェイは、前記測位要求された移動機のプライバシ設定情報を参照し、この測位要求を確認し、
(3)この確認の結果、測位要求が禁止されておらず、測位要求種別が過去の位置でも構わないとき、前記測位ゲートウェイは前記測位要求された移動機の測位結果を保持しているか確認し、測位結果を保持している場合には、この測位結果が再利用できるかを確認し、
(4)再利用可能であり、前記測位要求された移動機への通知が必要である場合、測位ゲートウェイは、前記移動機管理装置に対し、前記測位要求された移動機が接続する地域無線網を管理する地域無線網管理装置について問い合わせ、
(5)前記移動機管理装置は、前記測位要求された移動機が接続する地域無線網を管理する地域無線網管理装置について返信し、
(6)前記測位ゲートウェイは、前記測位要求された移動機が接続する地域無線網を管理する地域無線網管理装置に対し、プライバシに関するメッセージを送り、
(7)前記地域無線網管理装置は、前記測位要求された移動機に対して通知もしくは確認処理を行い、
(8)前記地域無線網管理装置は、プライバシの確認結果を前記測位ゲートウェイに送信し、
(9)前記測位ゲートウェイは、追加のプライバシチェックを行い、
(10)前記測位ゲートウェイは、測位結果を前記クライアントに送る測位方法。
【請求項１４】
(1)クライアントが、測位ゲートウェイに対し移動機の測位を要求し、
(2)前記測位ゲートウェイは、前記測位要求された移動機のプライバシ設定情報を管理しているプライバシ情報管理装置に対し、測位処理許可要求を送信し、
(3)この測位処理要求を受け取ったプライバシ情報管理装置は、測位対象の移動機のプライバシ設定情報に基づいてプライバシチェックを行い、
(4)この確認の結果、測位要求が禁止されておらず、測位要求種別が過去の位置でも構わないとき、前記プライバシ情報管理装置は前記測位要求された移動機の測位結果を保持しているか確認し、測位結果を保持している場合には、この測位結果が再利用できるかを確認し、
(5)再利用可能であり、前記測位要求された移動機への通知が必要である場合、測位ゲートウェイは、前記移動機管理装置に対し、前記測位要求された移動機が接続する地域無線網を管理する地域無線網管理装置について問い合わせ、
(6)前記移動機管理装置は、前記測位要求された移動機が接続する地域無線網を管理する地域無線網管理装置について返信し、
(7)前記測位ゲートウェイは、前記測位要求された移動機が接続する地域無線網を管理する地域無線網管理装置に対し、プライバシに関するメッセージを送り、
(8)前記地域無線網管理装置は、前記測位要求された移動機に対して通知もしくは確認処理を行い、
(9)前記地域無線網管理装置は、プライバシの確認結果を前記測位ゲートウェイに送信し、
(10)前記プライバシの確認結果が、前記測位対象の移動機の位置情報を前記クライアントに渡してもよいという結果である場合は、前記測位ゲートウェイは、前記測位要求された移動機のプライバシ設定情報を管理しているプライバシ情報管理装置に対し、測位処理許可要求を送信し、
(11)この測位処理要求を受け取ったプライバシ情報管理装置は、測位対象の移動機のプライバシ設定情報に基づいて追加のプライバシチェックを行い、
(12)前記測位対象の移動機の位置情報を前記クライアントに渡してもよいという結果である場合は、このプライバシチェック結果を前記測位ゲートウェイに送信し
(13)前記測位ゲートウェイは、測位結果を前記クライアントに送る測位方法。
【請求項１５】
(1)クライアントが、測位ゲートウェイに対し移動機の測位を要求し、
(2)前記測位ゲートウェイは、前記測位要求された移動機のプライバシ設定情報を管理しているプライバシ情報管理装置に対し、測位処理許可要求を送信し、
(3)この測位処理要求を受け取ったプライバシ情報管理装置は、測位対象の移動機のプライバシ設定情報に基づいてプライバシチェックを行い、
(4)このチェックの結果、前記クライアントからの測位要求を受け付けると判断したきは、前記測位ゲートウェイに応答し、
(5)この応答を受けた前記測位ゲートウェイは、測位要求が禁止されておらず、測位要求種別が過去の位置でも構わないとき、前記測位ゲートウェイは前記測位要求された移動機の測位結果を保持しているか確認し、測位結果を保持している場合には、この測位結果が再利用できるかを確認し、
(6)再利用可能であり、前記測位要求された移動機への通知が必要である場合、測位ゲートウェイは、前記移動機管理装置に対し、前記測位要求された移動機が接続する地域無線網を管理する地域無線網管理装置について問い合わせ、
(7)前記移動機管理装置は、前記測位要求された移動機が接続する地域無線網を管理する地域無線網管理装置について返信し、
(8)前記測位ゲートウェイは、前記測位要求された移動機が接続する地域無線網を管理する地域無線網管理装置に対し、プライバシに関するメッセージを送り、
(9)前記地域無線網管理装置は、前記測位要求された移動機に対して通知もしくは確認処理を行い、
(10)前記地域無線網管理装置は、プライバシの確認結果を前記測位ゲートウェイに送信し、
(11)前記プライバシの確認結果が、前記測位対象の移動機の位置情報を前記クライアントに渡してもよいという結果である場合は、前記測位ゲートウェイは、前記測位要求された移動機のプライバシ設定情報を管理しているプライバシ情報管理装置に対し、測位処理許可要求を送信し、
(12)この測位処理要求を受け取ったプライバシ情報管理装置は、測位対象の移動機のプライバシ設定情報に基づいて追加のプライバシチェックを行い、
(13)このチェックの結果、前記クライアントからの測位要求を受け付けると判断したきは、前記測位ゲートウェイに応答し、
(14)前記測位ゲートウェイは、測位結果を前記クライアントに送る測位方法。
【請求項１６】
(1)クライアントが、測位ゲートウェイ１に対し移動機の測位を要求し、
(2)前記測位ゲートウェイは、前記測位要求された移動機の情報を管理している移動機管理装置に対し、前記測位要求された移動機のプライバシ設定情報を保持している測位ゲートウェイ２について問い合わせ、
(3)前記移動機管理装置は、前記測位要求された移動機の情報を保持している測位ゲートウェイ２の情報を前記測位ゲートウェイ１に送り、
(4)前記測位ゲートウェイ１は、前記クライアントからの測位要求を前記測位ゲートウェイ２に送り、
(5)前記測位ゲートウェイ２は、前記測位要求された移動機のプライバシ設定情報を参照し、この測位要求を確認し、
(6)この確認の結果、測位要求が禁止されておらず、測位要求種別が過去の位置でも構わないとき、前記測位ゲートウェイ２は前記測位要求された移動機の測位結果を保持しているか確認し、測位結果を保持している場合には、この測位結果が再利用できるかを確認し、
(7)再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
(8)前記移動機管理装置は、前記測位要求された移動機が接続する地域無線網を管理する地域無線網管理装置について返信し、
(9)前記測位ゲートウェイ２は、前記測位要求された移動機が接続する地域無線網を管理する地域無線網管理装置に対し、プライバシに関するメッセージを送り、
(10)前記地域無線網管理装置は、前記測位要求された移動機に対して通知もしくは確認処理を行い、
(11)前記地域無線網管理装置は、プライバシの確認結果を前記測位ゲートウェイ２に送信し、
(12)前記測位ゲートウェイ２は、追加のプライバシチェックを行い、
(13)前記測位ゲートウェイ２は、測位結果を前記測位ゲートウェイ１に送り、
(14)前記測位ゲートウェイ１は、測位結果を前記クライアントに送る測位方法。
【請求項１７】
(1)クライアントが、測位ゲートウェイ１に対し移動機の測位を要求し、
(2)前記測位ゲートウェイは、前記測位要求された移動機の情報を管理している移動機管理装置に対し、前記測位要求された移動機のプライバシ設定情報を保持している測位ゲートウェイ２について問い合わせ、
(3)前記移動機管理装置は、前記測位要求された移動機の情報を保持している測位ゲートウェイ２の情報を前記測位ゲートウェイ１に送り、
(4)前記測位ゲートウェイ１は、前記クライアントからの測位要求を前記測位ゲートウェイ２に送り、
(5)前記測位ゲートウェイ２は、前記測位要求された移動機のプライバシ設定情報を管理しているプライバシ情報管理装置に対し、測位処理許可要求を送信し、
(6)この測位処理要求を受け取ったプライバシ情報管理装置は、測位対象の移動機のプライバシ設定情報に基づいてプライバシチェックを行い、
(7)この確認の結果、測位要求が禁止されておらず、測位要求種別が過去の位置でも構わないとき、前記プライバシ情報管理装置は前記測位要求された移動機の測位結果を保持しているか確認し、測位結果を保持している場合には、この測位結果が再利用できるかを確認し、
(8)再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
(9)前記移動機管理装置は、前記測位要求された移動機が接続する地域無線網を管理する地域無線網管理装置について返信し、
(10)前記測位ゲートウェイ２は、前記測位要求された移動機が接続する地域無線網を管理する地域無線網管理装置に対し、プライバシに関するメッセージを送り、
(11)前記地域無線網管理装置は、前記測位要求された移動機に対して通知もしくは確認処理を行い、
(12)前記地域無線網管理装置は、プライバシの確認結果を前記測位ゲートウェイ２に送信し、
(13)前記プライバシの確認結果が、前記測位対象の移動機の位置情報を前記クライアントに渡してもよいという結果である場合は、前記測位ゲートウェイは、前記測位要求された移動機のプライバシ設定情報を管理しているプライバシ情報管理装置に対し、測位処理許可要求を送信し、
(14)この測位処理要求を受け取ったプライバシ情報管理装置は、測位対象の移動機のプライバシ設定情報に基づいて追加のプライバシチェックを行い、
(15)前記測位対象の移動機の位置情報を前記クライアントに渡してもよいという結果である場合は、このプライバシチェック結果を前記測位ゲートウェイ２に送信し
(16)前記測位ゲートウェイ２は、測位結果を前記測位ゲートウェイ１に送り、
(17)前記測位ゲートウェイ１は、測位結果を前記クライアントに送る測位方法。
【請求項１８】
(1)クライアントが、測位ゲートウェイ１に対し移動機の測位を要求し、
(2)前記測位ゲートウェイは、前記測位要求された移動機の情報を管理している移動機管理装置に対し、前記測位要求された移動機のプライバシ設定情報を保持している測位ゲートウェイ２について問い合わせ、
(3)前記移動機管理装置は、前記測位要求された移動機の情報を保持している測位ゲートウェイ２の情報を前記測位ゲートウェイ１に送り、
(4)前記測位ゲートウェイ１は、前記クライアントからの測位要求を前記測位ゲートウェイ２に送り、
(5)前記測位ゲートウェイ２は、前記測位要求された移動機のプライバシ設定情報を管理しているプライバシ情報管理装置に対し、測位処理許可要求を送信し、
(6)この測位処理要求を受け取ったプライバシ情報管理装置は、測位対象の移動機のプライバシ設定情報に基づいてプライバシチェックを行い、
(7)このチェックの結果、前記クライアントからの測位要求を受け付けると判断したきは、前記測位ゲートウェイ２に応答し、
(8)この応答を受けた前記測位ゲートウェイ２は、測位要求が禁止されておらず、測位要求種別が過去の位置でも構わないとき、前記測位ゲートウェイ２は前記測位要求された移動機の測位結果を保持しているか確認し、測位結果を保持している場合には、この測位結果が再利用できるかを確認し、
(9)再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
(10)前記移動機管理装置は、前記測位要求された移動機が接続する地域無線網を管理する地域無線網管理装置について返信し、
(11)前記測位ゲートウェイ２は、前記測位要求された移動機が接続する地域無線網を管理する地域無線網管理装置に対し、プライバシに関するメッセージを送り、
(12)前記地域無線網管理装置は、前記測位要求された移動機に対して通知もしくは確認処理を行い、
(13)前記地域無線網管理装置は、プライバシの確認結果を前記測位ゲートウェイ２に送信し、
(14)前記プライバシ確認結果が、前記測位対象の移動機の位置情報を前記クライアントに渡してもよいという結果である場合は、前記測位ゲートウェイ２は、前記測位要求された移動機のプライバシ設定情報を管理しているプライバシ情報管理装置に対し、測位処理許可要求を送信し、
(15)この測位処理要求を受け取ったプライバシ情報管理装置は、測位対象の移動機のプライバシ設定情報に基づいて追加のプライバシチェックを行い、
(16)このチェックの結果、前記クライアントからの測位要求を受け付けると判断したきは、前記測位ゲートウェイ２に応答し、
(17)前記測位ゲートウェイ２は、測位結果を前記測位ゲートウェイ１に送り、
(18)前記測位ゲートウェイ１は、測位結果を前記クライアントに送る測位方法。
【請求項１９】
(1)クライアントが、測位ゲートウェイ１に対し移動機の測位を要求し、
(2)前記測位ゲートウェイ１は、前記測位要求された移動機の情報を管理している移動機管理装置に対し、前記測位要求された移動機のプライバシ設定情報を保持している測位ゲートウェイ２について問い合わせ、
(3)前記移動機管理装置は、前記測位要求された移動機の情報を保持している測位ゲートウェイ２の情報を前記測位ゲートウェイ１に送り、
(4)前記測位ゲートウェイ１は、前記クライアントからの測位要求を前記測位ゲートウェイ２に送り、
(5)前記測位ゲートウェイ２は、前記測位要求された移動機のプライバシ設定情報を参照し、この測位要求を確認し、
(6)この確認の結果、測位要求が禁止されておらず、測位要求種別が過去の位置でも構わないとき、前記測位ゲートウェイ２は前記測位要求された移動機の測位結果を保持しているか確認し、測位結果を保持している場合には、この測位結果が再利用できるかを確認し、
(7)再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
(8)前記移動機管理装置は、前記測位要求された移動機が接続する地域無線網を管理する地域無線網管理装置の情報、および、前記測位要求された移動機が接続する移動通信ネットワークの測位ゲートウェイ３の情報を保持している場合は、当該測位ゲートウェイ３の情報について返信し、
(9)前記測位ゲートウェイ２は、前記測位要求された移動機が接続する移動通信ネットワークの測位ゲートウェイ３に対し、測位要求をプライバシに関するメッセージを送り、
(10)前記測位ゲートウェイ３は、前記測位要求された移動機が接続する地域無線網を管理する地域無線網管理装置に対し、プライバシに関するメッセージを送り、
(11)前記地域無線網管理装置は、前記測位要求された移動機に対して通知もしくは確認処理を行い、
(12)前記地域無線網管理装置は、プライバシの確認結果を前記測位ゲートウェイ３に送信し、
(13)前記測位ゲートウェイ３は、このプライバシの確認結果を前記測位ゲートウェイ２に送信し、
(14)前記測位ゲートウェイ２は、追加のプライバシチェックを行い、
(15)前記測位ゲートウェイ２は、測位結果を前記測位ゲートウェイ１に送り、
(16)前記測位ゲートウェイ１は、測位結果を前記クライアントに送る測位方法。
【請求項２０】
(1)クライアントが、測位ゲートウェイ１に対し移動機の測位を要求し、
(2)前記測位ゲートウェイ１は、前記測位要求された移動機の情報を管理している移動機管理装置に対し、前記測位要求された移動機のプライバシ設定情報を保持している測位ゲートウェイ２について問い合わせ、
(3)前記移動機管理装置は、前記測位要求された移動機の情報を保持している測位ゲートウェイ２の情報を前記測位ゲートウェイ１に送り、
(4)前記測位ゲートウェイ１は、前記クライアントからの測位要求を前記測位ゲートウェイ２に送り、
(5)前記測位ゲートウェイ２は、前記測位要求された移動機のプライバシ設定情報を管理しているプライバシ情報管理装置に対し、測位処理許可要求を送信し、
(6)この測位処理要求を受け取ったプライバシ情報管理装置は、測位対象の移動機のプライバシ設定情報に基づいてプライバシチェックを行い、
(7)この確認の結果、測位要求が禁止されておらず、測位要求種別が過去の位置でも構わないとき、前記プライバシ情報管理装置は前記測位要求された移動機の測位結果を保持しているか確認し、測位結果を保持している場合には、この測位結果が再利用できるかを確認し、
(8)再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
(9)前記移動機管理装置は、前記測位要求された移動機が接続する地域無線網を管理する地域無線網管理装置の情報、および、前記測位要求された移動機が接続する移動通信ネットワークの測位ゲートウェイ３の情報を保持している場合は、当該測位ゲートウェイ３の情報について返信し、
(10)前記測位ゲートウェイ２は、前記測位要求された移動機が接続する移動通信ネットワークの測位ゲートウェイ３に対し、測位要求をプライバシに関するメッセージを送り、
(11)前記測位ゲートウェイ３は、前記測位要求された移動機が接続する地域無線網を管理する地域無線網管理装置に対し、プライバシに関するメッセージを送り、
(12)前記地域無線網管理装置は、前記測位要求された移動機に対して通知もしくは確認処理を行い、
(13)前記地域無線網管理装置は、プライバシの確認結果を前記測位ゲートウェイ３に送信し、
(14)前記測位ゲートウェイ３は、このプライバシの確認結果を前記測位ゲートウェイ２に送信し、
(15)前記プライバシの確認結果が、前記測位対象の移動機の位置情報を前記クライアントに渡してもよいという結果である場合は、前記測位ゲートウェイ２は、前記測位要求された移動機のプライバシ設定情報を管理しているプライバシ情報管理装置に対し、測位処理許可要求を送信し、
(16)この測位処理要求を受け取ったプライバシ情報管理装置は、測位対象の移動機のプライバシ設定情報に基づいて追加のプライバシチェックを行い、
(17)前記測位対象の移動機の位置情報を前記クライアントに渡してもよいという結果である場合は、このプライバシチェック結果を前記測位ゲートウェイ２に送信し
(18)前記測位ゲートウェイ２は、測位結果を前記測位ゲートウェイ１に送り、
(19)前記測位ゲートウェイ１は、測位結果を前記クライアントに送る測位方法。
【請求項２１】
(1)クライアントが、測位ゲートウェイ１に対し移動機の測位を要求し、
(2)前記測位ゲートウェイ１は、前記測位要求された移動機の情報を管理している移動機管理装置に対し、前記測位要求された移動機のプライバシ設定情報を保持している測位ゲートウェイ２について問い合わせ、
(3)前記移動機管理装置は、前記測位要求された移動機の情報を保持している測位ゲートウェイ２の情報を前記測位ゲートウェイ１に送り、
(4)前記測位ゲートウェイ１は、前記クライアントからの測位要求を前記測位ゲートウェイ２に送り、
(5)前記測位ゲートウェイ２は、前記測位要求された移動機のプライバシ設定情報を管理しているプライバシ情報管理装置に対し、測位処理許可要求を送信し、
(6)この測位処理要求を受け取ったプライバシ情報管理装置は、測位対象の移動機のプライバシ設定情報に基づいてプライバシチェックを行い、
(7)このチェックの結果、前記クライアントからの測位要求を受け付けると判断したきは、前記測位ゲートウェイ２に応答し、
(8)この応答を受けた前記測位ゲートウェイ２は、測位要求が禁止されておらず、測位要求種別が過去の位置でも構わないとき、前記測位ゲートウェイは前記測位要求された移動機の測位結果を保持しているか確認し、測位結果を保持している場合には、この測位結果が再利用できるかを確認し、
(9)再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
(10)前記移動機管理装置は、前記測位要求された移動機が接続する地域無線網を管理する地域無線網管理装置の情報、および、前記測位要求された移動機が接続する移動通信ネットワークの測位ゲートウェイ３の情報を保持している場合は、当該測位ゲートウェイ３の情報について返信し、
(11)前記測位ゲートウェイ２は、前記測位要求された移動機が接続する移動通信ネットワークの測位ゲートウェイ３に対し、測位要求をプライバシに関するメッセージを送り、
(12)前記測位ゲートウェイ３は、前記測位要求された移動機が接続する地域無線網を管理する地域無線網管理装置に対し、プライバシに関するメッセージを送り、
(13)前記地域無線網管理装置は、前記測位要求された移動機に対して通知もしくは確認処理を行い、
(14)前記地域無線網管理装置は、プライバシの確認結果を前記測位ゲートウェイ３に送信し、
(15)前記測位ゲートウェイ３は、このプライバシの確認結果を前記測位ゲートウェイ２に送信し、
(16)前記プライバシチェック結果が、前記測位対象の移動機の位置情報を前記クライアントに渡してもよいという結果である場合は、前記測位ゲートウェイ２は、前記測位要求された移動機のプライバシ設定情報を管理しているプライバシ情報管理装置に対し、測位処理許可要求を送信し、
(17)この測位処理要求を受け取ったプライバシ情報管理装置は、測位対象の移動機のプライバシ設定情報に基づいて追加のプライバシチェックを行い、
(18)このチェックの結果、前記クライアントからの測位要求を受け付けると判断したきは、前記測位ゲートウェイ２に応答し、
(19)前記測位ゲートウェイ２は、測位結果を前記測位ゲートウェイ１に送り、
(20)前記測位ゲートウェイ１は、測位結果を前記クライアントに送る測位方法。
【請求項２２】
(1)クライアントが、測位ゲートウェイ１に対し移動機の測位を要求し、
(2)前記測位ゲートウェイ１は、前記測位要求された移動機のプライバシ設定情報を参照し、この測位要求を確認し、
(3)この確認の結果、測位要求が禁止されておらず、測位要求種別が過去の位置でも構わないとき、前記測位ゲートウェイ１は前記測位要求された移動機の測位結果を保持しているか確認し、測位結果を保持している場合には、この測位結果が再利用できるかを確認し、
(4)再利用可能であり、前記測位要求された移動機への通知が必要である場合、測位ゲートウェイ１は、前記移動機管理装置に対し、前記測位要求された移動機が接続する地域無線網を管理する地域無線網管理装置について問い合わせ、
(5)前記移動機管理装置は、前記測位要求された移動機が接続する地域無線網を管理する地域無線網管理装置の情報、および、前記測位要求された移動機が接続する移動通信ネットワークの測位ゲートウェイ２の情報を保持している場合は、当該測位ゲートウェイ２の情報について返信し、
(6)前記測位ゲートウェイ１は、前記測位要求された移動機が接続する移動通信ネットワークの測位ゲートウェイ２に対し、測位要求をプライバシに関するメッセージを送り、
(7)前記測位ゲートウェイ２は、前記測位要求された移動機が接続する地域無線網を管理する地域無線網管理装置に対し、プライバシに関するメッセージを送り、
(8)前記地域無線網管理装置は、前記測位要求された移動機に対して通知もしくは確認処理を行い、
(9)前記地域無線網管理装置は、プライバシの確認結果を前記測位ゲートウェイ２に送信し、
(10)前記測位ゲートウェイ２は、このプライバシの確認結果を前記測位ゲートウェイ１に送信し、
(11)前記測位ゲートウェイ１は、追加のプライバシチェックを行い、
(12)前記測位ゲートウェイ１は、測位結果を前記クライアントに送る測位方法。
【請求項２３】
(1)クライアントが、測位ゲートウェイ１に対し移動機の測位を要求し、
(2)前記測位ゲートウェイ１は、前記測位要求された移動機のプライバシ設定情報を管理しているプライバシ情報管理装置に対し、測位処理許可要求を送信し、
(3)この測位処理要求を受け取ったプライバシ情報管理装置は、測位対象の移動機のプライバシ設定情報に基づいてプライバシチェックを行い、
(4)この確認の結果、測位要求が禁止されておらず、測位要求種別が過去の位置でも構わないとき、前記プライバシ情報管理装置は前記測位要求された移動機の測位結果を保持しているか確認し、測位結果を保持している場合には、この測位結果が再利用できるかを確認し、
(5)再利用可能であり、前記測位要求された移動機への通知が必要である場合、測位ゲートウェイ１は、前記移動機管理装置に対し、前記測位要求された移動機が接続する地域無線網を管理する地域無線網管理装置について問い合わせ、
(6)前記移動機管理装置は、前記測位要求された移動機が接続する地域無線網を管理する地域無線網管理装置の情報、および、前記測位要求された移動機が接続する移動通信ネットワークの測位ゲートウェイ２の情報を保持している場合は、当該測位ゲートウェイ２の情報について返信し、
(7)前記測位ゲートウェイ１は、前記測位要求された移動機が接続する移動通信ネットワークの測位ゲートウェイ２に対し、測位要求をプライバシに関するメッセージを送り、
(8)前記測位ゲートウェイ２は、前記測位要求された移動機が接続する地域無線網を管理する地域無線網管理装置に対し、プライバシに関するメッセージを送り、
(9)前記地域無線網管理装置は、前記測位要求された移動機に対して通知もしくは確認処理を行い、
(10)前記地域無線網管理装置は、プライバシの確認結果を前記測位ゲートウェイ２に送信し、
(11)前記測位ゲートウェイ２は、このプライバシの確認結果を前記測位ゲートウェイ１に送信し、
(12)前記プライバシの確認結果が、前記測位対象の移動機の位置情報を前記クライアントに渡してもよいという結果である場合は、前記測位ゲートウェイ１は、前記測位要求された移動機のプライバシ設定情報を管理しているプライバシ情報管理装置に対し、測位処理許可要求を送信し、
(13)この測位処理要求を受け取ったプライバシ情報管理装置は、測位対象の移動機のプライバシ設定情報に基づいて追加のプライバシチェックを行い、
(14)前記測位対象の移動機の位置情報を前記クライアントに渡してもよいという結果である場合は、このプライバシチェック結果を前記測位ゲートウェイ１に送信し
(15)前記測位ゲートウェイ１は、測位結果を前記クライアントに送る測位方法。
【請求項２４】
(1)クライアントが、測位ゲートウェイ１に対し移動機の測位を要求し、
(2)前記測位ゲートウェイ１は、前記測位要求された移動機のプライバシ設定情報を管理しているプライバシ情報管理装置に対し、測位処理許可要求を送信し、
(3)この測位処理要求を受け取ったプライバシ情報管理装置は、測位対象の移動機のプライバシ設定情報に基づいてプライバシチェックを行い、
(4)このチェックの結果、前記クライアントからの測位要求を受け付けると判断したきは、前記測位ゲートウェイ１に応答し、
(5)この応答を受けた前記測位ゲートウェイ１は、測位要求が禁止されておらず、測位要求種別が過去の位置でも構わないとき、前記測位ゲートウェイは前記測位要求された移動機の測位結果を保持しているか確認し、測位結果を保持している場合には、この測位結果が再利用できるかを確認し、
(6)再利用可能であり、前記測位要求された移動機への通知が必要である場合、測位ゲートウェイ１は、前記移動機管理装置に対し、前記測位要求された移動機が接続する地域無線網を管理する地域無線網管理装置について問い合わせ、
(7)前記移動機管理装置は、前記測位要求された移動機が接続する地域無線網を管理する地域無線網管理装置の情報、および、前記測位要求された移動機が接続する移動通信ネットワークの測位ゲートウェイ２の情報を保持している場合は、当該測位ゲートウェイ２の情報について返信し、
(8)前記測位ゲートウェイ１は、前記測位要求された移動機が接続する移動通信ネットワークの測位ゲートウェイ２に対し、測位要求をプライバシに関するメッセージを送り、
(9)前記測位ゲートウェイ２は、前記測位要求された移動機が接続する地域無線網を管理する地域無線網管理装置に対し、プライバシに関するメッセージを送り、
(10)前記地域無線網管理装置は、前記測位要求された移動機に対して通知もしくは確認処理を行い、
(11)前記地域無線網管理装置は、プライバシの確認結果を前記測位ゲートウェイ２に送信し、
(12)前記測位ゲートウェイ２は、このプライバシの確認結果を前記測位ゲートウェイ１に送信し、
(13)前記プライバシの確認結果が、前記測位対象の移動機の位置情報を前記クライアントに渡してもよいという結果である場合は、前記測位ゲートウェイ１は、前記測位要求された移動機のプライバシ設定情報を管理しているプライバシ情報管理装置に対し、測位処理許可要求を送信し、
(14)この測位処理要求を受け取ったプライバシ情報管理装置は、測位対象の移動機のプライバシ設定情報に基づいて追加のプライバシチェックを行い、
(15)このチェックの結果、前記クライアントからの測位要求を受け付けると判断したきは、前記測位ゲートウェイ１に応答し、
(16)前記測位ゲートウェイ１は、測位結果を前記クライアントに送る測位方法。
【請求項２５】
(1)クライアントが、測位ゲートウェイ１に対し移動機の測位を要求し、
(2)前記測位ゲートウェイ１は、前記測位要求された移動機の情報を管理している移動機管理装置に対し、前記測位要求された移動機のプライバシ設定情報を保持している測位ゲートウェイ２について問い合わせ、
(3)前記移動機管理装置は、前記測位要求された移動機の情報を保持している測位ゲートウェイ２の情報を前記測位ゲートウェイ１に送り、
(4)前記測位ゲートウェイ１は、前記クライアントからの測位要求を前記測位ゲートウェイ２に送り、
(5)前記測位ゲートウェイ２は、前記測位要求された移動機のプライバシ設定情報を参照し、この測位要求を確認し、
(6)この確認の結果、測位要求が禁止されておらず、測位要求種別が過去の位置でも構わないとき、前記測位ゲートウェイ２は前記測位要求された移動機の測位結果を保持しているか確認し、測位結果を保持している場合には、この測位結果が再利用できるかを確認し、
(7)再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
(8)前記移動機管理装置は、前記測位要求された移動機が接続する地域無線網を管理する地域無線網管理装置の情報、および、前記測位要求された移動機が接続する移動通信ネットワークの測位ゲートウェイ１の情報を保持している場合は、当該測位ゲートウェイ１の情報について返信し、
(9)前記測位ゲートウェイ２は、前記測位要求された移動機が接続する移動通信ネットワークの測位ゲートウェイ１に対し、測位要求をプライバシに関するメッセージを送り、
(10)前記測位ゲートウェイ１は、前記測位要求された移動機が接続する地域無線網を管理する地域無線網管理装置に対し、プライバシに関するメッセージを送り、
(11)前記地域無線網管理装置は、前記測位要求された移動機に対して通知もしくは確認処理を行い、
(12)前記地域無線網管理装置は、プライバシの確認結果を前記測位ゲートウェイ１に送信し、
(13)前記測位ゲートウェイ１は、このプライバシの確認結果を前記測位ゲートウェイ２に送信し、
(14)前記測位ゲートウェイ２は、追加のプライバシチェックを行い、
(15)前記測位ゲートウェイ２は、測位結果を前記測位ゲートウェイ１に送り、
(16)前記測位ゲートウェイ１は、測位結果を前記クライアントに送る測位方法。
【請求項２６】
(1)クライアントが、測位ゲートウェイ１に対し移動機の測位を要求し、
(2)前記測位ゲートウェイ１は、前記測位要求された移動機の情報を管理している移動機管理装置に対し、前記測位要求された移動機のプライバシ設定情報を保持している測位ゲートウェイ２について問い合わせ、
(3)前記移動機管理装置は、前記測位要求された移動機の情報を保持している測位ゲートウェイ２の情報を前記測位ゲートウェイ１に送り、
(4)前記測位ゲートウェイ１は、前記クライアントからの測位要求を前記測位ゲートウェイ２に送り、
(5)前記測位ゲートウェイ２は、前記測位要求された移動機のプライバシ設定情報を管理しているプライバシ情報管理装置に対し、測位処理許可要求を送信し、
(6)この測位処理要求を受け取ったプライバシ情報管理装置は、測位対象の移動機のプライバシ設定情報に基づいてプライバシチェックを行い、
(7)この確認の結果、測位要求が禁止されておらず、測位要求種別が過去の位置でも構わないとき、前記プライバシ情報管理装置は前記測位要求された移動機の測位結果を保持しているか確認し、測位結果を保持している場合には、この測位結果が再利用できるかを確認し、
(8)再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
(9)前記移動機管理装置は、前記測位要求された移動機が接続する地域無線網を管理する地域無線網管理装置の情報、および、前記測位要求された移動機が接続する移動通信ネットワークの測位ゲートウェイ１の情報を保持している場合は、当該測位ゲートウェイ１の情報について返信し、
(10)前記測位ゲートウェイ２は、前記測位要求された移動機が接続する移動通信ネットワークの測位ゲートウェイ１に対し、測位要求をプライバシに関するメッセージを送り、
(11)前記測位ゲートウェイ１は、前記測位要求された移動機が接続する地域無線網を管理する地域無線網管理装置に対し、プライバシに関するメッセージを送り、
(12)前記地域無線網管理装置は、前記測位要求された移動機に対して通知もしくは確認処理を行い、
(13)前記地域無線網管理装置は、プライバシの確認結果を前記測位ゲートウェイ１に送信し、
(14)前記測位ゲートウェイ１は、このプライバシの確認結果を前記測位ゲートウェイ２に送信し、
(15)前記プライバシの確認結果が、前記測位対象の移動機の位置情報を前記クライアントに渡してもよいという結果である場合は、前記測位ゲートウェイ２は、前記測位要求された移動機のプライバシ設定情報を管理しているプライバシ情報管理装置に対し、測位処理許可要求を送信し、
(16)この測位処理要求を受け取ったプライバシ情報管理装置は、測位対象の移動機のプライバシ設定情報に基づいて追加のプライバシチェックを行い、
(17)前記測位対象の移動機の位置情報を前記クライアントに渡してもよいという結果である場合は、このプライバシチェック結果を前記測位ゲートウェイ２に送信し、
(18)前記測位ゲートウェイ２は、測位結果を前記測位ゲートウェイ１に送り、
(19)前記測位ゲートウェイ１は、測位結果を前記クライアントに送る測位方法。
【請求項２７】
(1)クライアントが、測位ゲートウェイ１に対し移動機の測位を要求し、
(2)前記測位ゲートウェイ１は、前記測位要求された移動機の情報を管理している移動機管理装置に対し、前記測位要求された移動機のプライバシ設定情報を保持している測位ゲートウェイ２について問い合わせ、
(3)前記移動機管理装置は、前記測位要求された移動機の情報を保持している測位ゲートウェイ２の情報を前記測位ゲートウェイ１に送り、
(4)前記測位ゲートウェイ１は、前記クライアントからの測位要求を前記測位ゲートウェイ２に送り、
(5)前記測位ゲートウェイ２は、前記測位要求された移動機のプライバシ設定情報を管理しているプライバシ情報管理装置に対し、測位処理許可要求を送信し、
(6)この測位処理要求を受け取ったプライバシ情報管理装置は、測位対象の移動機のプライバシ設定情報に基づいてプライバシチェックを行い、
(7)このチェックの結果、前記クライアントからの測位要求を受け付けると判断したきは、前記測位ゲートウェイ２に応答し、
(8)この応答を受けた前記測位ゲートウェイ２は、測位要求が禁止されておらず、測位要求種別が過去の位置でも構わないとき、前記測位ゲートウェイは前記測位要求された移動機の測位結果を保持しているか確認し、測位結果を保持している場合には、この測位結果が再利用できるかを確認し、
(9)再利用可能であり、前記測位要求された移動機への通知が必要である場合、測位ゲートウェイ２は、前記移動機管理装置に対し、前記測位要求された移動機が接続する地域無線網を管理する地域無線網管理装置について問い合わせ、
(10)前記移動機管理装置は、前記測位要求された移動機が接続する地域無線網を管理する地域無線網管理装置の情報、および、前記測位要求された移動機が接続する移動通信ネットワークの測位ゲートウェイ１の情報を保持している場合は、当該測位ゲートウェイ１の情報について返信し、
(11)前記測位ゲートウェイ２は、前記測位要求された移動機が接続する移動通信ネットワークの測位ゲートウェイ１に対し、測位要求をプライバシに関するメッセージを送り、
(12)前記測位ゲートウェイ１は、前記測位要求された移動機が接続する地域無線網を管理する地域無線網管理装置に対し、プライバシに関するメッセージを送り、
(13)前記地域無線網管理装置は、前記測位要求された移動機に対して通知もしくは確認処理を行い、
(14)前記地域無線網管理装置は、プライバシの確認結果を前記測位ゲートウェイ１に送信し、
(15)前記測位ゲートウェイ１は、このプライバシの確認結果を前記測位ゲートウェイ２に送信し、
(16)前記プライバシの確認結果が、前記測位対象の移動機の位置情報を前記クライアントに渡してもよいという結果である場合は、前記測位ゲートウェイ２は、前記測位要求された移動機のプライバシ設定情報を管理しているプライバシ情報管理装置に対し、測位処理許可要求を送信し、
(17)この測位処理要求を受け取ったプライバシ情報管理装置は、測位対象の移動機のプライバシ設定情報に基づいて追加のプライバシチェックを行い、
(18)このチェックの結果、前記クライアントからの測位要求を受け付けると判断したきは、前記測位ゲートウェイ２に応答し、
(19)前記測位ゲートウェイ２は、測位結果を前記測位ゲートウェイ１に送り、
(20)前記測位ゲートウェイ１は、測位結果を前記クライアントに送る測位方法。
【請求項２８】
(101)移動機が、地域無線網管理装置に対し移動機の測位を要求し、
(102)前記地域無線網管理装置は、前記測位要求のタイプが「過去の位置でも構わない」場合には、前記測位対象の移動機の過去の測位結果を保持しているかを確認し、過去の測位結果を保持しており過去の測位結果を再利用することができるときは、この再利用可能な測位結果を前記測位を要求した移動機に返送する測位方法。
【請求項２９】
移動機のプライバシ設定情報および過去の測位結果を保持する手段と、
クライアントから前記移動機の測位要求を受信したときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、追加のプライバシチェックを行う手段と、
前記追加のプライバシチェックの結果、過去の測位結果を前記クライアントに渡しても良い場合、前記過去の測位結果を前記クライアントへ送る手段と、
を備えたことを特徴とする測位ゲートウェイ装置。
【請求項３０】
クライアントから前記移動機の測位要求を受信したときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、前記確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段と、
を備えたことを特徴とする測位ゲートウェイ装置。
【請求項３１】
移動機の過去の測位結果を保持する手段と、
クライアントから前記移動機の測位要求を受信したときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段と、
を備えたことを特徴とする測位ゲートウェイ装置。
【請求項３２】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
前記移動機のプライバシ設定情報および過去の測位結果を保持する手段と、
前記クライアントから前記移動機の測位要求を受信したときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、追加のプライバシチェックを行う手段と、
前記追加のプライバシチェックの結果、過去の測位結果を前記クライアントに渡しても良い場合、前記過去の測位結果を前記クライアントへ送る手段とを備えるものであることを特徴とするクライアント装置。
【請求項３３】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
前記クライアントから前記移動機の測位要求を受信したときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、前記確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段とを備えるものであることを特徴とするクライアント装置。
【請求項３４】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
移動機の過去の測位結果を保持する手段と、
前記クライアントから前記移動機の測位要求を受信したときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段とを備えるものであることを特徴とするクライアント装置。
【請求項３５】
移動機のプライバシ設定情報および過去の測位結果を保持する手段と、
クライアントから前記移動機の測位要求を受信した他の測位ゲートウェイから前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、
前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他のゲートウェイ装置へ送る手段と、
を備えたことを特徴とする測位ゲートウェイ装置。
【請求項３６】
クライアントから前記移動機の測位要求を受信した他の測位ゲートウェイから前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段と、
を備えたことを特徴とする測位ゲートウェイ装置。
【請求項３７】
移動機の過去の測位結果を保持する手段と、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段と、
を備えたことを特徴とする測位ゲートウェイ装置。
【請求項３８】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備え、
前記他の測位ゲートウェイは、
移動機のプライバシ設定情報および過去の測位結果を保持する手段と、
前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とする測位ゲートウェイ装置。
【請求項３９】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備え、
前記他の測位ゲートウェイは、
前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とする測位ゲートウェイ装置。
【請求項４０】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備え、
前記他の測位ゲートウェイは、
移動機の過去の測位結果を保持する手段と、
前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とする測位ゲートウェイ装置。
【請求項４１】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備えるものであり、
前記他の測位ゲートウェイは、
前記移動機のプライバシ設定情報および過去の測位結果を保持する手段と、
前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とするクライアント装置。
【請求項４２】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備えるものであり、
前記他の測位ゲートウェイは、
前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とするクライアント装置。
【請求項４３】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備えるものであり、
前記他の測位ゲートウェイは、
移動機の過去の測位結果を保持する手段と、
前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とするクライアント装置。
【請求項４４】
移動機のプライバシ設定情報および過去の測位結果を保持する手段と、
クライアントから前記移動機の測位要求を受信した他の測位ゲートウェイから前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他のゲートウェイ装置へ送る手段と、
を備えたことを特徴とする測位ゲートウェイ装置。
【請求項４５】
クライアントから前記移動機の測位要求を受信した他の測位ゲートウェイから前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段と、
を備えたことを特徴とする測位ゲートウェイ装置。
【請求項４６】
移動機の過去の測位結果を保持する手段と、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段と、
を備えたことを特徴とする測位ゲートウェイ装置。
【請求項４７】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備え、
前記他の測位ゲートウェイは、
移動機のプライバシ設定情報および過去の測位結果を保持する手段と、
前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とする測位ゲートウェイ装置。
【請求項４８】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備え、
前記他の測位ゲートウェイは、
前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とする測位ゲートウェイ装置。
【請求項４９】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備え、
前記他の測位ゲートウェイは、
移動機の過去の測位結果を保持する手段と、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とする測位ゲートウェイ装置。
【請求項５０】
移動機のプライバシ設定情報を保持するホスト側測位ゲートウェイから前記移動機にかかるプライバシチェック要求メッセージを受信したときに、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきたときに、該送信された確認結果を前記ホスト側測位ゲートウェイに送信する手段とを備える、前記移動機の移動先通信ネットワーク側測位ゲートウェイであって、
前記ホスト側測位ゲートウェイは、
前記移動機のプライバシ設定情報および過去の測位結果を保持する手段と、
前記移動機の測位要求が要求側測位ゲートウェイから転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワーク側測位ゲートウェイに対し前記プライバシチェック要求メッセージを送り、前記移動機の移動先通信ネットワーク側測位ゲートウェイからプライバシの確認結果が返されたときに、追加のプライバシチェックを行う手段と、
前記追加のプライバシチェックの結果、過去の測位結果を前記クライアントに渡しても良い場合、前記過去の測位結果を前記要求側ゲートウェイ装置へ送る手段とを備えるものであり、
前記要求側測位ゲートウェイは、
クライアントから前記移動機の測位要求を受信したときに、前記移動機のプライバシ設定情報を保持する前記ホスト側測位ゲートウェイを特定し、該特定した前記ホスト側測位ゲートウェイへ前記受信した前記移動機の測位要求を転送する手段と、
前記ホスト側測位ゲートウェイから前記転送した測位要求に対する応答を受信したときに、該応答を前記クライアントへ送る手段とを備えるものであることを特徴とする測位ゲートウェイ装置。
【請求項５１】
移動機のプライバシ設定情報を保持するホスト側測位ゲートウェイから前記移動機にかかるプライバシチェック要求メッセージを受信したときに、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきたときに、該送信された確認結果を前記ホスト側測位ゲートウェイに送信する手段とを備える、前記移動機の移動先通信ネットワーク側測位ゲートウェイであって、
前記ホスト側測位ゲートウェイは、
前記移動機の測位要求が要求側測位ゲートウェイから転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワーク側測位ゲートウェイに対し、プライバシチェック要求メッセージを送り、前記移動機の移動先通信ネットワークの測位ゲートウェイからプライバシの確認結果を受信した場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記要求側測位ゲートウェイへ送る手段とを備えるものであり、
前記要求側測位ゲートウェイは、
クライアントから移動機の測位要求を受信したときに、前記ホスト側測位ゲートウェイを特定し、該特定したホスト側測位ゲートウェイへ前記受信した前記移動機の測位要求を転送する手段と、
前記ホスト側測位ゲートウェイから前記転送した測位要求に対する応答を受信したときに、該応答を前記クライアントへ送る手段とを備えるものであることを特徴とする測位ゲートウェイ装置。
【請求項５２】
移動機のプライバシ設定情報を保持するホスト側測位ゲートウェイから前記移動機にかかるプライバシチェック要求メッセージを受信したときに、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきたときに、該送信された確認結果を前記ホスト側測位ゲートウェイに送信する手段とを備える、前記移動機の移動先通信ネットワーク側測位ゲートウェイであって、
前記ホスト側測位ゲートウェイは、
移動機の過去の測位結果を保持する手段と、
要求側測位ゲートウェイから前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワーク側測位ゲートウェイに対し、プライバシチェック要求メッセージを送り、前記移動機の移動先通信ネットワーク側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記要求側測位ゲートウェイへ送る手段とを備えるものであり、
前記要求側測位ゲートウェイは、
クライアントから移動機の測位要求を受信したときに、前記ホスト側測位ゲートウェイを特定し、該特定したホスト側測位ゲートウェイへ前記受信した前記移動機の測位要求を転送する手段と、
前記ホスト側測位ゲートウェイから前記転送した測位要求に対する応答を受信したときに、該応答を前記クライアントへ送る手段とを備えるものであることを特徴とする測位ゲートウェイ装置。
【請求項５３】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備えるものであり、
前記他の測位ゲートウェイは、
移動機のプライバシ設定情報および過去の測位結果を保持する手段と、
前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とするクライアント装置。
【請求項５４】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備えるものであり、
前記他の測位ゲートウェイは、
前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とするクライアント装置。
【請求項５５】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記転送した測位要求に対する応答を受信したときに、該応答を前記クライアントへ送る手段とを備えるものであり、
前記他の測位ゲートウェイは、
移動機の過去の測位結果を保持する手段と、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段とを備えるものであることを特徴とするクライアント装置。
【請求項５６】
移動機のプライバシ設定情報および過去の測位結果を保持する手段と、
クライアントから前記移動機の測位要求を受信したときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段と、
前記追加のプライバシチェックの結果、過去の測位結果を前記クライアントに渡しても良い場合、前記過去の測位結果を前記クライアントへ送る手段と、
を備えたことを特徴とする測位ゲートウェイ装置。
【請求項５７】
クライアントから前記移動機の測位要求を受信したときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段と、
を備えたことを特徴とする測位ゲートウェイ装置。
【請求項５８】
移動機の過去の測位結果を保持する手段と、
クライアントから前記移動機の測位要求を受信したときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段と、
を備えたことを特徴とする測位ゲートウェイ装置。
【請求項５９】
移動機のプライバシ設定情報を保持するホスト側測位ゲートウェイから前記移動機にかかるプライバシチェック要求メッセージを受信したときに、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきたときに、該送信された確認結果を前記ホスト側測位ゲートウェイに送信する手段とを備える、前記移動機の移動先通信ネットワーク側測位ゲートウェイであって、
前記ホスト側測位ゲートウェイは、
前記移動機のプライバシ設定情報および過去の測位結果を保持する手段と、
クライアントから前記移動機の測位要求を受信したときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワーク側測位ゲートウェイに対し、プライバシチェック要求メッセージを送り、前記移動機の移動先通信ネットワーク側測位ゲートウェイからプライバシの確認結果を受信したときに、追加のプライバシチェックを行う手段と、
前記追加のプライバシチェックの結果、過去の測位結果を前記クライアントに渡しても良い場合、前記過去の測位結果を前記クライアントへ送る手段とを備えるものであることを特徴とする測位ゲートウェイ装置。
【請求項６０】
移動機のプライバシ設定情報を保持するホスト側測位ゲートウェイから前記移動機にかかるプライバシチェック要求メッセージを受信したときに、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきたときに、該送信された確認結果を前記ホスト側測位ゲートウェイに送信する手段とを備える、前記移動機の移動先通信ネットワーク側測位ゲートウェイであって、
前記ホスト側測位ゲートウェイは、
クライアントから前記移動機の測位要求を受信したときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワーク側測位ゲートウェイに対し、プライバシチェック要求メッセージを送り、前記移動機の移動先通信ネットワーク側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段とを備えるものであることを特徴とする測位ゲートウェイ装置。
【請求項６１】
移動機のプライバシ設定情報を保持するホスト側測位ゲートウェイから前記移動機にかかるプライバシチェック要求メッセージを受信したときに、前記移動機が接続する地域無線網を管理する地域無線網管理装置に対し、プライバシ要求メッセージを送る手段と、
前記地域無線網管理装置が前記移動機に対して通知もしくは確認処理を行ってプライバシの確認結果を送信してきたときに、該送信された確認結果を前記ホスト側測位ゲートウェイに送信する手段とを備える、前記移動機の移動先通信ネットワーク側測位ゲートウェイであって、
前記ホスト側測位ゲートウェイは、
移動機の過去の測位結果を保持する手段と、
クライアントから前記移動機の測位要求を受信したときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワーク側測位ゲートウェイに対し、プライバシチェック要求メッセージを送り、前記移動機の移動先通信ネットワーク側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段とを備えるものであることを特徴とする測位ゲートウェイ装置。
【請求項６２】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
移動機のプライバシ設定情報および過去の測位結果を保持する手段と、
前記クライアントから前記移動機の測位要求を受信したときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段と、
前記追加のプライバシチェックの結果、過去の測位結果を前記クライアントに渡しても良い場合、前記過去の測位結果を前記クライアントへ送る手段とを備えるものであることを特徴とするクライアント装置。
【請求項６３】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
前記クライアントから前記移動機の測位要求を受信したときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段とを備えるものであることを特徴とするクライアント装置。
【請求項６４】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
移動機の過去の測位結果を保持する手段と、
前記クライアントから前記移動機の測位要求を受信したときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークの測位ゲートウェイに対し、プライバシチェック要求メッセージを送る手段と、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記クライアントへ送る手段とを備えるものであることを特徴とするクライアント装置。
【請求項６５】
移動機のプライバシ設定情報および過去の測位結果を保持する手段と、
クライアントから前記移動機の測位要求を受信した他の測位ゲートウェイから前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に、前記移動機の移動先通信ネットワークの測位ゲートウェイである前記他の測位ゲートウェイに対し、プライバシチェック要求メッセージを送る手段と、
前記他の測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記他の測位ゲートウェイが送信してきた場合に、追加のプライバシチェックを行う手段と、
前記追加のプライバシチェックの結果、過去の測位結果を前記クライアントに渡しても良い場合、前記過去の測位結果を前記測位要求を転送してきた前記他の測位ゲートウェイへ送る手段と、
を備えたことを特徴とする測位ゲートウェイ装置。
【請求項６６】
クライアントから前記移動機の測位要求を受信した他の測位ゲートウェイから前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイである前記他の測位ゲートウェイに対し、プライバシチェック要求メッセージを送る手段と、
前記他の測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記他の測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他の測位ゲートウェイへ送る手段と、
を備えたことを特徴とする測位ゲートウェイ装置。
【請求項６７】
移動機の過去の測位結果を保持する手段と、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークである前記他の測位ゲートウェイに対し、プライバシチェック要求メッセージを送る手段と、
前記他の測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記他の測位ゲートウェイが送信してきた場合に、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他の測位ゲートウェイへ送る手段と、
を備えたことを特徴とする測位ゲートウェイ装置。
【請求項６８】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記移動機にかかるプライバシチェック要求メッセージを受信したときに、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信してきたときに、該送信された確認結果を前記他の測位ゲートウェイに送信する手段と、
前記他の測位ゲートウェイから前記転送した測位要求に対する応答を受信したときに、該応答を前記クライアントへ送る手段とを備えた、要求側測位ゲートウェイであって、
前記他の測位ゲートウェイは、
移動機のプライバシ設定情報および過去の測位結果を保持する手段と、
前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークの測位ゲートウェイである前記要求側測位ゲートウェイに対し、プライバシチェック要求メッセージを送り、前記要求側測位ゲートウェイからプライバシの確認結果を受信したときに、追加のプライバシチェックを行う手段と、
前記追加のプライバシチェックの結果、過去の測位結果を前記クライアントに渡しても良い場合、前記過去の測位結果を前記要求側測位ゲートウェイへ送る手段とを備えるものであることを特徴とする測位ゲートウェイ装置。
【請求項６９】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記移動機にかかるプライバシチェック要求メッセージを受信したときに、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信してきたときに、該送信された確認結果を前記他の測位ゲートウェイに送信する手段と、
前記他の測位ゲートウェイから前記転送した測位要求に対する応答を受信したときに、該応答を前記クライアントへ送る手段とを備えた、要求側測位ゲートウェイであって、
前記他の測位ゲートウェイは、
前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイである前記要求側測位ゲートウェイに対し、プライバシチェック要求メッセージを送り、前記要求側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記要求側測位ゲートウェイへ送る手段とを備えるものであることを特徴とする測位ゲートウェイ装置。
【請求項７０】
クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記移動機にかかるプライバシチェック要求メッセージを受信したときに、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信してきたときに、該送信された確認結果を前記他の測位ゲートウェイに送信する手段と、
前記他の測位ゲートウェイから前記転送した測位要求に対する応答を受信したときに、該応答を前記クライアントへ送る手段とを備えた、要求側測位ゲートウェイであって、
前記他の測位ゲートウェイは、
前記移動機の過去の測位結果を保持する手段と、
前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークである前記要求側測位ゲートウェイに対し、プライバシチェック要求メッセージを送り、前記要求側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他の測位ゲートウェイへ送る手段とを備えるものであることを特徴とする測位ゲートウェイ装置。
【請求項７１】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記移動機にかかるプライバシチェック要求メッセージを受信したときに、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信してきたときに、該送信された確認結果を前記他の測位ゲートウェイに送信する手段と、
前記他の測位ゲートウェイから前記転送した測位要求に対する応答を受信したときに、該応答を前記クライアントへ送る手段とを備えた、要求側測位ゲートウェイであり、
前記他の測位ゲートウェイは、
移動機のプライバシ設定情報および過去の測位結果を保持する手段と、
前記移動機の測位要求が転送されてきたときに前記移動機の前記プライバシ設定情報を参照し、前記測位要求を確認する手段と、
前記確認の結果、前記測位要求が禁止されておらず、測位要求種別が過去の位置でも良いとき、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークの測位ゲートウェイである前記要求側測位ゲートウェイに対し、プライバシチェック要求メッセージを送り、前記要求側測位ゲートウェイからプライバシの確認結果を受信したときに、追加のプライバシチェックを行う手段と、
前記追加のプライバシチェックの結果、過去の測位結果を前記クライアントに渡しても良い場合、前記過去の測位結果を前記要求側測位ゲートウェイへ送る手段とを備えるものであることを特徴とするクライアント装置。
【請求項７２】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記移動機にかかるプライバシチェック要求メッセージを受信したときに、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信してきたときに、該送信された確認結果を前記他の測位ゲートウェイに送信する手段と、
前記他の測位ゲートウェイから前記転送した測位要求に対する応答を受信したときに、該応答を前記クライアントへ送る手段とを備えた、要求側測位ゲートウェイであり、
前記他の測位ゲートウェイは、
前記移動機の測位要求が転送されてきたときに、前記移動機のプライバシ設定情報および過去の測位結果を保持するプライバシ情報管理装置に対して測位処理許可要求を送る手段と、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイである前記要求側測位ゲートウェイに対し、プライバシチェック要求メッセージを送り、前記要求側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記要求側測位ゲートウェイへ送る手段とを備えるものであることを特徴とするクライアント装置。
【請求項７３】
過去の位置でも良いかを示す測位要求種別を指定した移動機の測位要求を測位ゲートウェイに送信する手段と、前記測位ゲートウェイからの前記測位要求に対する応答を受信する手段とを備えたクライアントであって、
前記測位ゲートウェイは、
前記クライアントから移動機の測位要求を受信したときに、前記移動機のプライバシ設定情報を保持する他の測位ゲートウェイを特定し、該特定した他の測位ゲートウェイへ前記受信した前記移動機の測位要求を転送する手段と、
前記他の測位ゲートウェイから前記移動機にかかるプライバシチェック要求メッセージを受信したときに、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信してきたときに、該送信された確認結果を前記他の測位ゲートウェイに送信する手段と、
前記他の測位ゲートウェイから前記転送した測位要求に対する応答を受信したときに、該応答を前記クライアントへ送る手段とを備えた、要求側測位ゲートウェイであり、
前記他の測位ゲートウェイは、
前記移動機の過去の測位結果を保持する手段と、
前記移動機の測位要求が転送されてきたときに、前記移動機のプライバシ設定情報を保持するプライバシ情報管理装置に対して測位処理許可要求を送る手段と、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段と、
前記移動機の過去の測位結果を再利用可能であり、前記測位要求された前記移動機への通知もしくは確認が必要である場合に前記移動機の移動先通信ネットワークである前記要求側測位ゲートウェイに対し、プライバシチェック要求メッセージを送り、前記要求側測位ゲートウェイからプライバシの確認結果を受信したときに、前記プライバシ情報管理装置に対して追加のプライバシチェックを要求する手段と、
前記プライバシ情報管理装置から返される前記追加のプライバシチェックの結果、過去の測位結果を前記クライアントに渡しても良い場合、前記過去の測位結果を前記測位要求を転送してきた前記他の測位ゲートウェイへ送る手段とを備えるものであることを特徴とするクライアント装置。
【請求項７４】
移動機のプライバシ設定情報および過去の測位結果を保持する記憶手段を備え、測位ゲートウェイを構成するコンピュータを、
クライアントから前記移動機の測位要求を受信したときに前記移動機の前記プライバシ設定情報を参照し、前記測位要求を確認する手段、
前記確認の結果、前記測位要求が禁止されておらず、測位要求種別が過去の位置でも良いとき、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段、
前記地域無線網管理装置が前記移動機に対して通知もしくは確認処理を行ってプライバシの確認結果を送信してきた場合に、追加のプライバシチェックを行う手段、
前記追加のプライバシチェックの結果、過去の測位結果を前記クライアントに渡しても良い場合、前記過去の測位結果を前記クライアントへ送る手段、
として機能させるプログラム。
【請求項７５】
測位ゲートウェイを構成するコンピュータを、
クライアントから前記移動機の測位要求を受信したときに、前記移動機のプライバシ設定情報および過去の測位結果を保持するプライバシ情報管理装置に対して測位処理許可要求を送る手段、
前記プライバシ情報管理装置が、前記移動機の前記プライバシ設定情報を参照して前記測位要求を確認し、前記確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段、
前記地域無線網管理装置が前記移動機に対して通知もしくは確認処理を行ってプライバシの確認結果を送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記クライアントへ送る手段、
として機能させるプログラム。
【請求項７６】
移動機の過去の測位結果を保持する記憶手段を備え、測位ゲートウェイを構成するコンピュータを、
クライアントから前記移動機の測位要求を受信したときに、前記移動機のプライバシ設定情報を保持するプライバシ情報管理装置に対して測位処理許可要求を送る手段、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段、
前記地域無線網管理装置が前記移動機に対して通知もしくは確認処理を行ってプライバシの確認結果を送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記クライアントへ送る手段、
として機能させるプログラム。
【請求項７７】
移動機のプライバシ設定情報および過去の測位結果を保持する記憶手段を備え、測位ゲートウェイを構成するコンピュータを、
クライアントから前記移動機の測位要求を受信した他の測位ゲートウェイから前記移動機の測位要求が転送されてきたときに前記移動機の前記プライバシ設定情報を参照し、前記測位要求を確認する手段、
前記確認の結果、前記測位要求が禁止されておらず、測位要求種別が過去の位置でも良いとき、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段、
前記地域無線網管理装置が前記移動機に対して通知もしくは確認処理を行ってプライバシの確認結果を送信してきた場合に、追加のプライバシチェックを行う手段、
前記追加のプライバシチェックの結果、過去の測位結果を前記クライアントに渡しても良い場合、前記過去の測位結果を前記測位要求を転送してきた前記他のゲートウェイ装置へ送る手段、
として機能させるプログラム。
【請求項７８】
測位ゲートウェイを構成するコンピュータを、
クライアントから前記移動機の測位要求を受信した他の測位ゲートウェイから前記移動機の測位要求が転送されてきたときに、前記移動機のプライバシ設定情報および過去の測位結果を保持するプライバシ情報管理装置に対して測位処理許可要求を送る手段、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段、
前記地域無線網管理装置が前記移動機に対して通知もしくは確認処理を行ってプライバシの確認結果を送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段、
として機能させるプログラム。
【請求項７９】
移動機の過去の測位結果を保持する記憶手段を備え、測位ゲートウェイを構成するコンピュータを、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機が接続する地域無線網を管理する地域無線網管理装置に対し、プライバシ要求メッセージを送る手段、
前記地域無線網管理装置が前記移動機に対して通知もしくは確認処理を行ってプライバシの確認結果を送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段、
として機能させるプログラム。
【請求項８０】
移動機のプライバシ設定情報および過去の測位結果を保持する記憶手段を備え、測位ゲートウェイを構成するコンピュータを、
クライアントから前記移動機の測位要求を受信した他の測位ゲートウェイから前記移動機の測位要求が転送されてきたときに前記移動機の前記プライバシ設定情報を参照し、前記測位要求を確認する手段、
前記確認の結果、前記測位要求が禁止されておらず、測位要求種別が過去の位置でも良いとき、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段、
前記追加のプライバシチェックの結果、過去の測位結果を前記クライアントに渡しても良い場合、前記過去の測位結果を前記測位要求を転送してきた前記他のゲートウェイ装置へ送る手段、
として機能させるプログラム。
【請求項８１】
測位ゲートウェイを構成するコンピュータを、
クライアントから前記移動機の測位要求を受信した他の測位ゲートウェイから前記移動機の測位要求が転送されてきたときに、前記移動機のプライバシ設定情報および過去の測位結果を保持するプライバシ情報管理装置に対して測位処理許可要求を送る手段、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段、
として機能させるプログラム。
【請求項８２】
移動機の過去の測位結果を保持する記憶手段を備え、測位ゲートウェイを構成するコンピュータを、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記測位要求を転送してきた前記他のゲートウェイ装置へ送る手段、
として機能させるプログラム。
【請求項８３】
移動機のプライバシ設定情報および過去の測位結果を保持する記憶手段を備え、測位ゲートウェイを構成するコンピュータを、
クライアントから前記移動機の測位要求を受信したときに前記移動機の前記プライバシ設定情報を参照し、前記測位要求を確認する手段、
前記確認の結果、前記測位要求が禁止されておらず、測位要求種別が過去の位置でも良いとき、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、追加のプライバシチェックを行う手段、
前記追加のプライバシチェックの結果、過去の測位結果を前記クライアントに渡しても良い場合、前記過去の測位結果を前記クライアントへ送る手段、
として機能させるプログラム。
【請求項８４】
測位ゲートウェイを構成するコンピュータを、
クライアントから前記移動機の測位要求を受信したときに、前記移動機のプライバシ設定情報および過去の測位結果を保持するプライバシ情報管理装置に対して測位処理許可要求を送る手段、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイに対し、プライバシチェック要求メッセージを送る手段、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記クライアントへ送る手段、
として機能させるプログラム。
【請求項８５】
移動機の過去の測位結果を保持する記憶手段を備え、測位ゲートウェイを構成するコンピュータを、
クライアントから前記移動機の測位要求を受信したときに、前記移動機のプライバシ設定情報を保持するプライバシ情報管理装置に対して測位処理許可要求を送る手段、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に前記移動機の移動先通信ネットワークの測位ゲートウェイに対し、プライバシチェック要求メッセージを送る手段、
前記移動機の移動先通信ネットワークの測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記移動先ネットワークの測位ゲートウェイが送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記クライアントへ送る手段、
として機能させるプログラム。
【請求項８６】
移動機のプライバシ設定情報および過去の測位結果を保持する記憶手段を備え、測位ゲートウェイを構成するコンピュータを、
クライアントから前記移動機の測位要求を受信した他の測位ゲートウェイから前記移動機の測位要求が転送されてきたときに前記移動機の前記プライバシ設定情報を参照し、前記測位要求を確認する手段、
前記確認の結果、前記測位要求が禁止されておらず、測位要求種別が過去の位置でも良いとき、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に、前記移動機の移動先通信ネットワークの測位ゲートウェイである前記他の測位ゲートウェイに対し、プライバシチェック要求メッセージを送る手段、
前記他の測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記他の測位ゲートウェイが送信してきた場合に、追加のプライバシチェックを行う手段、
前記追加のプライバシチェックの結果、過去の測位結果を前記クライアントに渡しても良い場合、前記過去の測位結果を前記測位要求を転送してきた前記他の測位ゲートウェイへ送る手段、
として機能させるプログラム。
【請求項８７】
測位ゲートウェイを構成するコンピュータを、
クライアントから前記移動機の測位要求を受信した他の測位ゲートウェイから前記移動機の測位要求が転送されてきたときに、前記移動機のプライバシ設定情報および過去の測位結果を保持するプライバシ情報管理装置に対して測位処理許可要求を送る手段、
前記プライバシ情報管理装置が、前記移動機の前記プライバシ設定情報を参照して前記測位要求を確認し、該確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークの測位ゲートウェイである前記他の測位ゲートウェイに対し、プライバシチェック要求メッセージを送る手段、
前記他の測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記他の測位ゲートウェイが送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記測位要求を転送してきた前記他の測位ゲートウェイへ送る手段、
として機能させるプログラム。
【請求項８８】
移動機の過去の測位結果を保持する記憶手段を備え、測位ゲートウェイを構成するコンピュータを、
クライアントから前記移動機の測位要求を受信した他の測位ゲートウェイから前記移動機の測位要求が転送されてきたときに、前記移動機のプライバシ設定情報を保持するプライバシ情報管理装置に対して測位処理許可要求を送る手段、
前記プライバシ情報管理装置が、前記移動機の前記プライバシ設定情報を参照して前記測位要求を確認し、該確認の結果を返してきたときに、前記測位要求が禁止されておらず、測位要求種別が過去の位置でも良い場合、前記移動機の過去の測位結果を保持しており且つ保持している測位結果が再利用できるかを確認する手段、
前記移動機の過去の測位結果を再利用可能であり、前記測位要求された前記移動機への通知もしくは確認が必要である場合に前記移動機の移動先通信ネットワークである前記他の測位ゲートウェイに対し、プライバシチェック要求メッセージを送る手段、
前記他の測位ゲートウェイが、前記移動機が接続する地域無線網を管理する地域無線網管理装置に対し、プライバシ要求メッセージを送り、前記地域無線網管理装置が前記移動機に対して通知もしくは確認処理を行ってプライバシの確認結果を送信し、該送信された確認結果を前記他の測位ゲートウェイが送信してきた場合に、前記プライバシ情報管理装置に対して追加のプライバシチェックを要求する手段、
前記プライバシ情報管理装置から返される前記追加のプライバシチェックの結果、過去の測位結果を前記クライアントに渡しても良い場合、前記過去の測位結果を前記測位要求を転送してきた前記他の測位ゲートウェイへ送る手段、
として機能させるプログラム。
【発明の詳細な説明】
【０００１】
【発明の属する技術分野】
本発明は、移動通信システムに関し、特に端末の地理的位置情報を提供する位置情報サービス機能に関する。
【０００２】
【従来の技術】
移動通信ネットワークにおいて、移動機の位置情報を提供する位置情報サービス機能は、さまざまな付加価値情報サービスを可能にする重要な機能である。移動通信ネットワークの世界標準を定めている3GPP（Third Generation Partnership Program）においては、位置情報サービス機能の仕様として非特許文献１を制定している。
【０００３】
移動機の位置情報は、移動機が現在どこにいるかがわかるため移動機を使用するユーザーにとって重要なプライバシ情報である。そのため、位置情報の不正な取得を防ぐ手段や、移動機ユーザーの要求に応じて、時間や場所などに基づいた位置情報へのアクセス制限を行なう高度なプライバシ保護機能が移動通信ネットワークに求められるようになってきている。プライバシ保護機能としては、測位要求を受け付けるクライアントやサービスを登録する場合のように測位要求受付時に判断できるものと、特定の場所や時間帯のみでの測位を許可する場合のように測位後でないと判断できないものの2つがある。
【０００４】
一方、移動通信ネットワーク事業者は、位置情報サービスを提供するためには移動機の位置を測定しなければならない。移動機位置の測定のためにネットワーク内の各ノード間で位置測定用のメッセージを送受信する必要があり、移動機とも無線回線を介してメッセージを送受する必要がある。
【０００５】
3GPPにおいては前述の文献１において、移動機の位置情報を取得する仕組みである測位システムの構成および処理を規定している。文献１における測位システムの構成図を図１に示す。図１を参照すると3GPPにおける測位システムは、測位要求を移動通信ネットワークに対して送信するClient装置１０１他複数のClient装置と、移動通信ネットワークにおいてClient装置からの測位要求を受け付けるゲートウェイであるGMLC（Gateway Mobile Location Center）装置１０２他複数のGMLC装置と、ひとつもしくは複数の地域無線網を管理するノードであるSGSN/MSC（Serving General packet radio service Support Node / Mobile Services switching Center）装置１０３他複数のSGSN/MSC装置と、地域無線網（RAN：Radio Access Network）１０４他複数の地域無線網（RAN）と、測位対象となる移動機であるUE（User Equipment）装置１０５他複数のUE装置と、各移動機の接続する地域無線網の情報を保持する移動機管理装置であるHLR/HSS（Home Location Resister / Home Subscriber Server：）装置１０６他複数のHLR/HSS装置などの複数のノードから構成される。
【０００６】
3GPPにおいては、前記Client装置がUE装置の位置を要求する外部起動測位（MT-LR: Mobile Terminated Location Request）と、UE装置が自局の位置を要求する移動機起動測位（MO-LR: Mobile Originated Location Request）の2種類の測位機能が提供されている。
【０００７】
3GPPにおける外部起動測位（MT-LR）においては、前記Client装置はUE装置の現在位置（Current Location）を要求するか、現在位置もしくは最新過去位置（Current or Last known Location）を要求することができる。最新過去位置（Last known Location）は、Client装置が測位要求を行なったときに、何らかの理由でUE装置の現在位置を取得できない場合に、過去に測位した結果が利用可能であれば、過去の測位結果がClient装置に返送される。一方、3GPPにおける移動機起動測位（MO-LR）においては、UE装置が要求するのは自局の現在位置のみである。
【０００８】
3GPPにおけるプライバシ保護は、測位要求時に測位対象のUE装置が接続しているRANを管理しているSGSN/MSC装置において行なわれる。3GPPにおいて規定されているプライバシ保護は、外部起動測位（MT-LR）において、測位要求を許可するClient装置などのプライバシ情報を各UE装置が登録することで、不正なClient装置からの測位要求を防ぐ機能を提供している。SGSN/MSC装置は測位要求を受信すると、測位対象のUE装置が事前に登録したプライバシ情報を参照し、測位要求元のClient装置からの測位要求が許可されているかどうかを確認し、前記プライバシ情報によってUE装置への通知もしくは確認が必要とされる場合には、UE装置への通知もしくは確認を行なう。
【０００９】
3GPPで規定される外部起動測位（MT-LR）の手順を図２に示す。外部起動測位においては、Client装置１０１がUE装置１０５の測位要求をGMLC装置１０２に送信すると(ステップ１)、GMLC装置１０２はHLR/HSS装置１０６に測位対象のUE装置１０５が属するSGSN/MSC装置の情報を問い合わせ(ステップ２)、HLR/HSS装置１０６からUE装置１０５が属するSGSN/MSC装置１０３の情報を受け取る(ステップ３)。次にGMLC装置１０１は、HLR/HSS装置１０６からの情報に基づきSGSN/MSC装置１０３へ測位要求を送信する（ステップ４）。測位要求を受け取ったSGSN/MSC装置１０３はUE装置１０５のプライバシ設定を参照してプライバシチェックを行ない測位要求を受け付けてもいいかどうかを判断する(ステップ５)。ステップ５のプライバシチェックにおいては、UE装置１０５への通知もしくは確認が必要であると判断された場合には、SGSN/MSC装置１０３はUE装置１０５と通知もしくは確認のためのメッセージを送受する。ステップ５において測位要求を受け付けてもよいと判断した場合には、SGSN/MSC装置１０３はRAN１０４、UE装置１０５と連携してUE装置１０５の位置を測定する(ステップ６)。Client装置１０１がUE装置の現在位置もしくは最新過去位置(Current or Last known Location)を要求しておりステップ６においてUE装置１０５の位置を測定できなかった場合には、SGSN/MSC装置１０３は過去に測定したUE装置１０５位置情報を保持していたならば、その位置情報をUE装置１０５の位置とする（ステップ７）。その後、SGSN/MSC装置１０３は測位結果をGMLC装置１０２に返信し（ステップ８）、GMLC装置１０２はClient装置１０１に転送する(ステップ９)。
【００１０】
3GPPで規定される端末起動測位（MO-LR）の手順を図３に示す。端末起動測位（MO-LR）においては、UE装置１０５はSGSN/MSC装置１０３に対して測位要求を送信する（ステップ１）。SGSN/MSC装置はRAN１０４、UE装置１０５と連携してUE装置１０５の位置を測定する(ステップ２)。その後、SGSN/MSC装置１０３は測位結果をUE装置１０５に返信する（ステップ３）。ステップ２においてUE装置１０５の位置の測定に失敗した場合には、ステップ３においてエラーメッセージがUE装置１０５に返信される。
【００１１】
【非特許文献１】
3GPP Technical Specification 23.271 v.5.3.0, "Functional stage 2 description of LCS”, p.33-62、2002年6月
【００１２】
【発明が解決しようとする課題】
第１の課題は、外部起動測位（MT-LR）においてSGSN/MSC装置が測位処理に失敗した場合以外にも過去の測位結果の再利用を可能にすることである。
【００１３】
その理由は、前述のように3GPPにおける外部起動測位（MT-LR）においては、Client装置がUE装置の位置を要求しネットワークがUE装置の位置をclient装置に返送する場合には必ずSGSN/MSC装置において測位処理が実行されるため、client装置からの測位要求が増加した場合に測位トラヒックおよび測位処理負荷が比例して増加してしまい移動通信事業者のネットワーク運用に支障がでる可能性があるためである。前述のようにSGSN/MSC装置が保持する過去の測位結果の再利用は、SGSN/MSC装置が測位処理に失敗した場合のみに可能であり、測位トラヒックや測位処理負荷の軽減にはあまり有効に使われていないためである。また、測位結果の再利用によって測位トラヒックおよび測位処理負荷を減らすことができれば、測位にかかるコストも削減することができるためである。
【００１４】
第２の課題は、端末起動測位（MO-LR）において過去の測位結果の再利用を可能にすることである。
【００１５】
その理由は、前述のように3GPPにおける端末起動測位（MO-LR）においては、UE装置が自局の位置をSGSN/MSC装置に要求した場合には必ず測位処理が実行されるため、UE装置からの測位要求が増加した場合に測位トラヒックおよび測位処理負荷が比例して増加してしまい移動通信事業者のネットワーク運用に支障がでる可能性があるためである。SGSN/MSC装置における測位処理が失敗した場合にはUE装置にはエラーが通知されるため、過去の測位結果の再利用はまったく行なわれていないためである。また、測位結果の再利用によって測位トラヒックおよび測位処理負荷を減らすことができれば、測位にかかるコストも削減することができるためである。
【００１６】
第３の課題は、外部起動測位（MT-LR）における測位結果の再利用時のプライバシ保護機能の実現である。
【００１７】
その理由は、前述のように3GPPにおける外部起動測位（MT-LR）においては、プライバシチェックはSGSN/MSC装置で実行されている。そのため、例えばGMLC装置が過去の測位結果を保持しておりその測位結果を再利用しようとする場合には、プライバシチェックのみをSGSN/MSC装置に要求すればいいのだが、現在はその手段が提供されていないので、プライバシ保護を実現しつつGMLC装置が保持する過去の測位結果の再利用を行なうことはできないためである。
【００１８】
第４の課題は、過去の測位結果再利用時に、どれぐらい過去に測定された位置ならば受け入れることができるかを示す鮮度情報を、client装置やUE装置が指定できるようにし、その鮮度情報に基づいて過去の測位結果の再利用を実現することである。
【００１９】
その理由は、前述のように3GPPにおける外部起動測位（MT-LR）における過去の測位結果の再利用はSGSN/MSC装置が過去の測位結果を保持しているかどうかのみに基づいており、過去の測位結果としてどれくらい古い位置情報がSGSN/MSC装置から返送されるかは個々のSGSN/MSC装置の仕様に依存しており、client装置やUE装置が要求する測位結果の鮮度情報に基づいて過去の測位結果の再利用の可否を判断することができないためである。
【００２０】
【発明の目的】
本発明の目的は、移動通信ネットワークにおける測位システムにおいて、過去の測位結果の再利用を可能にすることであり、測位結果の再利用時にもユーザーのプライバシを保護し、位置要求者が必要とする鮮度情報を満たす測位結果のみ再利用することを可能とすることである。
【００２１】
【課題を解決するための手段】
請求項１記載の測位システムにおいては、複数の移動機と、移動機に対するクライアントからの測位要求を受け付けるひとつもしくは複数の測位ゲートウェイ装置と、その他必要な複数の通信装置から構成される移動通信ネットワークにおける測位システムにおいて、各移動機の過去の測位結果を移動通信ネットワーク内部の装置に蓄積し、クライアントからの測位要求に対して、過去の測位結果が利用可能な場合には過去の測位結果を応答し、過去の測位結果が利用不可能な場合には現在の位置を測定して応答する手段を有する。
【００２３】
請求項２記載の測位システムにおいては、要求する測位結果の鮮度情報を付加してクライアントが測位要求を送信し、過去の測位結果が要求される鮮度情報を満たすことができない場合には現在の位置を測定する手段を有する。
請求項３記載の測位システムにおいては、該移動機を使用するユーザーのプライバシ設定を移動通信ネットワーク内部の装置に保持し、過去の測位結果を外部に通知する前に該移動機を使用するユーザーのプライバシ設定を確認する手段を有する。
【００２４】
請求項４記載の測位システムにおいては、該移動機を使用するユーザーのプライバシ設定を測位ゲートウェイ装置が保持する手段を有する。
【００２５】
請求項５記載の測位システムにおいては、過去の測位結果を測位ゲートウェイ装置が保持する手段を有する。
【００２６】
請求項６記載の測位システムにおいては、プライバシ設定を確認した結果、該移動機に対して通知もしくは確認処理を行なう必要がある場合に、測位ゲートウェイ装置がプライバシチェック要求メッセージをネットワーク内の装置に送信し、前記装置が該移動機に対して通知もしくは確認処理を行なう手段を有する。
【００２７】
請求項７記載の測位システムにおいては、測位ゲートウェイ装置が前記装置に送信する測位要求メッセージに専用のパラメータを追加することでプライバシチェック要求メッセージを実現する手段を有する。
【００２８】
請求項８記載の測位システムにおいては、過去の測位結果を測位ゲートウェイ装置以外のネットワーク内の装置が保持する手段を有する。
【００２９】
請求項９記載の測位システムにおいては、測位ゲートウェイ装置がプライバシ設定を確認した後、測位要求メッセージを前記ネットワーク内の装置に送信し、前記ネットワーク内の装置が過去の測位結果を応答する手段を有する。
【００３０】
請求項１０記載の測位システムにおいては、測位ゲートウェイ装置が送信する測位要求メッセージに、測位結果の鮮度情報を付加して送信する手段を有する。
【００３１】
請求項１１記載の測位システムにおいては、複数の移動機と、移動機に対するクライアントからの測位要求を受け付けるひとつもしくは複数の測位ゲートウェイ装置と、その他必要な複数の通信装置から構成される移動通信ネットワークにおける測位システムにおいて、各移動機の過去の測位結果を移動通信ネットワーク内部の装置に蓄積し、移動機からの測位要求に対して、過去の測位結果が利用可能な場合には過去の測位結果を該移動機に対して応答し、過去の測位結果が利用不可能な場合には現在の位置を測定して該移動機に対して応答する手段を有する。
【００３３】
請求項１２記載の測位システムにおいては、要求する測位結果の鮮度情報を付加して該移動機が測位要求を送信し、過去の測位結果が要求される鮮度情報を満たすことができない場合には現在の位置を測定して該移動機に対して応答する手段を有する。
【００３４】
【作用】
請求項１記載の測位システムにおいては、クライアントからの測位要求に対して、過去の測位結果が利用可能な場合には過去の測位結果を応答し、過去の測位結果が利用不可能な場合には現在の位置を測定して応答する。
【００３６】
請求項２記載の測位システムにおいては、要求する測位結果の鮮度情報を付加してクライアントが測位要求を送信し、過去の測位結果が要求される鮮度情報を満たすことができない場合には現在の位置を測定する。
【００３７】
請求項３記載の測位システムにおいては、該移動機を使用するユーザーのプライバシ設定を移動通信ネットワーク内部の装置に保持し、過去の測位結果を外部に通知する前に該移動機を使用するユーザーのプライバシ設定を確認する。
【００３８】
請求項４記載の測位システムにおいては、該移動機を使用するユーザーのプライバシ設定を測位ゲートウェイ装置が保持する。
【００３９】
請求項５記載の測位システムにおいては、過去の測位結果を測位ゲートウェイ装置が保持する。
【００４０】
請求項６記載の測位システムにおいては、プライバシ設定を確認した結果、該移動機に対して通知もしくは確認処理を行なう必要がある場合に、測位ゲートウェイ装置がプライバシチェック要求メッセージをネットワーク内の装置に送信し、前記装置が該移動機に対して通知もしくは確認処理を行なう。
【００４１】
請求項７記載の測位システムにおいては、測位ゲートウェイ装置が前記装置に送信する測位要求メッセージに専用のパラメータを追加することでプライバシチェック要求メッセージを実現する。
【００４２】
請求項８記載の測位システムにおいては、過去の測位結果を測位ゲートウェイ装置以外のネットワーク内の装置が保持する。
【００４３】
請求項９記載の測位システムにおいては、測位ゲートウェイ装置がプライバシ設定を確認した後、測位要求メッセージを前記ネットワーク内の装置に送信し、前記ネットワーク内の装置が過去の測位結果を応答する。
【００４４】
請求項１０記載の測位システムにおいては、測位ゲートウェイ装置が送信する測位要求メッセージに、測位結果の鮮度情報を付加して送信する。
【００４５】
請求項１１記載の測位システムにおいては、各移動機の過去の測位結果を移動通信ネットワーク内部の装置に蓄積し、移動機からの測位要求に対して、過去の測位結果が利用可能な場合には過去の測位結果を該移動機に対して応答し、過去の測位結果が利用不可能な場合には現在の位置を測定して該移動機に対して応答する。
【００４７】
請求項１２記載の測位システムにおいては、要求する測位結果の鮮度情報を付加して該移動機が測位要求を送信し、過去の測位結果が要求される鮮度情報を満たすことができない場合には現在の位置を測定して該移動機に対して応答する。
【００４８】
【発明の実施の形態】
次に本発明の幾つかの実施の形態の概略について説明する。本発明においては、クライアント装置が移動機の位置を要求する移動通信ネットワークと、移動機と契約を持ちプライバシ情報等を管理する移動通信ネットワークと、移動機が接続する地域無線網が属する移動通信ネットワークとが存在する。下記、第一の実施の形態においては、クライアント装置が移動機の位置を要求する移動通信ネットワークと、移動機と契約を持ちプライバシ情報等を管理する移動通信ネットワークと、移動機が接続する地域無線網が属する移動通信ネットワークが同一である場合について説明する。下記、第二の実施の形態においては、移動機と契約を持ちプライバシ情報等を管理する移動通信ネットワークと、移動機が接続する地域無線網が属する移動通信ネットワークが同一であり、クライアント装置が移動機の位置を要求する移動通信ネットワークは異なる場合について説明する。下記、第三の実施の形態においては、クライアント装置が移動機の位置を要求する移動通信ネットワークと、移動機と契約を持ちプライバシ情報等を管理する移動通信ネットワークと、移動機が接続する地域無線網が属する移動通信ネットワークが全て異なる場合について説明する。下記、第四の実施の形態においては、クライアント装置が移動機の位置を要求する移動通信ネットワークと、移動機と契約を持ちプライバシ情報等を管理する移動通信ネットワークが同一であり、移動機が接続する地域無線網が属する移動通信ネットワークは異なる場合について説明する。下記、第五の実施の形態においては、クライアント装置が移動機の位置を要求する移動通信ネットワークと、移動機が接続する地域無線網が属する移動通信ネットワークが同一であり、移動機と契約を持ちプライバシ情報等を管理する移動通信ネットワークは異なる場合について説明する。また、下記第一から第五の実施の形態においては、移動機のプライバシ情報をGMLC装置で管理する場合について説明し、下記第六から第十の実施の形態においては、下記第一から第五の実施の形態のそれぞれの変形例として、移動機のプライバシ情報をGMLC装置でなく、PPR(Privacy Profile Register)と呼ばれるプライバシ情報管理装置で管理する場合について説明する。
【００４９】
【発明の実施の形態の概要】
先ず、第一乃至第十の実施の形態の概要について図２３乃至図３７を参照して説明する。
【００５０】
【第一の実施の形態の概要】
第一の実施の形態の主要な構成の概要を図２３を参照して説明する。第一の実施の形態においては、クライアント１０１は、過去の位置でも良いかを示す測位要求種別を指定した移動機の測位要求をGMLC１０２に送信する送信手段１０１１と、GMLC１０２からの前記測位要求に対する応答を受信する受信手段１０１２とを備える。GMLC装置１０２は、移動機のプライバシ設定情報および過去の測位結果を保持する記憶手段１０２１と、クライアント１０１から移動機の測位要求を受信したときに移動機のプライバシ設定情報を参照し、前記測位要求を確認する測位要求確認手段１０２２と、この確認の結果、前記測位要求が禁止されておらず、測位要求種別が過去の位置でも良いとき、前記移動機の過去の測位結果を保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機が接続する地域無線網を管理するSGSN/MSC装置１０３に対し、プライバシ要求メッセージを送る通知／確認手段１０２４と、SGSN/MSC装置１０３が前記移動機に対して通知もしくは確認処理を行ってプライバシの確認結果を送信してきた場合に、追加のプライバシチェックを行う追加チェック手段１０２５と、この追加のプライバシチェックの結果、過去の測位結果をクライアント１０１に渡しても良い場合、前記過去の測位結果をクライアント１０１へ送る応答送出手段１０２６とを備える。
【００５１】
次に、第一の実施の形態の主要な動作の概要を図２３を参照して説明する。クライアント１０１が、送信手段１０１１を用いてGMLC１０２に対し移動機の測位を要求すると、GMLC１０２は、測位要求確認手段１０２２を用いて、前記測位要求された移動機のプライバシ設定情報を記憶手段１０２１から参照し、この測位要求を確認する。次に、この確認の結果、測位要求が禁止されておらず、測位要求種別が過去の位置でも構わないとき、GMLC１０２は、再利用性確認手段１０２３を用いて前記測位要求された移動機の測位結果を記憶手段１０２１に保持しているか確認し、測位結果を保持している場合には、この測位結果が再利用できるかを確認する。次に、再利用可能であり、前記測位要求された移動機への通知が必要である場合、GMLC１０２は、通知／確認手段１０２４を用いて前記測位要求された移動機が接続する地域無線網を管理するSGSN/MSC装置１０３に対し、プライバシに関するメッセージを送る。なお、このとき、GMLC１０２は、前記移動機の管理を行う移動機管理装置であるHLR/HSS装置に対し、前記測位要求された移動機が接続する地域無線網を管理するSGSN/MSC装置について問い合わせ、前記HLR/HSS装置は、前記測位要求された移動機が接続する地域無線網を管理するSGSN/MSC装置について返信するといった処理が行われる。SGSN/MSC装置１０３は、前記測位要求された移動機に対して通知もしくは確認処理を行い、プライバシの確認結果をGMLC１０２に送信する。GMLC１０２は、追加チェック手段１０２５を用いて追加のプライバシチェックを行い、問題がなければ、応答送出手段１０２６を用いて測位結果をクライアント１０１に送る。クライアント１０１では、送られてきた測位結果を受信手段１０１２を用いて受信する。
【００５２】
【第二の実施の形態の概要】
第二の実施の形態の主要な構成の概要を図２４を参照して説明する。第二の実施の形態においては、クライアント１１１は、過去の位置でも良いかを示す測位要求種別を指定した移動機の測位要求をGMLC１１２に送信する送信手段１１１１と、GMLC１１２からの前記測位要求に対する応答を受信する受信手段１１１２とを備える。また、GMLC１１２は、クライアント１１１から移動機の測位要求を受信したときに、前記移動機のプライバシ設定情報を保持する他の測位ゲートウェイであるGMLC１０２を特定し、この特定したGMLC１０２へ前記受信した前記移動機の測位要求を転送する要求転送手段１１２１と、GMLC１０２から前記転送した測位要求に対する応答を受信したときに、この応答をクライアント１１１へ送る応答転送手段１１２２とを備える。更に、GMLC１０２は、前記移動機のプライバシ設定情報および過去の測位結果を保持する記憶手段１０２１と、前記移動機の測位要求が転送されてきたときに前記移動機の前記プライバシ設定情報を参照し、前記測位要求を確認する測位要求確認手段１０２２と、この確認の結果、前記測位要求が禁止されておらず、測位要求種別が過去の位置でも良いとき、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機が接続する地域無線網を管理するSGSN/MSC装置１０３に対し、プライバシ要求メッセージを送る通知／確認手段１０２４と、SGSN/MSC装置１０３が前記移動機に対して通知もしくは確認処理を行ってプライバシの確認結果を送信してきた場合に、追加のプライバシチェックを行う追加チェック手段１０２５と、この追加のプライバシチェックの結果、過去の測位結果をクライアントに渡しても良い場合、前記過去の測位結果を前記測位要求を転送してきたGMLC１１２へ送る応答送出手段１０２６とを備える。
【００５３】
次に第二の実施の形態の主要な動作の概要を図２４を参照して説明する。クライアント１１１が、送信手段１１１１を用いてGMLC１１２に対し移動機の測位を要求すると、GMLC１１２は、要求転送手段１１２１を用いて測位要求された移動機のプライバシ設定情報を保持しているGMLC１０２に対して、クライアント１１１からの測位要求を送る。なお、このとき、GMLC１１２は、前記測位要求された移動機の情報を管理しているHLR/HSS装置に対し、前記測位要求された移動機のプライバシ設定情報を保持しているGMLC１０２について問い合わせ、HLR/HSS装置は、前記測位要求された移動機の情報を保持しているGMLC１０２の情報をGMLC１１２に送るといった処理が行われる。次に、GMLC１０２は、測位要求確認手段１０２２を用いて前記測位要求された移動機のプライバシ設定情報を参照し、この測位要求を確認する。次に、この確認の結果、測位要求が禁止されておらず、測位要求種別が過去の位置でも構わないとき、GMLC１０２は、再利用性確認手段１０２３を用いて前記測位要求された移動機の測位結果を記憶手段１０２１保持しているか確認し、測位結果を保持している場合には、この測位結果が再利用できるかを確認する。次に、再利用可能であり、前記測位要求された移動機への通知が必要である場合、GMLC１０２は、通知／確認手段１０２４を用いて前記測位要求された移動機が接続する地域無線網を管理するSGSN/MSC装置１０３に対し、プライバシに関するメッセージを送る。なお、このとき、GMLC１０２は、HLR/HSS装置に対し、前記測位要求された移動機が接続する地域無線網を管理するSGSN/MSC装置１０３について問い合わせ、前記HLR/HSS装置は、前記測位要求された移動機が接続する地域無線網を管理するSGSN/MSC装置１０３について返信するといった処理が行われる。SGSN/MSC装置１０３は、前記測位要求された移動機に対して通知もしくは確認処理を行い、プライバシの確認結果をGMLC１０２に送信する。GMLC１０２は、追加チェック手段１０２５を用いて、追加のプライバシチェックを行い、問題がなければ、応答送出手段１０２６を用いて測位結果をGMLC１１２に送る。GMLC１１２は、応答転送手段１１２２を用いて、測位結果をクライアント１１１に送る。クライアント１１１では、測位結果を受信手段１１１２を用いて受信する。
【００５４】
【第三の実施の形態の概要】
第三の実施の形態の主要な構成の概要を図２５を参照して説明する。第三の実施の形態においては、クライアント１１１は、過去の位置でも良いかを示す測位要求種別を指定した移動機の測位要求をGMLC１１２に送信する送信手段１１１１と、GMLC１１２からの前記測位要求に対する応答を受信する受信手段１１１２とを備える。また、GMLC１１２は、クライアント１１１から移動機の測位要求を受信したときに、前記移動機のプライバシ設定情報を保持する他のGMLC１０２を特定し、この特定したGMLC１０２へ前記受信した前記移動機の測位要求を転送する要求転送手段１１２１と、GMLC１０２から前記転送した測位要求に対する応答を受信したときに、この応答をクライアント１１１へ送る応答転送手段１１２２とを備える。また、GMLC１０２は、前記移動機のプライバシ設定情報および過去の測位結果を保持する記憶手段１０２１と、前記移動機の測位要求が転送されてきたときに前記移動機の前記プライバシ設定情報を参照し、前記測位要求を確認する測位要求確認手段１０２２と、この確認の結果、前記測位要求が禁止されておらず、測位要求種別が過去の位置でも良いとき、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機の移動先通信ネットワークのGMLC１２２に対し、プライバシ要求メッセージを送る通知／確認手段１０２４と、GMLC１２２からプライバシの確認結果を受信した場合に、追加のプライバシチェックを行う追加チェック手段１０２５と、この追加のプライバシチェックの結果、過去の測位結果をクライアントに渡しても良い場合、前記過去の測位結果を前記測位要求を転送してきたGMLC１１２へ送る応答送出手段１０２６とを備える。更に、GMLC１２２は、移動機のプライバシ設定情報を保持するGMLC１０２から前記移動機にかかるプライバシチェック要求メッセージを受信したときに、前記移動機が接続する地域無線網を管理するSGSN/MSC装置１１３に対し、プライバシ要求メッセージを送るメッセージ転送手段１２２１と、SGSN/MSC装置１２３が前記移動機に対して通知もしくは確認処理を行ってプライバシの確認結果を送信してきたときに、この送信された確認結果をGMLC１０２に送信する結果転送手段１２２２とを備える。
【００５５】
次に第三の実施の形態の主要な動作の概要を図２５を参照して説明する。クライアント１１１が、送信手段１１１１を用いてGMLC１１２に対し移動機の測位を要求すると、GMLC１１２は、要求転送手段１１２１を用いて測位要求された移動機のプライバシ設定情報を保持しているGMLC１０２に対して、クライアント１１１からの測位要求を送る。なお、このとき、GMLC１１２は、前記測位要求された移動機の情報を管理しているHLR/HSS装置に対し、前記測位要求された移動機のプライバシ設定情報を保持しているGMLC１０２について問い合わせ、HLR/HSS装置は、前記測位要求された移動機の情報を保持しているGMLC１０２の情報をGMLC１１２に送るといった処理が行われる。次に、GMLC１０２は、測位要求確認手段１０２２を用いて前記測位要求された移動機のプライバシ設定情報を参照し、この測位要求を確認する。次に、この確認の結果、測位要求が禁止されておらず、測位要求種別が過去の位置でも構わないとき、GMLC１０２は、再利用性確認手段１０２３を用いて前記測位要求された移動機の測位結果を記憶手段１０２１保持しているか確認し、測位結果を保持している場合には、この測位結果が再利用できるかを確認する。次に、再利用可能であり、前記測位要求された移動機への通知が必要である場合、GMLC１０２は、通知／確認手段１０２４を用いて、前記測位要求された移動機が接続する移動通信ネットワークのGMLC１２２に対し、プライバシに関するメッセージを送る。なお、このとき、GMLC１０２は、HLR/HSS装置に対し、前記測位要求された移動機が接続する地域無線網を管理するSGSN/MSC装置１２３について問い合わせ、前記HLR/HSS装置は、前記測位要求された移動機が接続する地域無線網を管理するSGSN/MSC装置１２３の情報、および、前記測位要求された移動機が接続する移動通信ネットワークのGMLC１２２の情報を保持している場合は、当該GMLC１２２の情報について返信するといった処理が行われる。GMLC１２２は、メッセージ転送手段１２２１を用いて、前記測位要求された移動機が接続する地域無線網を管理するSGSN/MSC装置１２３に対し、プライバシに関するメッセージを送る。次に、SGSN/MSC装置１２３は、前記測位要求された移動機に対して通知もしくは確認処理を行い、プライバシの確認結果をGMLC１２２に送信する。GMLC１２２は、結果転送手段１２２２を用いてこのプライバシの確認結果をGMLC１０２に送信し、GMLC１０２は、追加チェック手段１０２５を用いて追加のプライバシチェックを行い、問題がなければ、応答送出手段１０２６を用いて、測位結果をGMLC１１２送る。GMLC１１２は、応答転送手段１１２２を用いて、測位結果をクライアント１１１に送る。クライアント１１１では、この測位結果を受信手段１１１２を用いて受信する。
【００５６】
【第四の実施の形態の概要】
第四の実施の形態の主要な構成の概要を図２６を参照して説明する。第四の実施の形態においては、クライアント１０１は、過去の位置でも良いかを示す測位要求種別を指定した移動機の測位要求を測位ゲートウェイであるGMLC１０２に送信する送信手段１０１１と、GMLC１０２からの前記測位要求に対する応答を受信する受信手段１０１２とを備える。GMLC装置１０２は、移動機のプライバシ設定情報および過去の測位結果を保持する記憶手段１０２１と、クライアント１０１から移動機の測位要求を受信したときに移動機のプライバシ設定情報を参照し、前記測位要求を確認する測位要求確認手段１０２２と、この確認の結果、前記測位要求が禁止されておらず、測位要求種別が過去の位置でも良いとき、前記移動機の過去の測位結果を保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機の移動先通信ネットワークのGMLC１１２に対し、プライバシ要求メッセージを送る通知／確認手段１０２４と、GMLC１１２からプライバシの確認結果を受信した場合に、追加のプライバシチェックを行う追加チェック手段１０２５と、この追加のプライバシチェックの結果、過去の測位結果をクライアントに渡しても良い場合、前記過去の測位結果をクライアント１０１へ送る応答送出手段１０２６とを備える。また、GMLC１１２は、移動機のプライバシ設定情報を保持するGMLC１０２から前記移動機にかかるプライバシチェック要求メッセージを受信したときに、前記移動機が接続する地域無線網を管理するSGSN/MSC装置１０３に対し、プライバシ要求メッセージを送るメッセージ転送手段１１２３と、SGSN/MSC装置１１３が前記移動機に対して通知もしくは確認処理を行ってプライバシの確認結果を送信してきたときに、この送信された確認結果をGMLC１０２に送信する結果転送手段１１２４とを備える。
【００５７】
次に、第四の実施の形態の主要な動作の概要を図２６を参照して説明する。クライアント１０１が、送信手段１０１１を用いてGMLC１０２に対し移動機の測位を要求すると、GMLC１０２は、測位要求確認手段１０２２を用いて、前記測位要求された移動機のプライバシ設定情報を記憶手段１０２１から参照し、この測位要求を確認する。次に、この確認の結果、測位要求が禁止されておらず、測位要求種別が過去の位置でも構わないとき、GMLC１０２は、再利用性確認手段１０２３を用いて前記測位要求された移動機の測位結果を記憶手段１０２１に保持しているか確認し、測位結果を保持している場合には、この測位結果が再利用できるかを確認する。次に、再利用可能であり、前記測位要求された移動機への通知が必要である場合、GMLC１０２は、通知／確認手段１０２４を用いて、前記測位要求された移動機が接続する移動通信ネットワークのGMLC１１２に対し、プライバシに関するメッセージを送る。なお、このとき、GMLC１０２は、HLR/HSS装置に対し、前記測位要求された移動機が接続する地域無線網を管理するSGSN/MSC装置１０３について問い合わせ、前記HLR/HSS装置は、前記測位要求された移動機が接続する地域無線網を管理するSGSN/MSC装置１０３の情報、および、前記測位要求された移動機が接続する移動通信ネットワークのGMLC１１２の情報を保持している場合は、当該GMLC１１２の情報について返信するといった処理が行われる。GMLC１１２は、メッセージ転送手段１１２３を用いて、前記測位要求された移動機が接続する地域無線網を管理するSGSN/MSC装置１０３に対し、プライバシに関するメッセージを送る。次に、SGSN/MSC装置１０３は、前記測位要求された移動機に対して通知もしくは確認処理を行い、プライバシの確認結果をGMLC１１２に送信する。GMLC１１２は、結果転送手段１１２４を用いてこのプライバシの確認結果をGMLC１０２に送信し、GMLC１０２は、追加チェック手段１０２５を用いて追加のプライバシチェックを行い、問題がなければ、応答送出手段１０２６を用いて測位結果をクライアント１０１に送る。クライアント１０１では、送られてきた測位結果を受信手段１０１２を用いて受信する。
【００５８】
【第五の実施の形態の概要】
第五の実施の形態の主要な構成の概要を図２７を参照して説明する。第五の実施の形態においては、クライアント１１１は、過去の位置でも良いかを示す測位要求種別を指定した移動機の測位要求をGMLC１１２に送信する送信手段１１１１と、GMLC１１２からの前記測位要求に対する応答を受信する受信手段１１１２とを備える。また、GMLC１１２は、クライアント１１１から移動機の測位要求を受信したときに、前記移動機のプライバシ設定情報を保持する他のGMLC１０２を特定し、この特定したGMLC１０２へ前記受信した前記移動機の測位要求を転送する要求転送手段１１２１と、GMLC１０２から前記転送した測位要求に対する応答を受信したときに、この応答をクライアント１１１へ送る応答転送手段１１２２と、GMLC１０２から前記移動機にかかるプライバシチェック要求メッセージを受信したときに、前記移動機が接続する地域無線網を管理するSGSN/MSC装置１１３に対し、プライバシ要求メッセージを送り、SGSN/MSC装置１１３が前記移動機に対して通知もしくは確認処理を行ってプライバシの確認結果を送信してきたときに、この送信された確認結果をGMLC１０２に送信する転送手段１１２５とを備える。また、GMLC１０２は、前記移動機のプライバシ設定情報および過去の測位結果を保持する記憶手段１０２１と、前記移動機の測位要求が転送されてきたときに前記移動機の前記プライバシ設定情報を参照し、前記測位要求を確認する測位要求確認手段１０２２と、この確認の結果、前記測位要求が禁止されておらず、測位要求種別が過去の位置でも良いとき、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機の移動先通信ネットワークのGMLC１１２に対し、プライバシ要求メッセージを送る通知／確認手段１０２４と、GMLC１１２からプライバシの確認結果を受信した場合に、追加のプライバシチェックを行う追加チェック手段１０２６と、この追加のプライバシチェックの結果、過去の測位結果をクライアントに渡しても良い場合、前記過去の測位結果を前記測位要求を転送してきたGMLC１１２へ送る応答送出手段１０２６とを備える。
【００５９】
次に第五の実施の形態の主要な動作の概要を図２７を参照して説明する。クライアント１１１が、送信手段１１１１を用いてGMLC１１２に対し移動機の測位を要求すると、GMLC１１２は、要求転送手段１１２１を用いて測位要求された移動機のプライバシ設定情報を保持しているGMLC１０２に対して、クライアント１１１からの測位要求を送る。なお、このとき、GMLC１１２は、前記測位要求された移動機の情報を管理しているHLR/HSS装置に対し、前記測位要求された移動機のプライバシ設定情報を保持しているGMLC１０２について問い合わせ、HLR/HSS装置は、前記測位要求された移動機の情報を保持しているGMLC１０２の情報をGMLC１１２に送るといった処理が行われる。次に、GMLC１０２は、測位要求確認手段１０２２を用いて前記測位要求された移動機のプライバシ設定情報を参照し、この測位要求を確認する。次に、この確認の結果、測位要求が禁止されておらず、測位要求種別が過去の位置でも構わないとき、GMLC１０２は、再利用性確認手段１０２３を用いて前記測位要求された移動機の測位結果を記憶手段１０２１保持しているか確認し、測位結果を保持している場合には、この測位結果が再利用できるかを確認する。次に、再利用可能であり、前記測位要求された移動機への通知が必要である場合、GMLC１０２は、通知／確認手段１０２４を用いて、前記測位要求された移動機が接続する移動通信ネットワークのGMLC１１２に対し、プライバシに関するメッセージを送る。なお、このとき、GMLC１０２は、HLR/HSS装置に対し、前記測位要求された移動機が接続する地域無線網を管理するSGSN/MSC装置１１３について問い合わせ、前記HLR/HSS装置は、前記測位要求された移動機が接続する地域無線網を管理するSGSN/MSC装置１１３の情報、および、前記測位要求された移動機が接続する移動通信ネットワークのGMLC１１２の情報を保持している場合は、当該GMLC１１２の情報について返信するといった処理が行われる。GMLC１１２は、転送手段１２２５を用いて、前記測位要求された移動機が接続する地域無線網を管理するSGSN/MSC装置１１３に対し、プライバシに関するメッセージを送る。次に、SGSN/MSC装置１１３は、前記測位要求された移動機に対して通知もしくは確認処理を行い、プライバシの確認結果をGMLC１１２に送信する。GMLC１１２は、転送手段１２２５を用いてこのプライバシの確認結果をGMLC１０２に送信し、GMLC１０２は、追加チェック手段１０２５を用いて追加のプライバシチェックを行い、問題がなければ、応答送出手段１０２６を用いて、測位結果をGMLC１１２に送る。GMLC１１２は、応答転送手段１１２２を用いて、測位結果をクライアント１１１に送る。クライアント１１１では、この測位結果を受信手段１１１２を用いて受信する。
【００６０】
【第六の実施の形態の概要】
第六の実施の形態として、先ず、移動機の測位結果をPPRが保持する場合について、主要な構成の概要を図２８を参照して説明する。この実施の形態においては、クライアント１０１は、過去の位置でも良いかを示す測位要求種別を指定した移動機の測位要求をGMLC１０２に送信する送信手段１０１１と、前記GMLC１０２からの前記測位要求に対する応答を受信する受信手段１０１２とを備える。また、GMLC１０２は、クライアント１０１から前記移動機の測位要求を受信したときに、前記移動機のプライバシ設定情報および過去の測位結果を保持するPPR１０７に対して測位処理許可要求を送る測位処理許可要求送出手段１０２７と、PPR１０７が、前記移動機の前記プライバシ設定情報を参照して前記測位要求を確認し、前記確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理するSGSN/MSC装置１０３に対し、プライバシ要求メッセージを送る通知／確認手段１０２４と、SGSN/MSC装置１０３が前記移動機に対して通知もしくは確認処理を行ってプライバシの確認結果を送信してきた場合に、前記PPR１０７に対して追加のプライバシチェックを要求する追加チェック要求手段１０２８と、PPR１０７から返される前記追加のプライバシチェックの結果、過去の測位結果を前記クライアント１０１に渡しても良い場合、前記過去の測位結果を前記クライアント１０１へ送る応答送出手段１０２６とを備える。
【００６１】
次に、第六の実施の形態の主要な動作を、移動機の測位結果をPPRが保持する場合について、図２８を参照して説明する。クライアント１０１が、GMLC１０２に対し移動機の測位を要求すると、GMLC１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、この確認の結果、測位要求が禁止されておらず、測位要求種別が過去の位置でも構わないとき、PPR１０７は前記測位要求された移動機の測位結果を保持しているか確認し、測位結果を保持している場合には、この測位結果が再利用できるかを確認する。これらの確認の結果を受けたGMLC１０２は、再利用可能であり、前記測位要求された移動機への通知が必要である場合、通知／確認手段１０２４を用いて、前記測位要求された移動機が接続する地域無線網を管理するSGSN/MSC装置１０３に対し、プライバシに関するメッセージを送る。なお、このとき、GMLC１０２は、HLR/HSS装置に対し、前記測位要求された移動機が接続する地域無線網を管理するSGSN/MSC装置１０３について問い合わせ、前記HLR/HSS装置は、前記測位要求された移動機が接続する地域無線網を管理するSGSN/MSC装置１０３について返信するといった処理が行われる。SGSN/MSC装置１０３は、前記測位要求された移動機に対して通知もしくは確認処理を行い、プライバシの確認結果をGMLC１０２に送信する。GMLC１０２は、前記プライバシの確認結果が、前記測位対象の移動機の位置情報をクライアント１０１に渡してもよいという結果である場合は、追加チェック要求手段１０２８を用いて、PPR１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をGMLC１０２に送信する。GMLC１０２は、追加のプライバシチェックの結果、問題がなければ、応答送出手段１０２６を用いて測位結果をクライアント１０１に送る。クライアント１０１では、この測位結果を受信手段１０１２を用いて受信する。
【００６２】
次に移動機の測位結果をGMLCが保持する場合の第六の実施の形態の主要な構成の概要を図２９を参照して説明する。この実施の形態においては、クライアント１０１は、過去の位置でも良いかを示す測位要求種別を指定した移動機の測位要求をGMLC１０２に送信する送信手段１０１１と、前記GMLC１０２からの前記測位要求に対する応答を受信する受信手段１０１２とを備える。また、GMLC１０２は、移動機の過去の測位結果を保持する記憶手段１０２１と、前記クライアント１０１から前記移動機の測位要求を受信したときに、前記移動機のプライバシ設定情報を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果を返してきたときに、前記測位要求が禁止されておらず、測位要求種別が過去の位置でも良い場合、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機が接続する地域無線網を管理するSGSN/MSC装置１０３に対し、プライバシ要求メッセージを送る通知／確認手段１０２４と、前記SGSN/MSC装置１０３が前記移動機に対して通知もしくは確認処理を行ってプライバシの確認結果を送信してきた場合に、前記ＰＰＲ１０７に対して追加のプライバシチェックを要求する追加チェック要求手段１０２８と、前記ＰＰＲ１０７から返される前記追加のプライバシチェックの結果、過去の測位結果をクライアント１０１に渡しても良い場合、前記過去の測位結果をクライアント１０１へ送る応答送出手段１０２６とを備える。
【００６３】
次に、第六の実施の形態の主要な動作を、移動機の測位結果をGMLCが保持する場合について、図２９を参照して説明する。クライアント１０１が、GMLC１０２に対し移動機の測位を要求すると、GMLC１０２は、測位処理許可要求送出手段１０２７を用いて、前記測位要求された移動機のプライバシ設定情報を管理しているＰＰＲ１０７に対し、測位処理許可要求を送信する。この測位処理要求を受け取ったＰＰＲ１０７は、測位対象の移動機のプライバシ設定情報に基づいてプライバシチェックを行い、このチェックの結果をGMLC１０２に応答する。この応答を受けたGMLC１０２は、測位要求が禁止されておらず、測位要求種別が過去の位置でも構わないとき、前記測位要求された移動機の測位結果を記憶手段１０２１に保持しているか確認し、測位結果を保持している場合には、この測位結果が再利用できるかを確認する。次に、GMLC１０２は、再利用可能であり、前記測位要求された移動機への通知が必要である場合、前記測位要求された移動機が接続する地域無線網を管理するSGSN/MSC装置１０３に対し、プライバシに関するメッセージを送る。なお、このときGMLC１０２は、HLR/HSS装置に対し、前記測位要求された移動機が接続する地域無線網を管理するSGSN/MSC装置１０３について問い合わせ、前記HLR/HSS装置は、前記測位要求された移動機が接続する地域無線網を管理するSGSN/MSC装置１０３について返信するといった処理が行われる。前記SGSN/MSC装置１０３は、前記測位要求された移動機に対して通知もしくは確認処理を行い、プライバシの確認結果をGMLC１０２に送信する。GMLC１０２は、前記プライバシの確認結果が、前記測位対象の移動機の位置情報をクライアント１０１に渡してもよいという結果である場合は、追加チェック要求手段１０２８を用いて、PPR１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をGMLC１０２に送信する。GMLC１０２は、追加のプライバシチェックの結果、問題がなければ、応答送出手段１０２６を用いて測位結果をクライアント１０１に送る。クライアント１０１では、この測位結果を受信手段１０１２を用いて受信する。
【００６４】
【第七の実施の形態の概要】
第七の実施の形態として、先ず、移動機の測位結果をPPRが保持する場合について、主要な構成の概要を図３０を参照して説明する。この実施の形態においては、クライアント１１１は、過去の位置でも良いかを示す測位要求種別を指定した移動機の測位要求をGMLC１１２に送信する送信手段１１１１と、GMLC１１２からの前記測位要求に対する応答を受信する受信手段１１１２とを備える。また、GMLC１１２は、クライアント１１１から移動機の測位要求を受信したときに、前記移動機のプライバシ設定情報を保持する他のGMLC１０２を特定し、この特定したGMLC１０２へ前記受信した前記移動機の測位要求を転送する要求転送手段１１２１と、GMLC１０２から前記転送した測位要求に対する応答を受信したときに、この応答をクライアント１１１へ送る応答転送手段１１２２とを備える。更に、GMLC１０２は、GMLC１１２から移動機の測位要求が転送されてきたときに、前記移動機のプライバシ設定情報および過去の測位結果を保持するＰＰＲ１０７に対して測位処理許可要求を送る測位処理許可要求送出手段１０２７と、ＰＰＲ１０７が、前記移動機の前記プライバシ設定情報を参照して前記測位要求を確認し、この確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機が接続する地域無線網を管理するSGSN/MSC装置１０３に対し、プライバシ要求メッセージを送る通知／確認手段１０２４と、SGSN/MSC装置１０３が前記移動機に対して通知もしくは確認処理を行ってプライバシの確認結果を送信してきた場合に、ＰＰＲ１０３に対して追加のプライバシチェックを要求する追加チェック要求手段１０２８と、ＰＰＲ１０７から返される前記追加のプライバシチェックの結果、過去の測位結果をクライアント１１１に渡しても良い場合、前記過去の測位結果を前記測位要求を転送してきたGMLC１１２へ送る応答送出手段１０２６とを備える。
【００６５】
次に、第七の実施の形態の主要な動作を、移動機の測位結果をPPRが保持する場合について、図３０を参照して説明する。クライアント１１１が、GMLC１１２に対し移動機の測位を要求すると、GMLC１１２は、要求転送手段１１２１を用いて、前記測位要求された移動機のプライバシ設定情報を保持しているGMLC１０２に対して、クライアント１１１からの測位要求を転送する。なお、このときGMLC１１２は、前記測位要求された移動機の情報を管理しているHLR/HSS装置に対し、前記測位要求された移動機のプライバシ設定情報を保持しているGMLC１０２について問い合わせ、前記HLR/HSS装置は、前記測位要求された移動機の情報を保持しているGMLC１０２の情報をGMLC１１２に送るといった処理が行われる。GMLC１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、この確認の結果、測位要求が禁止されておらず、測位要求種別が過去の位置でも構わないとき、PPR１０７は前記測位要求された移動機の測位結果を保持しているか確認し、測位結果を保持している場合には、この測位結果が再利用できるかを確認する。これらの確認の結果を受けたGMLC１０２は、再利用可能であり、前記測位要求された移動機への通知が必要である場合、通知／確認手段１０２４を用いて、前記測位要求された移動機が接続する地域無線網を管理するSGSN/MSC装置１０３に対し、プライバシに関するメッセージを送る。なお、このとき、GMLC１０２は、HLR/HSS装置に対し、前記測位要求された移動機が接続する地域無線網を管理するSGSN/MSC装置１０３について問い合わせ、前記HLR/HSS装置は、前記測位要求された移動機が接続する地域無線網を管理するSGSN/MSC装置１０３について返信するといった処理が行われる。SGSN/MSC装置１０３は、前記測位要求された移動機に対して通知もしくは確認処理を行い、プライバシの確認結果をGMLC１０２に送信する。GMLC１０２は、前記プライバシの確認結果が、前記測位対象の移動機の位置情報をクライアント１１１に渡してもよいという結果である場合は、追加チェック要求手段１０２８を用いて、PPR１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をGMLC１０２に送信する。GMLC１０２は、追加のプライバシチェックの結果、問題がなければ、応答送出手段１０２６を用いて測位結果を、測位要求を転送してきたGMLC１１２へ送出する。GMLC１１２は、応答転送手段１１２２を用いて、測位要求をクライアント１１１に送る。クライアント１１１では、この測位結果を受信手段１１１２を用いて受信する。
【００６６】
次に移動機の測位結果をGMLCが保持する場合の第七の実施の形態の主要な構成の概要を図３１を参照して説明する。この実施の形態においては、クライアント１１１は、過去の位置でも良いかを示す測位要求種別を指定した移動機の測位要求をGMLC１１２に送信する送信手段１１１１と、GMLC１１２からの前記測位要求に対する応答を受信する受信手段１１１２とを備える。また、GMLC１１２は、クライアント１１１から移動機の測位要求を受信したときに、前記移動機のプライバシ設定情報を保持する他のGMLC１０２を特定し、この特定したGMLC１０２へ前記受信した前記移動機の測位要求を転送する要求転送手段１１２１と、GMLC１０２から前記転送した測位要求に対する応答を受信したときに、この応答をクライアント１１１へ送る応答転送手段１１２２とを備える。更に、GMLC１０２は、移動機の過去の測位結果を保持する記憶手段１０２１と、前記クライアント１０１から前記移動機の測位要求を受信したときに、前記移動機のプライバシ設定情報を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果を返してきたときに、前記測位要求が禁止されておらず、測位要求種別が過去の位置でも良い場合、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機が接続する地域無線網を管理するSGSN/MSC装置１０３に対し、プライバシ要求メッセージを送る通知／確認手段１０２４と、前記SGSN/MSC装置１０３が前記移動機に対して通知もしくは確認処理を行ってプライバシの確認結果を送信してきた場合に、前記ＰＰＲ１０７に対して追加のプライバシチェックを要求する追加チェック要求手段１０２８と、前記ＰＰＲ１０７から返される前記追加のプライバシチェックの結果、過去の測位結果をクライアント１１１に渡しても良い場合、前記過去の測位結果をGMLC１１２へ送る応答送出手段１０２６とを備える。
【００６７】
次に、第七の実施の形態の主要な動作を、移動機の測位結果をGMLCが保持する場合について、図３１を参照して説明する。クライアント１１１が、GMLC１１２に対し移動機の測位を要求すると、GMLC１１２は、要求転送手段１１２１を用いて、前記測位要求された移動機のプライバシ設定情報を保持しているGMLC１０２に対して、クライアント１１１からの測位要求を転送する。なお、このときGMLC１１２は、前記測位要求された移動機の情報を管理しているHLR/HSS装置に対し、前記測位要求された移動機のプライバシ設定情報を保持しているGMLC１０２について問い合わせ、前記HLR/HSS装置は、前記測位要求された移動機の情報を保持しているGMLC１０２の情報をGMLC１１２に送るといった処理が行われる。GMLC１０２は、測位処理許可要求送出手段１０２７を用いて、前記測位要求された移動機のプライバシ設定情報を管理しているＰＰＲ１０７に対し、測位処理許可要求を送信する。この測位処理要求を受け取ったＰＰＲ１０７は、測位対象の移動機のプライバシ設定情報に基づいてプライバシチェックを行い、このチェックの結果をGMLC１０２に応答する。この応答を受けたGMLC１０２は、測位要求が禁止されておらず、測位要求種別が過去の位置でも構わないとき、前記測位要求された移動機の測位結果を記憶手段１０２１に保持しているか確認し、測位結果を保持している場合には、この測位結果が再利用できるかを確認する。次に、GMLC１０２は、再利用可能であり、前記測位要求された移動機への通知が必要である場合、前記測位要求された移動機が接続する地域無線網を管理するSGSN/MSC装置１０３に対し、プライバシに関するメッセージを送る。なお、このときGMLC１０２は、HLR/HSS装置に対し、前記測位要求された移動機が接続する地域無線網を管理するSGSN/MSC装置１０３について問い合わせ、前記HLR/HSS装置は、前記測位要求された移動機が接続する地域無線網を管理するSGSN/MSC装置１０３について返信するといった処理が行われる。前記SGSN/MSC装置１０３は、前記測位要求された移動機に対して通知もしくは確認処理を行い、プライバシの確認結果をGMLC１０２に送信する。GMLC１０２は、前記プライバシの確認結果が、前記測位対象の移動機の位置情報をクライアント１１１に渡してもよいという結果である場合は、追加チェック要求手段１０２８を用いて、PPR１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をGMLC１０２に送信する。GMLC１０２は、追加のプライバシチェックの結果、問題がなければ、応答送出手段１０２６を用いて測位結果を、測位要求を転送してきたGMLC１１２へ送出する。GMLC１１２は、応答転送手段１１２２を用いて、測位要求をクライアント１１１に送る。クライアント１１１では、この測位結果を受信手段１１１２を用いて受信する。
【００６８】
【第八の実施の形態の概要】
第八の実施の形態として、先ず、移動機の測位結果をPPRが保持する場合について、主要な構成の概要を図３２を参照して説明する。この実施の形態においては、クライアント１１１は、過去の位置でも良いかを示す測位要求種別を指定した移動機の測位要求をGMLC１０２に送信する送信手段１１１１と、GMLC１１２からの前記測位要求に対する応答を受信する受信手段１１１２とを備える。また、GMLC１１２は、クライアント１１１から移動機の測位要求を受信したときに、前記移動機のプライバシ設定情報を保持する他のGMLC１０２を特定し、この特定したGMLC１０２へ前記受信した前記移動機の測位要求を転送する要求転送手段１１２１と、GMLC１０２から前記転送した測位要求に対する応答を受信したときに、この応答をクライアント１１１へ送る応答転送手段１１２２とを備える。更に、GMLC１０２は、前記移動機の測位要求が転送されてきたときに、前記移動機のプライバシ設定情報および過去の測位結果を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果、前記測位要求が禁止されておらず、測位要求種別が過去の位置でも良いとき、前記移動機の過去の測位結果を保持しており且つ保持している測位結果が再利用できるかを確認し、プライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークのGMLC１２２に対し、プライバシチェック要求メッセージを送る通知／確認手段１０２４と、GMLC１２２が、前記移動機が接続する地域無線網を管理するSGSN/MSC装置１２３に対し、プライバシ要求メッセージを送り、SGSN/MSC装置１２３が前記移動機に対して通知もしくは確認処理を行ってプライバシの確認結果を送信し、この送信された確認結果をGMLC１２２が送信してきた場合に、追加のプライバシチェックをＰＰＲ１０７に対して要求する追加チェック要求手段１０２８と、前記追加のプライバシチェックの結果、過去の測位結果をクライアント１１１に渡しても良い場合、前記過去の測位結果を前記測位要求を転送してきたGMLC１１２へ送る応答送出手段１０２６とを備える。また、GMLC１２２は、移動機のプライバシ設定情報を保持するGMLC１０２から移動機にかかるプライバシチェック要求メッセージを受信したときに、前記移動機が接続する地域無線網を管理するSGSN/MSC装置１２３に対し、プライバシ要求メッセージを送るメッセージ転送手段１２２１と、SGSN/MSC装置１２３が前記移動機に対して通知もしくは確認処理を行ってプライバシの確認結果を送信してきたときに、この送信された確認結果をGMLC１０２に送信する結果転送手段１２２２とを備える。
【００６９】
次に、第八の実施の形態の主要な動作を、移動機の測位結果をPPRが保持する場合について、図３２を参照して説明する。クライアント１１１が、GMLC１１２に対し移動機の測位を要求すると、GMLC１１２は、要求転送手段１１２１を用いて、前記測位要求された移動機のプライバシ設定情報を保持しているGMLC１０２に対して、クライアント１１１からの測位要求を転送する。なお、このときGMLC１１２は、前記測位要求された移動機の情報を管理しているHLR/HSS装置に対し、前記測位要求された移動機のプライバシ設定情報を保持しているGMLC１０２について問い合わせ、前記HLR/HSS装置は、前記測位要求された移動機の情報を保持しているGMLC１０２の情報をGMLC１１２に送るといった処理が行われる。GMLC１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、この確認の結果、測位要求が禁止されておらず、測位要求種別が過去の位置でも構わないとき、PPR１０７は前記測位要求された移動機の測位結果を保持しているか確認し、測位結果を保持している場合には、この測位結果が再利用できるかを確認する。これらの確認の結果を受けたGMLC１０２は、再利用可能であり、前記測位要求された移動機への通知が必要である場合、通知／確認手段１０２４を用いて、前記測位要求された移動機が接続する移動通信ネットワークのGMLC１２２に対し、プライバシに関するメッセージを送る。なお、このときGMLC１０２は、HLR/HSS装置に対し、測位要求された移動機が接続する地域無線網を管理するSGSN/MSC装置１２３について問い合わせ、前記HLR/HSS装置は、前記測位要求された移動機が接続する地域無線網を管理するSGSN/MSC装置１２３の情報、および、前記測位要求された移動機が接続する移動通信ネットワークのGMLC１２２の情報を保持している場合は、当該GMLC１２２の情報について返信するといった処理が行われる。GMLC１２２は、メッセージ転送手段１２２１を用いて、前記測位要求された移動機が接続する地域無線網を管理するSGSN/MSC装置１２３に対し、プライバシに関するメッセージを送る。SGSN/MSC装置１２３は、前記測位要求された移動機に対して通知もしくは確認処理を行い、プライバシの確認結果をGMLC１２２に送信する。GMLC１２２は、結果転送手段１２２２を用いて、このプライバシの確認結果をGMLC１０２に送信する。GMLC１０２は、前記プライバシの確認結果が、前記測位対象の移動機の位置情報をクライアント１１１に渡してもよいという結果である場合は、追加チェック要求手段１０２８を用いて、PPR１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をGMLC１０２に送信する。GMLC１０２は、追加のプライバシチェックの結果、問題がなければ、応答送出手段１０２６を用いて測位結果を、測位要求を転送してきたGMLC１１２へ送出する。GMLC１１２は、応答転送手段１１２２を用いて、測位結果をク��イアント１１１に送る。クライアント１１１では、この測位結果を受信手段１１１２を用いて受信する。
【００７０】
次に移動機の測位結果をGMLCが保持する場合の第八の実施の形態の主要な構成の概要を図３３を参照して説明する。この実施の形態においては、クライアント１１１は、過去の位置でも良いかを示す測位要求種別を指定した移動機の測位要求をGMLC１０２に送信する送信手段１１１１と、GMLC１１２からの前記測位要求に対する応答を受信する受信手段１１１２とを備える。また、GMLC１１２は、クライアント１１１から移動機の測位要求を受信したときに、前記移動機のプライバシ設定情報を保持する他のGMLC１０２を特定し、この特定したGMLC１０２へ前記受信した前記移動機の測位要求を転送する要求転送手段１１２１と、GMLC１０２から前記転送した測位要求に対する応答を受信したときに、この応答をクライアント１１１へ送る応答転送手段１１２２とを備える。更に、GMLC１０２は、移動機の過去の測位結果を保持する記憶手段１０２１と、GMLC１１２から前記移動機の測位要求を受信したときに、前記移動機のプライバシ設定情報を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果を返してきたときに、前記測位要求が禁止されておらず、測位要求種別が過去の位置でも良い場合、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機の移動先通信ネットワークのGMLC１２２に対し、プライバシチェック要求メッセージを送る通知／確認手段１０２４と、GMLC１２２が、前記移動機が接続する地域無線網を管理するSGSN/MSC装置１２３に対し、プライバシ要求メッセージを送り、SGSN/MSC装置１２３が前記移動機に対して通知もしくは確認処理を行ってプライバシの確認結果を送信し、この送信された確認結果をGMLC１２２が送信してきた場合に、追加のプライバシチェックをＰＰＲ１０７に対して要求する追加チェック要求手段１０２８と、前記追加のプライバシチェックの結果、過去の測位結果をクライアント１１１に渡しても良い場合、前記過去の測位結果を前記測位要求を転送してきたGMLC１１２へ送る応答送出手段１０２６とを備える。また、GMLC１２２は、移動機のプライバシ設定情報を保持するGMLC１０２から移動機にかかるプライバシチェック要求メッセージを受信したときに、前記移動機が接続する地域無線網を管理するSGSN/MSC装置１２３に対し、プライバシ要求メッセージを送るメッセージ転送手段１２２１と、SGSN/MSC装置１２３が前記移動機に対して通知もしくは確認処理を行ってプライバシの確認結果を送信してきたときに、この送信された確認結果をGMLC１０２に送信する結果転送手段１２２２とを備える。
【００７１】
次に、第八の実施の形態の主要な動作を、移動機の測位結果をGMLCが保持する場合について、図３３を参照して説明する。クライアント１１１が、GMLC１１２に対し移動機の測位を要求すると、GMLC１１２は、要求転送手段１１２１を用いて、前記測位要求された移動機のプライバシ設定情報を保持しているGMLC１０２に対して、クライアント１１１からの測位要求を転送する。なお、このときGMLC１１２は、前記測位要求された移動機の情報を管理しているHLR/HSS装置に対し、前記測位要求された移動機のプライバシ設定情報を保持しているGMLC１０２について問い合わせ、前記HLR/HSS装置は、前記測位要求された移動機の情報を保持しているGMLC１０２の情報をGMLC１１２に送るといった処理が行われる。GMLC１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、このチェックの結果をGMLC１０２に応答する。この応答を受けたGMLC１０２は、測位要求が禁止されておらず、測位要求種別が過去の位置でも構わないとき、前記測位要求された移動機の測位結果を記憶手段１０２１に保持しているか確認し、測位結果を保持している場合には、この測位結果が再利用できるかを確認する。次に、GMLC１０２は、再利用可能であり、前記測位要求された移動機への通知が必要である場合、通知／確認手段１０２４を用いて、前記測位要求された移動機が接続する移動通信ネットワークのGMLC１２２に対し、プライバシに関するメッセージを送る。なお、このときGMLC１０２は、HLR/HSS装置に対し、測位要求された移動機が接続する地域無線網を管理するSGSN/MSC装置１２３について問い合わせ、前記HLR/HSS装置は、前記測位要求された移動機が接続する地域無線網を管理するSGSN/MSC装置１２３の情報、および、前記測位要求された移動機が接続する移動通信ネットワークのGMLC１２２の情報を保持している場合は、当該GMLC１２２の情報について返信するといった処理が行われる。GMLC１２２は、メッセージ転送手段１２２１を用いて、前記測位要求された移動機が接続する地域無線網を管理するSGSN/MSC装置１２３に対し、プライバシに関するメッセージを送る。SGSN/MSC装置１２３は、前記測位要求された移動機に対して通知もしくは確認処理を行い、プライバシの確認結果をGMLC１２２に送信する。GMLC１２２は、結果転送手段１２２２を用いて、このプライバシの確認結果をGMLC１０２に送信する。GMLC１０２は、前記プライバシの確認結果が、前記測位対象の移動機の位置情報をクライアント１１１に渡してもよいという結果である場合は、追加チェック要求手段１０２８を用いて、PPR１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をGMLC１０２に送信する。GMLC１０２は、追加のプライバシチェックの結果、問題がなければ、応答送出手段１０２６を用いて測位結果を、測位要求を転送してきたGMLC１１２へ送出する。GMLC１１２は、��答転送手段１１２２を用いて、測位結果をクライアント１１１に送る。クライアント１１１では、この測位結果を受信手段１１１２を用いて受信する。
【００７２】
【第九の実施の形態の概要】
第九の実施の形態として、先ず、移動機の測位結果をPPRが保持する場合について、主要な構成の概要を図３４を参照して説明する。この実施の形態においては、クライアント１０１は、過去の位置でも良いかを示す測位要求種別を指定した移動機の測位要求をGMLC１０２に送信する送信手段１０１１と、GMLC１０２からの前記測位要求に対する応答を受信する受信手段１０１２とを備える。また、GMLC１０２は、クライアント１０１から前記移動機の測位要求を受信したときに、前記移動機のプライバシ設定情報および過去の測位結果を保持するＰＰＲ１０７に対して測位処理許可要求を送る測位処理許可要求送出手段１０２７と、ＰＰＲ１０７が、前記移動機の前記プライバシ設定情報を参照して前記測位要求を確認し、この確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークのGMLC１１２に対し、プライバシチェック要求メッセージを送る通知／確認手段１０２４と、GMLC１１２が、前記移動機が接続する地域無線網を管理するSGSN/MSC装置１１３に対し、プライバシ要求メッセージを送り、SGSN/MSC装置１１３が前記移動機に対して通知もしくは確認処理を行ってプライバシの確認結果を送信し、この送信された確認結果をGMLC１１２が送信してきた場合に、追加のプライバシチェックをＰＰＲ１０７に要求する追加チェック要求手段１０２８と、この追加のプライバシチェックの結果、過去の測位結果をクライアント１０１に渡しても良い場合、前記過去の測位結果をクライアント１０１へ送る応答送出手段１０２６とを備える。更に、GMLC１１２は、移動機のプライバシ設定情報を保持するGMLC１０２から移動機にかかるプライバシチェック要求メッセージを受信したときに、前記移動機が接続する地域無線網を管理するSGSN/MSC装置１１３に対し、プライバシ要求メッセージを送るメッセージ転送手段１２２１と、SGSN/MSC装置１２３が前記移動機に対して通知もしくは確認処理を行ってプライバシの確認結果を送信してきたときに、この送信された確認結果をGMLC１０２に送信する結果転送手段１２２２とを備える。
【００７３】
次に、第九の実施の形態の主要な動作を、移動機の測位結果をPPRが保持する場合について、図３４を参照して説明する。クライアント１０１が、GMLC１０２に対し移動機の測位を要求すると、GMLC１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、この確認の結果、測位要求が禁止されておらず、測位要求種別が過去の位置でも構わないとき、PPR１０７は前記測位要求された移動機の測位結果を保持しているか確認し、測位結果を保持している場合には、この測位結果が再利用できるかを確認する。これらの確認の結果を受けたGMLC１０２は、再利用可能であり、前記測位要求された移動機への通知が必要である場合、通知／確認手段１０２４を用いて、前記測位要求された移動機が接続する移動通信ネットワークのGMLC１１２に対し、プライバシに関するメッセージを送る。なお、このときGMLC１０２は、HLR/HSS装置に対し、測位要求された移動機が接続する地域無線網を管理するSGSN/MSC装置１１３について問い合わせ、前記HLR/HSS装置は、前記測位要求された移動機が接続する地域無線網を管理するSGSN/MSC装置１１３の情報、および、前記測位要求された移動機が接続する移動通信ネットワークのGMLC１１２の情報を保持している場合は、当該GMLC１１２の情報について返信するといった処理が行われる。GMLC１１２は、メッセージ転送手段１１２５を用いて、前記測位要求された移動機が接続する地域無線網を管理するSGSN/MSC装置１１３に対し、プライバシに関するメッセージを送る。SGSN/MSC装置１１３は、前記測位要求された移動機に対して通知もしくは確認処理を行い、プライバシの確認結果をGMLC１１２に送信する。GMLC１１２は、結果転送手段１１２４を用いて、このプライバシの確認結果をGMLC１０２に送信する。GMLC１０２は、前記プライバシの確認結果が、前記測位対象の移動機の位置情報をクライアント１０１に渡してもよいという結果である場合は、追加チェック要求手段１０２８を用いて、PPR１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をGMLC１０２に送信する。GMLC１０２は、追加のプライバシチェックの結果、問題がなければ、応答送出手段１０２６を用いて測位結果をクライアント１０１に送る。クライアント１０１では、この測位結果を受信手段１０１２を用いて受信する。
【００７４】
次に移動機の測位結果をGMLCが保持する場合の第九の実施の形態の主要な構成の概要を図３５を参照して説明する。この実施の形態においては、クライアント１０１は、過去の位置でも良いかを示す測位要求種別を指定した移動機の測位要求をGMLC１０２に送信する送信手段１０１１と、GMLC１０２からの前記測位要求に対する応答を受信する受信手段１０１２とを備える。また、GMLC１０２は、移動機の過去の測位結果を保持する記憶手段１０２１と、前記クライアント１０１から前記移動機の測位要求を受信したときに、前記移動機のプライバシ設定情報を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果を返してきたときに、前記測位要求が禁止されておらず、測位要求種別が過去の位置でも良い場合、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機の移動先通信ネットワークのGMLC１１２に対し、プライバシチェック要求メッセージを送る通知／確認手段１０２４と、GMLC１１２が、前記移動機が接続する地域無線網を管理するSGSN/MSC装置１１３に対し、プライバシ要求メッセージを送り、SGSN/MSC装置１１３が前記移動機に対して通知もしくは確認処理を行ってプライバシの確認結果を送信し、この送信された確認結果をGMLC１１２が送信してきた場合に、追加のプライバシチェックをＰＰＲ１０７に対して要求する追加チェック要求手段１０２８と、前記追加のプライバシチェックの結果、過去の測位結果をクライアント１０１に渡しても良い場合、前記過去の測位結果をクライアント１０１へ送る応答送出手段１０２６とを備える。また、GMLC１１２は、移動機のプライバシ設定情報を保持するGMLC１０２から移動機にかかるプライバシチェック要求メッセージを受信したときに、前記移動機が接続する地域無線網を管理するSGSN/MSC装置１１３に対し、プライバシ要求メッセージを送るメッセージ転送手段１２２１と、SGSN/MSC装置１１３が前記移動機に対して通知もしくは確認処理を行ってプライバシの確認結果を送信してきたときに、この送信された確認結果をGMLC１０２に送信する結果転送手段１１２４とを備える。
【００７５】
次に、第九の実施の形態の主要な動作を、移動機の測位結果をGMLCが保持する場合について、図３５を参照して説明する。クライアント１０１が、GMLC１０２に対し移動機の測位を要求すると、GMLC１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、このチェックの結果をGMLC１０２に応答する。この応答を受けたGMLC１０２は、測位要求が禁止されておらず、測位要求種別が過去の位置でも構わないとき、前記測位要求された移動機の測位結果を記憶手段１０２１に保持しているか確認し、測位結果を保持している場合には、この測位結果が再利用できるかを確認する。次に、GMLC１０２は、再利用可能であり、前記測位要求された移動機への通知が必要である場合、通知／確認手段１０２４を用いて、前記測位要求された移動機が接続する移動通信ネットワークのGMLC１１２に対し、プライバシに関するメッセージを送る。なお、このときGMLC１０２は、HLR/HSS装置に対し、測位要求された移動機が接続する地域無線網を管理するSGSN/MSC装置１１３について問い合わせ、前記HLR/HSS装置は、前記測位要求された移動機が接続する地域無線網を管理するSGSN/MSC装置１１３の情報、および、前記測位要求された移動機が接続する移動通信ネットワークのGMLC１１２の情報を保持している場合は、当該GMLC１１２の情報について返信するといった処理が行われる。GMLC１１２は、メッセージ転送手段１１２５を用いて、前記測位要求された移動機が接続する地域無線網を管理するSGSN/MSC装置１１３に対し、プライバシに関するメッセージを送る。SGSN/MSC装置１１３は、前記測位要求された移動機に対して通知もしくは確認処理を行い、プライバシの確認結果をGMLC１１２に送信する。GMLC１１２は、結果転送手段１１２４を用いて、このプライバシの確認結果をGMLC１０２に送信する。GMLC１０２は、前記プライバシの確認結果が、前記測位対象の移動機の位置情報をクライアント１１１に渡してもよいという結果である場合は、追加チェック要求手段１０２８を用いて、PPR１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をGMLC１０２に送信する。GMLC１０２は、追加のプライバシチェックの結果、問題がなければ、応答送出手段１０２６を用いて測位結果をクライアント１０１へ送出する。クライアント１０１では、この測位結果を受信手段１０１２を用いて受信する。
【００７６】
【第十の実施の形態の概要】
第十の実施の形態として、先ず、移動機の測位結果をPPRが保持する場合について、主要な構成の概要を図３６を参照して説明する。この実施の形態においては、クライアント１１１は、過去の位置でも良いかを示す測位要求種別を指定した移動機の測位要求をGMLC１１２に送信する送信手段１１１１と、GMLC１１２からの前記測位要求に対する応答を受信する受信手段１１１２とを備える。また、GMLC１１２は、クライアント１１１から移動機の測位要求を受信したときに、前記移動機のプライバシ設定情報を保持する他のGMLC１０２を特定し、この特定したGMLC１０２へ前記受信した前記移動機の測位要求を転送する要求転送手段１１２１と、GMLC１０２から前記移動機にかかるプライバシチェック要求メッセージを受信したときに、前記移動機が接続する地域無線網を管理するSGSN/MSC装置１１３に対し、プライバシ要求メッセージを送り、前記SGSN/MSC装置１１３が前記移動機に対して通知もしくは確認処理を行ってプライバシの確認結果を送信してきたときに、この送信された確認結果をGMLC１０２に送信する転送手段１１２５と、GMLC１０２から前記転送した測位要求に対する応答を受信したときに、この応答をクライアント１１１へ送る応答転送手段１１２２とを備える。更に、GMLC１０２は、前記移動機の測位要求が転送されてきたときに、前記移動機のプライバシ設定情報および過去の測位結果を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果、前記測位要求が禁止されておらず、測位要求種別が過去の位置でも良いとき、前記移動機の過去の測位結果を保持しており且つ保持している測位結果が再利用できるかを確認してプライバシチェックの結果と共に前記過去の測位結果を前記測位処理許可要求の応答として返してきたとき、前記移動機の過去の測位結果を再利用可能であり、前記測位要求された前記移動機への通知もしくは確認が必要である場合に、前記移動機の移動先通信ネットワークのGMLC１１２に対し、プライバシチェック要求メッセージを送り、GMLC１１２からプライバシの確認結果を受信したときに、追加のプライバシチェックを行う追加チェック要求手段１０２８と、この追加のプライバシチェックの結果、過去の測位結果をクライアント１１１に渡しても良い場合、前記過去の測位結果をGMLC１１２へ送る応答送出手段１０２６とを備える。
【００７７】
次に、第十の実施の形態の主要な動作を、移動機の測位結果をPPRが保持する場合について、図３６を参照して説明する。クライアント１１１が、GMLC１１２に対し移動機の測位を要求すると、GMLC１１２は、要求転送手段１１２１を用いて、前記測位要求された移動機のプライバシ設定情報を保持しているGMLC１０２に対して、クライアント１１１からの測位要求を転送する。なお、このときGMLC１１２は、前記測位要求された移動機の情報を管理しているHLR/HSS装置に対し、前記測位要求された移動機のプライバシ設定情報を保持しているGMLC１０２について問い合わせ、前記HLR/HSS装置は、前記測位要求された移動機の情報を保持しているGMLC１０２の情報をGMLC１１２に送るといった処理が行われる。GMLC１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、この確認の結果、測位要求が禁止されておらず、測位要求種別が過去の位置でも構わないとき、PPR１０７は前記測位要求された移動機の測位結果を保持しているか確認し、測位結果を保持している場合には、この測位結果が再利用できるかを確認する。これらの確認の結果を受けたGMLC１０２は、再利用可能であり、前記測位要求された移動機への通知が必要である場合、通知／確認手段１０２４を用いて、前記測位要求された移動機が接続する移動通信ネットワークのGMLC１１２に対し、プライバシに関するメッセージを送る。なお、このときGMLC１０２は、HLR/HSS装置に対し、測位要求された移動機が接続する地域無線網を管理するSGSN/MSC装置１１３について問い合わせ、前記HLR/HSS装置は、前記測位要求された移動機が接続する地域無線網を管理するSGSN/MSC装置１１３の情報、および、前記測位要求された移動機が接続する移動通信ネットワークのGMLC１１２の情報を保持している場合は、当該GMLC１１２の情報について返信するといった処理が行われる。GMLC１１２は、転送手段１１２５を用いて、前記測位要求された移動機が接続する地域無線網を管理するSGSN/MSC装置１１３に対し、プライバシに関するメッセージを送る。SGSN/MSC装置１１３は、前記測位要求された移動機に対して通知もしくは確認処理を行い、プライバシの確認結果をGMLC１１２に送信する。GMLC１１２は、転送手段１１２５を用いて、このプライバシの確認結果をGMLC１０２に送信する。GMLC１０２は、前記プライバシの確認結果が、前記測位対象の移動機の位置情報をクライアント１１１に渡してもよいという結果である場合は、追加チェック要求手段１０２８を用いて、PPR１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をGMLC１０２に送信する。GMLC１０２は、追加のプライバシチェックの結果、問題がなければ、応答送出手段１０２６を用いて測位結果を測位要求を転送してきたGMLC１１２へ送出する。GMLC１１２は、応答転送手段１１２２を用いて、測位結果をクライアント１１１��送る。クライアント１１１では、この測位結果を受信手段１１１２を用いて受信する。
【００７８】
次に移動機の測位結果をGMLCが保持する場合の第十の実施の形態の主要な構成の概要を図３７を参照して説明する。この実施の形態においては、クライアント１１１は、過去の位置でも良いかを示す測位要求種別を指定した移動機の測位要求をGMLC１１２に送信する送信手段１１１１と、GMLC１１２からの前記測位要求に対する応答を受信する受信手段１１１２とを備える。また、GMLC１１２は、クライアント１１１から移動機の測位要求を受信したときに、前記移動機のプライバシ設定情報を保持する他のGMLC１０２を特定し、この特定したGMLC１０２へ前記受信した前記移動機の測位要求を転送する要求転送手段１１２１と、GMLC１０２から前記移動機にかかるプライバシチェック要求メッセージを受信したときに、前記移動機が接続する地域無線網を管理するSGSN/MSC装置１１３に対し、プライバシ要求メッセージを送り、前記SGSN/MSC装置１１３が前記移動機に対して通知もしくは確認処理を行ってプライバシの確認結果を送信してきたときに、この送信された確認結果をGMLC１０２に送信する転送手段１１２５と、GMLC１０２から前記転送した測位要求に対する応答を受信したときに、この応答をクライアント１１１へ送る応答転送手段１１２２とを備える。更に、GMLC１０２は、移動機の過去の測位結果を保持する記憶手段１０２１と、GMLC１１２から前記移動機の測位要求を受信したときに、前記移動機のプライバシ設定情報を保持するＰＰＲ１０７に対して測位処理許可要求を送る測位処理許可要求送出手段１０２７と、前記ＰＰＲ１０７が、前記移動機の前記プライバシ設定情報を参照して前記測位要求を確認し、この確認の結果を返してきたときに、前記測位要求が禁止されておらず、測位要求種別が過去の位置でも良い場合、前記移動機の過去の測位結果を記憶手段１０２１に保持しており且つ保持している測位結果が再利用できるかを確認する再利用性確認手段１０２３と、前記移動機の過去の測位結果を再利用可能であり、前記測位要求された前記移動機への通知もしくは確認が必要である場合に、前記移動機の移動先通信ネットワークのGMLC１１２に対し、プライバシチェック要求メッセージを送る通知／確認手段１０２４と、GMLC１１２が、前記移動機が接続する地域無線網を管理するSGSN/MSC装置１１３に対し、プライバシ要求メッセージを送り、SGSN/MSC装置１１３が前記移動機に対して通知もしくは確認処理を行ってプライバシの確認結果を送信し、この送信された確認結果をGMLC１１２が送信してきた場合に、追加のプライバシチェックをＰＰＲ１０７に対して要求する追加チェック要求手段１０２８と、前記追加のプライバシチェックの結果、過去の測位結果をクライアント１１１に渡しても良い場合、前記過去の測位結果をGMLC１１２へ送る応答送出手段１０２６とを備える。
【００７９】
次に、第十の実施の形態の主要な動作を、移動機の測位結果をGMLCが保持する場合について、図３７を参照して説明する。クライアント１１１が、GMLC１１２に対し移動機の測位を要求すると、GMLC１１２は、要求転送手段１１２１を用いて、前記測位要求された移動機のプライバシ設定情報を保持しているGMLC１０２に対して、クライアント１１１からの測位要求を転送する。なお、このときGMLC１１２は、前記測位要求された移動機の情報を管理しているHLR/HSS装置に対し、前記測位要求された移動機のプライバシ設定情報を保持しているGMLC１０２について問い合わせ、前記HLR/HSS装置は、前記測位要求された移動機の情報を保持しているGMLC１０２の情報をGMLC１１２に送るといった処理が行われる。GMLC１０２は、測位処理許可要求送出手段１０２７を用いて、前記測位要求された移動機のプライバシ設定情報を管理しているＰＰＲ１０７に対し、測位処理許可要求を送信する。この測位処理許可要求を受け取ったＰＰＲ１０７は、測位対象の移動機のプライバシ設定情報に基づいてプライバシチェックを行い、このチェックの結果をGMLC１０２に応答する。この応答を受けたGMLC１０２は、測位要求が禁止されておらず、測位要求種別が過去の位置でも構わないとき、前記測位要求された移動機の測位結果を記憶手段１０２１に保持しているか確認し、測位結果を保持している場合には、この測位結果が再利用できるかを確認する。次に、GMLC１０２は、再利用可能であり、前記測位要求された移動機への通知が必要である場合、通知／確認手段１０２４を用いて、前記測位要求された移動機が接続する移動通信ネットワークのGMLC１１２に対し、プライバシに関するメッセージを送る。なお、このときGMLC１０２は、HLR/HSS装置に対し、測位要求された移動機が接続する地域無線網を管理するSGSN/MSC装置１１３について問い合わせ、前記HLR/HSS装置は、前記測位要求された移動機が接続する地域無線網を管理するSGSN/MSC装置１１３の情報、および、前記測位要求された移動機が接続する移動通信ネットワークのGMLC１１２の情報を保持している場合は、当該GMLC１１２の情報について返信するといった処理が行われる。GMLC１１２は、転送手段１１２５を用いて、前記測位要求された移動機が接続する地域無線網を管理するSGSN/MSC装置１１３に対し、プライバシに関するメッセージを送る。SGSN/MSC装置１１３は、前記測位要求された移動機に対して通知もしくは確認処理を行い、プライバシの確認結果をGMLC１１２に送信する。GMLC１１２は、転送手段１１２５を用いて、このプライバシの確認結果をGMLC１０２に送信する。GMLC１０２は、前記プライバシの確認結果が、前記測位対象の移動機の位置情報をクライアント１１１に渡してもよいという結果である場合は、追加チェック要求手段１０２８を用いて、PPR１０７に対して測位処理許可要求を送信して追加のプライバシチェックを要求する。この測位処理要求を受け取ったＰＰＲ１０７は、測位対象の移動機のプライバシ設定情報に基づいて追加のプライバシチェックを行い、その結果をGMLC１０２に送信する。GMLC１０２は、追加のプライバシチェックの結果、問題がなければ、応答送出手段１０２６を用いて測位結果を測位要求を転送してきたGMLC１１２へ送出する。GMLC１１２は、応答転送手段１１��２を用いて、測位結果をクライアント１１１に送る。クライアント１１１では、この測位結果を受信手段１１１２を用いて受信する。
【００８０】
次に本発明の第一乃至第十の実施の形態について詳細に説明する。
【００８１】
【発明の第一の実施の形態】
本発明の第一の実施の形態について図面を参照して詳細に説明する。
【００８２】
【構成の説明】
図１を参照すると、本発明の第一の実施の形態は、測位要求を移動通信ネットワークに対して送信するclient装置１０１他複数のclient装置と、移動通信ネットワークにおいてclient装置からの測位要求を受け付けるゲートウェイ装置であるGMLC装置１０２他複数のGMLC装置と、ひとつもしくは複数の地域無線網を管理するSGSN/MSC装置１０３他複数のSGSN/MSC装置と、地域無線網（RAN）１０４他複数の地域無線網（RAN）と、測位対象となる移動機であるUE装置１０５他複数のUE装置と、各移動機の接続する地域無線網の情報を保持する移動機データベースであるHLR/HSS装置１０６他複数のHLR/HSS装置などの複数のノードから構成される。ここで地域無線網（RAN）１０４は基地局や基地局制御装置など複数の装置から構成されるのが通常であるが、地域無線網の内部構成は本実施例に影響しないためここでは地域無線網としてまとめて取り扱うものとする。本実施例においては、UE装置１０５が接続する地域無線網を管理するSGSN/MSC装置１０３の情報はHLR/HSS装置１０６に保持される。client装置１０１の情報はGMLC装置１０２に保持される。
【００８３】
【動作の説明】
本発明の第一の実施の形態における測位処理の動作を説明する。
【００８４】
図１および図４から図６を併せ参照して、本発明の第一の実施の形態における外部起動測位（MT-LR）の動作を説明する。
【００８５】
図１および図４から図５を併せ参照して、UE装置１０５等の各UE装置のプライバシ設定情報および過去の測位結果をGMLC装置１０２が保持する場合の外部起動測位（MT-LR）の動作を説明する。
【００８６】
client装置１０１がUE装置１０５の位置を取得する場合の、本発明の動作を図１および図４から図５を用いて説明する。図４は、GMLC装置１０２が保持している過去の測位結果を再利用する場合の、ネットワーク内の各ノードにおける処理および各ノード間で送受されるメッセージフローを示している。図５はGMLC装置１０２における内部処理フローである。client装置１０１は測位要求をGMLC装置１０２に送信する（図４のステップ１）。測位要求には、測位対象であるUE１０５の電話番号等の識別情報、client装置１０１の識別情報、要求する位置情報の種別、要求する位置情報の精度情報（例えば１００ｍ以内といって位置の許容誤差）、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１０２は、必要に応じて自ノードが保持するclient情報を元にclient装置１０１の認証を行ない（図４のステップ２、図５のステップ５０１）、認証に失敗した場合（図５のステップ５０１のNo）にはclient装置１０１にエラーを通知する（図５のステップ５１４）。client装置１０１からの測位要求の受付が許可された場合（図５のステップ５０１のYes）には、GMLC装置１０２は測位対象であるUE装置１０５のプライバシ設定を参照し、UE装置１０５が測位要求を受け付けるかどうかを判断する（図４のステップ３、図５のステップ５０２）。ここで参照されるプライバシ設定としては、要求元のclient装置１０１からの測位要求を受け付けるかどうか、要求されている精度の位置情報をclient装置１０１に渡していいかどうか、要求されている鮮度の位置情報をclient装置１０１に渡していいかどうかなどが挙げられる。また、UE１０６が測位要求を受け付ける条件として通知もしくは確認を必要としているかどうかも確認する。測位要求を受け付けられないと判断した場合（図５のステップ５０２のNo）にはclient装置１０１にエラーを通知する（図５のステップ５１４）。測位要求を受け付けると判断した場合（図５のステップ５０２のYes）には、GMLC装置１０２は測位対象のUE１０５の現在位置（Current）が位置情報種別として要求されているかどうかを判断する（図４のステップ４、図５のステップ５０３）。要求されている位置情報種別が、現在位置でなく過去の位置でも構わない場合（Last known, Last known or Currentのどちらかの場合）には（図５のステップ５０３のNo）、GMLC装置１０２は測位対象のUE装置１０５の過去の測位結果を保持していないかどうかをチェックし��過去の測位結果を保持している場合には過去の測位結果を再利用することができるかどうかを判断する（図５のステップ５０４）。過去の測位結果が再利用できるかどうかを判断する要素としては、client装置１０１から要求されている位置情報の鮮度や精度などが考えられる。また、特定の時刻以降の測位結果である場合のみclient装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され（図５のステップ５０５のYes）、図４のステップ３および図５のステップ２におけるプライバシ設定の確認の結果、UE装置１０５への通知もしくは確認が必要であると判断されていた場合には（図５のステップ５０６のYes）、GMLC装置１０２はUE１０５が接続する地域無線網（RAN）を管理するSGSN/MSC装置の情報をHLR/HSS装置１０６に問い合わせる（図４のステップ５、図５のステップ５０７）。HLR/HSS装置１０６は、GMLC装置１０２からの問い合わせに対して、UE装置１０５が接続する地域無線網（RAN）１０４を管理するSGSN/MSC装置１０３の情報を返信する（図４のステップ６）。HLR/HSS装置１０６からSGSN/MSC装置１０３の情報を受け取ることができなかった場合（図５のステップ５０８のNo）には、GMLC装置１０２はclient装置１０１にエラーを通知する（図５のステップ５１４）。HLR/HSS装置１０６からSGSN/MSC装置１０３の情報を受け取ったGMLC装置１０２は（図５のステップ５０８のYes）、SGSN/MSC装置１０３に対してプライバシチェック要求メッセージを送信する（図４のステップ７、図５のステップ５０９）。プライバシチェック要求メッセージには、UE１０５に対する通知だけが必要なのか確認（UE１０５からの測位を許可するという応答）も必要なのかの区別と、client装置１０１の情報などUE１０５に通知すべき情報が含まれている。プライバシ要求メッセージとしては、従来例における測位要求メッセージに特定のパラメータを付加して送信することで、受信側であるSGSN/MSC装置１０３においてプライバシチェック要求メッセージであると判断することも可能であるし、プライバシチェック要求用に専用のメッセージを追加定義することも可能である。GMLC装置１０２からのプライバシチェック要求メッセージを受信したSGSN/MSC装置１０３は、UE装置１０５に対して通知もしくは確認処理を行なう（図４のステップ８）。プライバシチェックを行なったSGSN/MSC装置１０３は、プライバシチェック結果をGMLC装置１０２に送信する（図４のステップ９）。SGSN/MSC装置１０３におけるプライバシチェック結果が位置情報をclient装置１０１に渡してはいけないという結果であった場合には（図５のステップ５１０のNo）には、GMLC装置１０２はclient装置１０１にエラーを通知する（図５のステップ５１４）。SGSN/MSC装置１０３におけるプライバシチェック結果が位置情報をclient装置１０１に渡してもよいという結果であった場合には（図５のステップ５１０のYes）、GMLC装置１０２は測位対象のUE装置１０５のプライバシ設定を参照し、位置情報をclient装置１０１に送信してよいかどうかを判断する（図４のステップ１０、図５のステップ５１１）。このプライバシチェックにおいては、UE装置１０５がclient装置１０１に測位結果を渡しても良いと設定している時間帯や場所のチェックを行ない、測位が行なわれた時刻や場所がUE装置１０５が許可している時間帯や場所でない場合には、エラー通知をclient装置１０１に送信する。測位結果の位置精度がUE装置１０５がclient装置１０１に提供することを許可している位置精度よりも良かった場合には、GMLC装置１０２において位置精度を劣化させる位置情報加工処理を行なうことも考えられる。図４のステップ１０、図５のステップ５１１におけるプライバシチェック結果が位置情報をclient装置１０１に渡してはいけないという結果であった場合には（図５のステップ５１２のNo）には、GMLC装置１０２はclient装置１０１にエラーを通知する（図５のステップ５１４）。プライバシチェック結果が位置情報をclient装置１０１に渡してもよいという結果であった場合には（図５のステップ５１２のYes）、GMLC装置１０２は測位対象端末１０５の位置情報をclient装置１０１に送信する（図４のステップ１１、図５のステップ５１３）。
【００８７】
上記の処理において、client装置１０１が現在位置を要求している場合（図５のステップ５０３のYes）および、client装置１０１が要求している精度や鮮度を満たす過去の測位結果をGMLC装置１０２が保持していない場合（図５のステップ５０５のNo）には、GMLC装置１０２は図２に示した従来例と同様にUE装置１０５の位置をSGSN/MSC装置に問い合わせる。GMLC装置１０２はUE１０５が接続する地域無線網（RAN）を管理するSGSN/MSC装置の情報をHLR/HSS装置１０６に問い合わせる（図２のステップ２、図５のステップ５１５）。HLR/HSS装置１０６は、GMLC装置１０２からの問い合わせに対して、UE装置１０５が接続する地域無線網（RAN）１０４を管理するSGSN/MSC装置１０３の情報を返信する（図２のステップ３）。HLR/HSS装置１０６からSGSN/MSC装置１０３の情報を受け取ることができなかった場合（図５のステップ５１６のNo）には、GMLC装置１０２はclient装置１０１にエラーを通知する（図５のステップ５１４）。HLR/HSS装置１０６からSGSN/MSC装置１０３の情報を受け取ったGMLC装置１０２は（図５のステップ５１６のYes）、SGSN/MSC装置１０３に対して測位要求メッセージを送信する（図２のステップ４、図５のステップ５１７）。測位要求を受け取ったSGSN/MSC装置１０３はUE装置１０５のプライバシ設定を参照してプライバシチェックを行ない測位要求を受け付けてもいいかどうかを判断する(図２のステップ５)。図２のステップ５のプライバシチェックにおいては、UE装置１０５への通知もしくは確認が必要であると判断された場合には、SGSN/MSC装置１０３はUE装置１０５と通知もしくは確認のためのメッセージを送受する。図２のステップ５において測位要求を受け付けてもよいと判断した場合には、SGSN/MSC装置１０３はRAN１０４、UE装置１０５と連携してUE装置１０５の位置を測定する(図２のステップ６)。その後、SGSN/MSC装置１０３は測位結果をGMLC装置１０２に返信する(図２のステップ７)。測位結果を受け取ったGMLC装置１０２は、受け取った測位結果をその精度、鮮度に関する情報と共に内部に保存し、過去の測位結果を再利用する場合と同様に図４のステップ１０以降、図５のステップ５１０以降の処理を継続する。
【００８８】
図１および図６を併せ参照して、UE装置１０５等の各UE装置のプライバシ設定情報および過去の測位結果をSGSN/MSC装置１０３が保持する場合の外部起動測位（MT-LR）の動作を説明する。
【００８９】
図６は、SGSN/MSC装置１０３が保持している過去の測位結果を再利用する場合の、ネットワーク内の各ノードにおける処理および各ノード間で送受されるメッセージフローを示している。図６におけるステップ１からステップ５までとステップ９、１０は、図２に示す従来例のステップ１からステップ５までとステップ８、９と同一である。図２に示す従来例においてはステップ５におけるプライバシチェック終了後にステップ６として測位処理を起動していたが、本発明においては測位処理を起動する前にSGSN/MSC装置１０３が保持している位置情報のチェックを行なう。SGSN/MSC装置１０３は測位対象のUE１０５の現在位置（Current）が位置情報種別として要求されているかどうかを判断し、要求されている位置情報種別が現在位置でなく過去の位置でも構わない場合（Last known, Last known or Currentのどちらかの場合）には、測位対象のUE１０６の過去の測位結果を保持していないかどうかをチェックし、過去の測位結果を保持している場合には過去の測位結果を再利用することができるかどうかを判断する（図６のステップ６）。過去の測位結果が再利用できるかどうかを判断する要素としては、client装置１０１から要求されている位置情報の鮮度や精度などが考えられる。また、特定の時刻以降の測位結果である場合のみclient装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断された場合には、SGSN/MSC装置１０３は測位処理(図６のステップ７)をスキップする。過去の測位結果が再利用できない場合には、SGSN/MSC装置１０３は測位処理を行なう（図６のステップ７）。測位処理で得られた位置情報は、その精度、鮮度の情報と共に内部に記憶する。過去の測位結果もしくは測位処理によってUE装置１０５の位置情報を取得したSGSN/MSC装置１０３は、測位対象のUE装置１０５のプライバシ設定を参照し、位置情報をclient装置１０１に送信してよいかどうかを判断する（図６のステップ８）。このプライバシチェックにおいては、UE装置１０５がclient装置１０１に測位結果を渡しても良いと設定している時間帯や場所のチェックを行ない、測位が行なわれた時刻や場所がUE装置１０５が許可している時間帯や場所でない場合には、エラー通知をclient装置１０１に送信する。測位結果の位置精度がUE装置１０５がclient装置１０１に提供することを許可している位置精度よりも良かった場合には、SGSN/MSC装置１０３において位置精度を劣化させる位置情報加工処理を行なうことも考えられる。その後、SGSN/MSC装置１０３は測位結果をGMLC装置１０２に返信し（図６のステップ９）、GMLC装置１０２はClient装置１０１に転送する(図６のステップ１０)。
【００９０】
図４、図５および図６に示した外部起動測位（MT-LR）の動作の他の実施例としては、プライバシ情報をGMLC装置１０２が保持し過去の測位結果はSGSN/MSC装置１０３が保持し、プライバシチェックはGMLC装置１０２が実行しSGSN/MSC装置１０３が位置情報チェックを行なう実施例、または過去の測位情報をGMLC装置１０２が保持しプライバシ情報はSGSN/MSC装置１０３が保持し、位置情報チェックはGMLC装置１０２が実行しプライバシチェックをSGSN/MSC装置１０３が行なうという実施例などが考えられる。
【００９１】
図１および図７を併せ参照して、各UE装置の過去の測位結果をSGSN/MSC装置１０３等のSGSN/MSC装置が保持する場合の端末起動測位（MO-LR）の動作を説明する。
【００９２】
図７はSGSN/MSC装置１０３が過去の測位結果を保持する場合の、ネットワーク内の各ノードにおける処理および各ノード間で送受されるメッセージフローを示している。端末起動測位（MO-LR）においては、UE装置１０５はSGSN/MSC装置１０３に対して測位要求を送信する（図７のステップ１）。本発明においては、UE装置１０５が送信する測位要求には、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。
【００９３】
SGSN/MSC装置１０３は測位対象のUE１０５の現在位置（Current）が位置情報種別として要求されているかどうかを判断し、要求されている位置情報種別が、現在位置でなく過去の位置でも構わない場合（Last known, Last known or Currentのどちらかの場合）には、SGSN/MSC装置１０３は測位対象のUE装置１０５の過去の測位結果を保持していないかどうかをチェックし、過去の測位結果を保持している場合には過去の測位結果を再利用することができるかどうかを判断する（図７のステップ２）。過去の測位結果が再利用できるかどうかを判断する要素としては、UE装置１０５から要求されている位置情報の鮮度や精度などが考えられる。過去の測位結果が要求される精度、要求される鮮度などの条件を満たし再利用が可能であると判断された場合には、測位処理（図７のステップ３）をスキップし、測位結果をUE装置１０５に返送する（図７のステップ４）。測位結果を再利用できないと判断した場合には、測位処理を行い（図７のステップ３）、測位結果をUE装置１０５に返送する（図７のステップ４）。測位結果を受け取ったUE装置１０５は必要に応じて位置精度を劣化させる位置情報加工処理を行なうことも考えられる。
【００９４】
測位結果をUE装置１０５が保持する実施例も考えることができ、その場合にはUE装置１０５はSGSN/MSC装置１０３に測位要求を送信する前に自局が保持する過去の測位結果を確認し、過去の測位結果が要求される精度、要求される鮮度などの条件を満たし再利用が可能であると判断された場合には、SGSN/MSC装置１０３に測位要求を投げないことも考えられる。
【００９５】
【発明の第二の実施の形態】
本発明の第二の実施の形態について図面を参照して詳細に説明する。
【００９６】
【構成の説明】
図８を参照すると、本発明の第二の実施の形態は、測位要求を移動通信ネットワークに対して送信するclient装置１０１、１１１他複数のclient装置と、移動通信ネットワークにおいてclient装置からの測位要求を受け付けるゲートウェイ装置であるGMLC装置１０２、１１２他複数のGMLC装置と、ひとつもしくは複数の地域無線網を管理するSGSN/MSC装置１０３、１１３他複数のSGSN/MSC装置と、地域無線網（RAN）１０４、１１４他複数の地域無線網（RAN）と、測位対象となる移動機であるUE装置１０５、１１５他複数のUE装置と、各移動機の接続する地域無線網の情報を保持する移動機データベースであるHLR/HSS装置１０６、１１６他複数のHLR/HSS装置などの複数のノードから構成される。ここで地域無線網（RAN）１０４、１１４は基地局や基地局制御装置など複数の装置から構成されるのが通常であるが、地域無線網の内部構成は本実施例に影響しないためここでは地域無線網としてまとめて取り扱うものとする。client装置１０１、GMLC装置１０２、SGSN/MSC装置１０３、RAN１０４およびHLR/HSS装置１０６から構成される移動通信ネットワークは、client装置１１１、GMLC装置１１２、SGSN/MSC装置１１３、RAN１１４およびHLR/HSS装置１１６から構成される移動通信ネットワークを運用する移動通信事業者と同じ移動通信事業者が運営する場合も考えられるし、異なる移動通信事業者が運営する場合も考えられる。UE装置１０５、１１５は地域無線網１０４、１１４他複数の地域無線網への接続を任意に切り替えられるものとする。本実施例においては、UE装置１０５が接続する地域無線網を管理するSGSN/MSC装置の情報はHLR/HSS装置１０６に保持され、UE装置１１５が接続する地域無線網を管理するSGSN/MSC装置の情報はHLR装置１１６に保持されるものとする。また、UE装置１０５のプライバシ保護に関する情報はGMLC装置１０２に保持され、UE装置１１５のプライバシ保護に関する情報はGMLC装置１１２に保持されるものとする。HLR/HSS装置１０６はUE装置１０５のプライバシ保護に関する情報がGMLC装置１０２に保持されていることを記憶しており、HLR/HSS装置１１６はUE装置１１５のプライバシ保護に関する情報がGMLC装置１１２に保持されていることを記憶している。client装置１０１の情報はGMLC装置１０２に保持され、client装置１１１の情報はGMLC装置１１２に保持される。
【００９７】
【動作の説明】
次に、図８〜図９を併せ参照して、本発明の第二の実施の形態における外部起動測位の動作を説明する。
【００９８】
図８および図９を併せ参照して、UE装置１０５のプライバシ設定情報および過去の測位結果をGMLC装置１０２が保持する場合に、client装置１１１がUE装置１０５の位置を取得するための動作を説明する。本実施例におけるGMLC装置１０２の処理は図５に示した処理となる。図９は、GMLC装置１０２が保持している過去の測位結果を再利用する場合の、ネットワーク内の各ノードにおける処理および各ノード間で送受されるメッセージフローを示している。client装置１１１は測位要求をGMLC装置１１２に送信する（図９のステップ１）。測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１１２は、必要に応じてclient装置１１１の認証を行ない、認証に失敗した場合にはclient装置１１１にエラーを通知する（図９のステップ２）。client装置１１１からの測位要求の受付が許可された場合には、GMLC装置１１２は測位対象であるUE１０５の情報を管理しているHLR/HSS装置１０６に対して、UE１０５のプライバシ設定情報を保持しているGMLC装置の情報を問い合わせる（図９のステップ３）。HLR/HSS装置１０６はGMLC装置１１２からの要求を受け取ると、UE１０５のプライバシ設定情報を保持しているGMLC装置がGMLC装置１０２であるという情報をGMLC装置１１２へ渡していいかどうかを判断し、渡しても良いと判断した場合にはGMLC装置１０２の情報をGMLC装置１１２へ送信する（図９のステップ４）。図９のステップ４において送信されるGMLC装置１０２の情報とは、GMLC装置１０２のネットワークアドレスであるが、GMLC装置１０２の識別情報、GMLC装置１０２の具備する能力などの付加情報を一緒に送信することも可能である。図９のステップ１によりclient装置１１１からの測位要求を受け取ったGMLC装置１１２が、測位対象であるUE１０５のプライバシ設定情報を保持しているGMLC装置１０２のネットワークアドレス等の情報をすでに知っていた場合には、図９のステップ３および図９のステップ４は省略することも可能である。次にGMLC装置１１２は、client装置１１１からの測位要求をUE装置１０５のプライバシ設定情報を保持しているGMLC装置１０２に対して転送する（図９のステップ５）。GMLC装置１１２はclient装置１１１からの測位要求をGMLC装置１０２に転送する際に、GMLC装置１１２が保持しているclient装置情報の一部を転送する場合もある。転送されるclient装置情報には、位置情報の表記方法等のclient装置１１１がサポートしている機能に関する情報が含まれる。また、転送される測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。転送されてきた測位要求を受け取ったGMLC装置１０２は、GMLC装置１１２からの測位要求を受け付けるかどうかを判断し、受け付けないと判断した場合にはエラーをGMLC装置１１２に送信する。測位要求を受け付けると判断した場合には、GMLC装置１０２は管理している測位対象のUE１０５のプライバシ設定情報を参照しclient装置１１１からの測位要求をUE１０５が受け付けるかどうかを判断する（図９のステップ６）。ここで行なわれるプライバシチェックでは、client装置１１１が要求する位置精度と、UE装置１０５がclient装置１１１に渡すことを許可している位置精度との整合性のチェックなどが行なわれる。また、UE１０５が測位要求を受け付ける条件として通知もしくは確認を必要としているかどうかも確認する。GMLC装置１０２は、プライバシチェックの結果、UE装置１０５がclient装置１１１からの測位要求を受け付けないと判断した場合には、GMLC装置１１２にエラーを通知し、エラー通知を受け取ったGMLC装置１１２はclient装置１１１にエラーを通知する。GMLC装置１０２は、プライバシチェックの結果、UE装置１０５がclient装置１１１からの測位要求を測位要求を受け付けると判断した場合には、GMLC装置１０２は測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、GMLC装置１０２は測位対象のUE装置１０５の過去の測位結果を保持していないかどうかをチェックし、過去の測位結果を保持している場合には過去の測位結果を再利用することができるかどうかを判断する（図９のステップ７）。過去の測位結果が再利用できるかどうかを判断する要素としては、client装置１１１から要求されている位置情報の鮮度や精度などが考えられる。また、特定の時刻以降の測位結果である場合のみclient装置１１１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図９のステップ６におけるプライバシ設定の確認の結果、UE装置１０５への通知もしくは確認が不要であると判断された場合には、図９のステップ８から１２は省略される。図９のステップ６におけるプライバシ設定の確認の結果、UE装置１０５への通知もしくは確認が必要であると判断されていた場合には、GMLC装置１０２はUE１０５が接続する地域無線網（RAN）を管理するSGSN/MSC装置の情報をHLR/HSS装置１０６に問い合わせる（図９のステップ８）。HLR/HSS装置１０６は、GMLC装置１０２からの問い合わせに対して、UE装置１０５が接続する地域無線網（RAN）１０４を管理するSGSN/MSC装置１０３の情報を返信する（図９のステップ９）。HLR/HSS装置１０６からSGSN/MSC装置１０３の情報を受け取ることができなかった場合には、GMLC装置１０２はGMLC装置１１２にエラーを通知し、エラー通知を受け取ったGMLC装置１１２はclient装置１１１にエラーを通知する。HLR/HSS装置１０６からSGSN/MSC装置１０３の情報を受け取ったGMLC装置１０２は、SGSN/MSC装置１０３に対してプライバシチェック要求メッセージを送信する（図９のステップ１０）。プライバシチェック要求メッセージには、UE１０５に対する通知だけが必要なのか確認（UE１０５からの測位を許可するという応答）も必要なのかの区別と、client装置１１１の情報などUE１０５に通知すべき情報が含まれている。プライバシ要求メッセージとしては、従来例における測位要求メッセージに特定のパラメータを付加して送信することで受信側であるSGSN/MSC装置１０３においてプライバシチェック要求メッセージであると判断することも可能であるし、プライバシチェック要求用に専用のメッセージを追加定義することも可能である。GMLC装置１０２からのプライバシチェック要求メッセージを受信したSGSN/MSC装置１０３は、UE装置１０５に対して通知もしくは確認処理を行なう（図９のステップ１１）。プライバシチェックを行なったSGSN/MSC装置１０３は、プライバシチェック結果をGMLC装置１０２に送信する（図９のステップ１２）。SGSN/MSC装置１０３におけるプライバシチェック結果が位置情報をclient装置１１１に渡してはいけないという結果であった場合には、GMLC装置１０２はGMLC装置１１２にエラーを通知し、エラー通知を受け取ったGMLC装置１１２はclient装置１１１にエラーを通知する。SGSN/MSC装置１０３におけるプライバシチェック結果が位置情報をclient装置１１１に渡してもよいという結果であった場合には、GMLC装置１０２は測位対象のUE装置１０５のプライバシ設定を参照し、位置情報をclient装置１１１に送信してよいかどうかを判断する（図９のステップ１３）。このプライバシチェックにおいては、UE装置１０５がclient装置１１１に測位結果を渡しても良いと設定している時間帯や場所のチェックを行ない、測位が行なわれた時刻や場所がUE装置１０５が許可している時間帯や場所でない場合には、GMLC装置１０２はGMLC装置１１２にエラーを通知し、エラー通知を受け取ったGMLC装置１１２はclient装置１１１にエラーを通知する。図９のステップ１３におけるプライバシチェックにおいて、測位結果の位置精度がUE装置１０５がclient装置１１１に提供することを許可している位置精度よりも良かった場合には、GMLC装置１０２において位置精度を劣化させる位置情報加工処理を行なうことも考えられる。図９のステップ１３におけるプライバシチェック結果が位置情報をclient装置１１１に渡してもよいという結果であった場合には、GMLC装置１０２は測位結果をGMLC装置１１２に転送する（図９のステップ１４）。GMLC装置１０２からの測位結果を受け取ったGMLC装置１１２は、保持しているclient装置１１１の情報に従って、位置の表現形式の変換等の測位結果の加工を行なった後、client装置１１１に測位結果を送信し（図９のステップ１５）、測位処理を終了する。
【００９９】
【発明の第三の実施の形態】
本発明の第三の実施の形態について図面を参照して詳細に説明する。
【０１００】
【構成の説明】
図１０を参照すると、本発明の第三の実施の形態は、測位要求を移動通信ネットワークに対して送信するclient装置１０１、１１１、１２１他複数のclient装置と、移動通信ネットワークにおいてclient装置からの測位要求を受け付けるゲートウェイ装置であるGMLC装置１０２、１１２、１２２他複数のGMLC装置と、ひとつもしくは複数の地域無線網を管理するSGSN/MSC装置１０３、１１３、１２３他複数のSGSN/MSC装置と、地域無線網（RAN）１０４、１１４、１２４他複数の地域無線網（RAN）と、測位対象となる移動機であるUE装置１０５、１１５、１２５他複数のUE装置と、各移動機の接続する地域無線網の情報を保持する移動機データベースであるHLR/HSS装置１０６、１１６、１２６他複数のHLR/HSS装置などの複数のノードから構成される。ここで地域無線網（RAN）１０４、１１４、１２４は基地局や基地局制御装置など複数の装置から構成されるのが通常であるが、地域無線網の内部構成は本実施例に影響しないためここでは地域無線網としてまとめて取り扱うものとする。client装置１０１、GMLC装置１０２、SGSN/MSC装置１０３、RAN１０４およびHLR/HSS装置１０６から構成される移動通信ネットワークは、client装置１１１、GMLC装置１１２、SGSN/MSC装置１１３、RAN１１４およびHLR/HSS装置１１６から構成される移動通信ネットワークを運用する移動通信事業者と同じ移動通信事業者が運営する場合も考えられるし、異なる移動通信事業者が運営する場合も考えられる。client装置１２１、GMLC装置１２２、SGSN/MSC装置１２３、RAN１２４およびHLR/HSS装置１２６から構成される移動通信ネットワークに関しても同様に、他の移動通信ネットワークを運用する移動通信事業者と同じ移動通信事業者が運営する場合も考えられるし、異なる移動通信事業者が運営する場合も考えられる。UE装置１０５、１１５、１２５は地域無線網１０４、１１４、１２４他複数の地域無線網への接続を任意に切り替えられるものとする。本実施例においては、UE装置１０５が接続する地域無線網を管理するSGSN/MSC装置の情報はHLR/HSS装置１０６に保持され、UE装置１１５が接続する地域無線網を管理するSGSN/MSC装置の情報はHLR装置１１６に保持され、UE装置１２５が接続する地域無線網を管理するSGSN/MSC装置の情報はHLR装置１２６に保持されるものとする。また、UE装置１０５のプライバシ保護に関する情報はGMLC装置１０２に保持され、UE装置１１５のプライバシ保護に関する情報はGMLC装置１１２に保持され、UE装置１２５のプライバシ保護に関する情報はGMLC装置１２２に保持されるものとする。HLR/HSS装置１０６はUE装置１０５のプライバシ保護に関する情報がGMLC装置１０２に保持されていることを記憶しており、HLR/HSS装置１１６はUE装置１１５のプライバシ保護に関する情報がGMLC装置１１２に保持されていることを記憶しており、HLR/HSS装置１２６はUE装置１２５のプライバシ保護に関する情報がGMLC装置１２２に保持されていることを記憶している。client装置１０１の情報はGMLC装置１０２に保持され、client装置１１１の情報はGMLC装置１１２に保持され、client装置１２１の情報はGMLC装置１２２に保持される。本実施例においては、UE装置１０５が接続する移動通信ネットワークのGMLC装置の情報がHLR/HSS装置１０６に保持され、UE装置１１５が接続する移動通信ネットワークのGMLC装置の情��がHLR装置１１６に保持され、UE装置１２５が接続する移動通信ネットワークのGMLC装置の情報がHLR装置１２６に保持されるものとする。本実施の形態においては、UE装置１０５はRAN１２４に接続しているものとする。
【０１０１】
【動作の説明】
次に、図１０〜図１１を併せ参照して、本発明の第三の実施の形態における外部起動測位の動作を説明する。
【０１０２】
図１０および図１１を併せ参照して、UE装置１０５のプライバシ設定情報および過去の測位結果をGMLC装置１０２が保持する場合に、client装置１１１がUE装置１０５の位置を取得するための動作を説明する。図１１は、GMLC装置１０２が保持している過去の測位結果を再利用する場合の、ネットワーク内の各ノードにおける処理および各ノード間で送受されるメッセージフローを示している。client装置１１１は測位要求をGMLC装置１１２に送信する（図１１のステップ１）。測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１１２は、必要に応じてclient装置１１１の認証を行ない（図１１のステップ２）、認証に失敗した場合にはclient装置１１１にエラーを通知する。client装置１１１からの測位要求の受付が許可された場合には、GMLC装置１１２は測位対象であるUE１０５の情報を管理しているHLR/HSS装置１０６に対して、UE１０５のプライバシ設定情報を保持しているGMLC装置の情報を問い合わせる（図１１のステップ３）。HLR/HSS装置１０６はGMLC装置１１２からの要求を受け取ると、UE１０５のプライバシ設定情報を保持しているGMLC装置がGMLC装置１０２であるという情報をGMLC装置１１２へ渡していいかどうかを、通信ネットワークシステム間の契約内容に基づいて判断し、渡しても良いと判断した場合にはGMLC装置１０２の情報をGMLC装置１１２へ送信する（図１１のステップ４）。図１１のステップ４において送信されるGMLC装置１０２の情報とは、GMLC装置１０２のネットワークアドレスであるが、GMLC装置１０２の識別情報、GMLC装置１０２の具備する能力などの付加情報を一緒に送信することも可能である。図１１のステップ１によりclient装置１１１からの測位要求を受け取ったGMLC装置１１２が、測位対象であるUE１０５のプライバシ設定情報を保持しているGMLC装置１０２のネットワークアドレス等の情報をすでに知っていた場合には、図１１のステップ３および図１１のステップ４は省略することも可能である。次にGMLC装置１１２は、client装置１１１からの測位要求をUE装置１０５のプライバシ設定情報を保持しているGMLC装置１０２に対して転送する（図１１のステップ５）。GMLC装置１１２はclient装置１１１からの測位要求をGMLC装置１０２に転送する際に、GMLC装置１１２が保持しているclient装置情報の一部を転送する場合もある。転送されるclient装置情報には、位置情報の表記方法等のclient装置１１１がサポートしている機能に関する情報が含まれる。また、転送される測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。転送されてきた測位要求を受け取ったGMLC装置１０２は、GMLC装置１１２からの測位要求を受け付けるかどうかを、あらかじめ測位要求を受け付け可能なGMLCのアドレスを設定してある一覧を参照して判断し、受け付けないと判断した場合にはエラーをGMLC装置１１２に送信する。測位要求を受け付けると判断した場合には、GMLC装置１０２は管理している測位対象のUE１０５のプライバシ設定情報を参照しclient装置１１１からの測位要求をUE１０５が受け付けるかどうかを判断する（図１１のステップ６）。ここで行なわれるプライバシチェックでは、client装置１１１が要求する位置精度と、UE装置１０５がclient装置１１１に渡すことを許可している位置精度との整合性のチェックなども行なわれる。また、UE１０５が測位要求を受け付ける条件として通知もしくは確認を必要としているかどうかも確認する。GMLC装置１０２は、プライバシチェックの結果、UE装置１０５がclient装置１１１からの測位要求を受け付けないと判断した場合には、GMLC装置１１２にエラーを通知し、エラー通知を受け取ったGMLC装置１１２はclient装置１１１にエラーを通知する。GMLC装置１０２は、プライバシチェックの結果、UE装置１０５がclient装置１１１からの測位要求を受け付けると判断した場合には、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、GMLC装置１０２は測位対象のUE装置１０５の過去の測位結果を保持していないかどうかをチェックし、過去の測位結果を保持している場合には過去の測位結果を再利用することができるかどうかを判断する（図１１のステップ７）。過去の測位結果が再利用できるかどうかを判断する要素としては、client装置１１１から要求されている位置情報の鮮度や精度などが考えられる。また、特定の時刻以降の測位結果である場合のみclient装置１１１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図１１のステップ６におけるプライバシ設定の確認の結果、UE装置１０５への通知もしくは確認が不要であると判断された場合には、図１１のステップ８から１４は省略される。図１１のステップ６におけるプライバシ設定の確認の結果、UE装置１０５への通知もしくは確認が必要であると判断されていた場合には、GMLC装置１０２はUE１０５が接続する地域無線網（RAN）を管理するSGSN/MSC装置の情報をHLR/HSS装置１０６に問い合わせる（図１１のステップ８）。HLR/HSS装置１０６は、GMLC装置１０２からの問い合わせに対して、UE装置１０５が接続する地域無線網（RAN）１２４を管理するSGSN/MSC装置１２３の情報を返信する（図１１のステップ９）。ここでHLR/HSS装置１０６は、UE装置１０５が接続する移動通信ネットワークのGMLC装置１２２のネットワークアドレス等の情報を保持していた場合には、前記SGSN/MSC装置１２３の情報と合わせてGMLC装置１０２に返信する。GMLC装置１０２はHLR/HSS装置１０６からSGSN/MSC装置１２３の情報を受け取ることができなかった場合には、GMLC装置１１２にエラーを通知し、エラー通知を受け取ったGMLC装置１１２はclient装置１１１にエラーを通知する。HLR/HSS装置１０６からSGSN/MSC装置１２３の情報と共にGMLC装置１２２の情報を受け取った場合には、GMLC装置１０２はGMLC装置１２２に対してプライバシチェック要求メッセージを送信する（図１１のステップ１０）。HLR/HSS装置１０６からGMLC装置１２２の情報を受け取ることができなかった場合には、GMLC装置１０２は、SGSN/MSC装置１２３に対してプライバシチェック要求メッセージを送信する。GMLC装置１０２からプライバシチェック要求メッセージを受け取ったGMLC装置１２２は、SGSN/MSC装置１２３に対してプライバシチェック要求メッセージを送信する（図１１のステップ１１）。プライバシチェック要求メッセージには、UE１０５に対する通知だけが必要なのか確認（UE１０５からの測位を許可するという応答）も必要なのかの区別と、client装置１１１の情報などUE１０５に通知すべき情報が含まれている。プライバシ要求メッセージとしては、従来例における測位要求メッセージに特定のパラメータを付加して送信することで受信側であるSGSN/MSC装置１２３においてプライバシチェック要求メッセージであると判断することも可能であるし、プライバシチェック要求用に専用のメッセージを追加定義することも可能である。GMLC装置１２２もしくはGMLC装置１０２からのプライバシチェック要求メッセージを受信したSGSN/MSC装置１２３は、UE装置１０５に対して通知もしくは確認処理を行なう（図１１のステップ１２）。プライバシチェックを行なったSGSN/MSC装置１２３は、プライバシチェック結果をGMLC装置１２２に送信する（図１１のステップ１３）。SGSN/MSC装置１２３からのプライバシチェック結果を受信したGMLC装置１２２は、プライバシチェック結果をGMLC装置１０２に送信する（図１１のステップ１４）。図１１のステップ１３において、SGSN/MSC装置１２３がプライバシチェック要求をGMLC装置１０２から受け取っていた場合には、SGSN/MSC装置１２３は、プライバシチェック結果をGMLC装置１０２に送信する。SGSN/MSC装置１２３におけるプライバシチェック結果が位置情報をclient装置１１１に渡してはいけないという結果であった場合には、GMLC装置１０２はGMLC装置１１２にエラーを通知し、エラー通知を受け取ったGMLC装置１１２はclient装置１１１にエラーを通知する。SGSN/MSC装置１２３におけるプライバシチェック結果が位置情報をclient装置１１１に渡してもよいという結果であった場合には、GMLC装置１０２は測位対象のUE装置１０５のプライバシ設定を参照し、位置情報をclient装置１１１に送信してよいかどうかを判断する（図１１のステップ１５）。このプライバシチェックにおいては、UE装置１０５がclient装置１１１に測位結果を渡しても良いと設定している時間帯や場所のチェックを行ない、測位が行なわれた時刻や場所がUE装置１０５が許可している時間帯や場所でない場合には、GMLC装置１０２はGMLC装置１１２にエラーを通知し、エラー通知を受け取ったGMLC装置１１２はclient装置１１１にエラーを通知する。図１１のステップ１５におけるプライバシチェックにおいて、測位結果の位置精度がUE装置１０５がclient装置１１１に提供することを許可している位置精度よりも良かった場合には、GMLC装置１０２において位置精度を劣化させる位置情報加工処理を行なうことも考えられる。図１１のステップ１５におけるプライバシチェック結果が位置情報をclient装置１１１に渡してもよいという結果であった場合には、GMLC装置１０２は測位結果をGMLC装置１１２に転送する（図１１のステップ１６）。GMLC装置１０２からの測位結果を受け取ったGMLC装置１１２は、保持しているclient装置１１１の情報に従って、必要ならば位置の表現形式の変換等の測位結果の加工を行なった後、client装置１１１に測位結果を送信し（図１１のステップ１７）、測位処理を終了する。
【０１０３】
【発明の第四の実施の形態】
本発明の第四の実施の形態について図面を参照して詳細に説明する。
【０１０４】
【構成の説明】
図１２を参照すると、本発明の第四の実施の形態は、測位要求を移動通信ネットワークに対して送信するclient装置１０１、１１１他複数のclient装置と、移動通信ネットワークにおいてclient装置からの測位要求を受け付けるゲートウェイ装置であるGMLC装置１０２、１１２他複数のGMLC装置と、ひとつもしくは複数の地域無線網を管理するSGSN/MSC装置１０３、１１３他複数のSGSN/MSC装置と、地域無線網（RAN）１０４、１１４他複数の地域無線網（RAN）と、測位対象となる移動機であるUE装置１０５、１１５他複数のUE装置と、各移動機の接続する地域無線網の情報を保持する移動機データベースであるHLR/HSS装置１０６、１１６他複数のHLR/HSS装置などの複数のノードから構成される。ここで地域無線網（RAN）１０４、１１４は基地局や基地局制御装置など複数の装置から構成されるのが通常であるが、地域無線網の内部構成は本実施例に影響しないためここでは地域無線網としてまとめて取り扱うものとする。client装置１０１、GMLC装置１０２、SGSN/MSC装置１０３、RAN１０４およびHLR/HSS装置１０６から構成される移動通信ネットワークは、client装置１１１、GMLC装置１１２、SGSN/MSC装置１１３、RAN１１４およびHLR/HSS装置１１６から構成される移動通信ネットワークを運用する移動通信事業者と同じ移動通信事業者が運営する場合も考えられるし、異なる移動通信事業者が運営する場合も考えられる。UE装置１０５、１１５は地域無線網１０４、１１４他複数の地域無線網への接続を任意に切り替えられるものとする。本実施例においては、UE装置１０５が接続する地域無線網を管理するSGSN/MSC装置の情報はHLR/HSS装置１０６に保持され、UE装置１１５が接続する地域無線網を管理するSGSN/MSC装置の情報はHLR装置１１６に保持されるものとする。また、UE装置１０５のプライバシ保護に関する情報はGMLC装置１０２に保持され、UE装置１１５のプライバシ保護に関する情報はGMLC装置１１２に保持されるものとする。HLR/HSS装置１０６はUE装置１０５のプライバシ保護に関する情報がGMLC装置１０２に保持されていることを記憶しており、HLR/HSS装置１１６はUE装置１１５のプライバシ保護に関する情報がGMLC装置１１２に保持されていることを記憶している。client装置１０１の情報はGMLC装置１０２に保持され、client装置１１１の情報はGMLC装置１１２に保持される。本実施例においては、UE装置１０５が接続する移動通信ネットワークのGMLC装置の情報がHLR/HSS装置１０６に保持され、UE装置１１５が接続する移動通信ネットワークのGMLC装置の情報がHLR装置１１６に保持されるものとする。本実施の形態においては、UE装置１０５はRAN１１４に接続しているものとする。
【０１０５】
【動作の説明】
次に、図１２〜図１３を併せ参照して、本発明の第四の実施の形態における外部起動測位の動作を説明する。
【０１０６】
図１２および図１３を併せ参照して、UE装置１０５のプライバシ設定情報および過去の測位結果をGMLC装置１０２が保持する場合に、client装置１０１がUE装置１０５の位置を取得するための動作を説明する。図１３は、GMLC装置１０２が保持している過去の測位結果を再利用する場合の、ネットワーク内の各ノードにおける処理および各ノード間で送受されるメッセージフローを示している。client装置１０１は測位要求をGMLC装置１０２に送信する（図１３のステップ１）。測位要求には、測位対象であるUE１０５の電話番号等の識別情報、client装置１０１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１０２は、必要に応じてclient装置１０１の認証を行ない（図１３のステップ２）、認証に失敗した場合にはclient装置１０１にエラーを通知する。client装置１０１からの測位要求の受付が許可された場合には、GMLC装置１０２は管理している測位対象のUE１０５のプライバシ設定情報を参照しclient装置１０１からの測位要求をUE１０５が受け付けるかどうかを判断する（図１３のステップ３）。ここで行なわれるプライバシチェックでは、client装置１０１が要求する位置精度と、UE装置１０５がclient装置１０１に渡すことを許可している位置精度との整合性のチェックなども行なわれる。また、UE１０５が測位要求を受け付ける条件として通知もしくは確認を必要としているかどうかも確認する。GMLC装置１０２は、プライバシチェックの結果、UE装置１０５がclient装置１０１からの測位要求を受け付けないと判断した場合には、client装置１０１にエラーを通知する。GMLC装置１０２は、プライバシチェックの結果、UE装置１０５がclient装置１０１からの測位要求を測位要求を受け付けると判断した場合には、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、GMLC装置１０２は測位対象のUE装置１０５の過去の測位結果を保持していないかどうかをチェックし、過去の測位結果を保持している場合には過去の測位結果を再利用することができるかどうかを判断する（図１３のステップ４）。過去の測位結果が再利用できるかどうかを判断する要素としては、client装置１０１から要求されている位置情��の鮮度や精度などが考えられる。また、特定の時刻以降の測位結果である場合のみclient装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図１３のステップ３におけるプライバシ設定の確認の結果、UE装置１０５への通知もしくは確認が不要であると判断された場合には、図１３のステップ５から１１は省略される。図１３のステップ３におけるプライバシ設定の確認の結果、UE装置１０５への通知もしくは確認が必要であると判断されていた場合には、GMLC装置１０２はUE１０５が接続する地域無線網（RAN）を管理するSGSN/MSC装置の情報をHLR/HSS装置１０６に問い合わせる（図１３のステップ５）。HLR/HSS装置１０６は、GMLC装置１０２からの問い合わせに対して、UE装置１０５が接続する地域無線網（RAN）１１４を管理するSGSN/MSC装置１１３の情報を返信する（図１３のステップ６）。ここでHLR/HSS装置１０６は、UE装置１０５が接続する移動通信ネットワークのGMLC装置１１２のネットワークアドレス等の情報を保持していた場合には、前記SGSN/MSC装置１１３の情報と合わせてGMLC装置１０２に返信する。GMLC装置１０２はHLR/HSS装置１０６からSGSN/MSC装置１１３の情報を受け取ることができなかった場合には、client装置１０１にエラーを通知する。HLR/HSS装置１０６からSGSN/MSC装置１１３の情報と共にGMLC装置１１２の情報を受け取った場合には、GMLC装置１０２はGMLC装置１１２に対してプライバシチェック要求メッセージを送信する（図１３のステップ７）。HLR/HSS装置１０６からGMLC装置１１２の情報を受け取ることができなかった場合には、GMLC装置１０２は、SGSN/MSC装置１１３に対してプライバシチェック要求メッセージを送信する。GMLC装置１０２からプライバシチェック要求メッセージを受け取ったGMLC装置１１２は、SGSN/MSC装置１１３に対してプライバシチェック要求メッセージを送信する（図１３のステップ８）。プライバシチェック要求メッセージには、UE１０５に対する通知だけが必要なのか確認（UE１０５からの測位を許可するという応答）も必要なのかの区別と、client装置１０１の情報などUE１０５に通知すべき情報が含まれている。プライバシ要求メッセージとしては、従来例における測位要求メッセージに特定のパラメータを付加して送信することで受信側であるSGSN/MSC装置１１３においてプライバシチェック要求メッセージであると判断することも可能であるし、プライバシチェック要求用に専用のメッセージを追加定義することも可能である。GMLC装置１１２もしくはGMLC装置１０２からのプライバシチェック要求メッセージを受信したSGSN/MSC装置１１３は、UE装置１０５に対して通知もしくは確認処理を行なう（図１３のステップ９）。プライバシチェックを行なったSGSN/MSC装置１１３は、プライバシチェック結果をGMLC装置１１２に送信する（図１３のステップ１０）。SGSN/MSC装置１１３からのプライバシチェック結果を受信したGMLC装置１１２は、プライバシチェック結果をGMLC装置１０２に送信する（図１３のステップ１１）。図１３のステップ１０において、SGSN/MSC装置１１３がプライバシチェック要求をGMLC装置１０２から受け取��ていた場合には、SGSN/MSC装置１１３は、プライバシチェック結果をGMLC装置１０２に送信する。SGSN/MSC装置１１３におけるプライバシチェック結果が位置情報をclient装置１０１に渡してはいけないという結果であった場合には、GMLC装置１０２はclient装置１０１にエラーを通知する。SGSN/MSC装置１１３におけるプライバシチェック結果が位置情報をclient装置１０１に渡してもよいという結果であった場合には、GMLC装置１０２は測位対象のUE装置１０５のプライバシ設定を参照し、位置情報をclient装置１０１に送信してよいかどうかを判断する（図１３のステップ１２）。このプライバシチェックにおいては、UE装置１０５がclient装置１０１に測位結果を渡しても良いと設定している時間帯や場所のチェックを行ない、測位が行なわれた時刻や場所がUE装置１０５が許可している時間帯や場所でない場合には、GMLC装置１０２はclient装置１０１にエラーを通知する。図１３のステップ１２におけるプライバシチェックにおいて、測位結果の位置精度がUE装置１０５がclient装置１０１に提供することを許可している位置精度よりも良かった場合には、GMLC装置１０２において位置精度を劣化させる位置情報加工処理を行なうことも考えられる。図１３のステップ１２におけるプライバシチェック結果が位置情報をclient装置１０１に渡してもよいという結果であった場合には、GMLC装置１０２は、保持しているclient装置１０１の情報に従って、必要ならば位置の表現形式の変換等の測位結果の加工を行なった後、client装置１０１に測位結果を送信し（図１３のステップ１３）、測位処理を終了する。
【０１０７】
【発明の第五の実施の形態】
本発明の第五の実施の形態について図面を参照して詳細に説明する。
【０１０８】
【構成の説明】
図１４を参照すると、本発明の第五の実施の形態は、測位要求を移動通信ネットワークに対して送信するclient装置１０１、１１１他複数のclient装置と、移動通信ネットワークにおいてclient装置からの測位要求を受け付けるゲートウェイ装置であるGMLC装置１０２、１１２他複数のGMLC装置と、ひとつもしくは複数の地域無線網を管理するSGSN/MSC装置１０３、１１３他複数のSGSN/MSC装置と、地域無線網（RAN）１０４、１１４他複数の地域無線網（RAN）と、測位対象となる移動機であるUE装置１０５、１１５他複数のUE装置と、各移動機の接続する地域無線網の情報を保持する移動機データベースであるHLR/HSS装置１０６、１１６他複数のHLR/HSS装置などの複数のノードから構成される。ここで地域無線網（RAN）１０４、１１４は基地局や基地局制御装置など複数の装置から構成されるのが通常であるが、地域無線網の内部構成は本実施例に影響しないためここでは地域無線網としてまとめて取り扱うものとする。client装置１０１、GMLC装置１０２、SGSN/MSC装置１０３、RAN１０４およびHLR/HSS装置１０６から構成される移動通信ネットワークは、client装置１１１、GMLC装置１１２、SGSN/MSC装置１１３、RAN１１４およびHLR/HSS装置１１６から構成される移動通信ネットワークを運用する移動通信事業者と同じ移動通信事業者が運営する場合も考えられるし、異なる移動通信事業者が運営する場合も考えられる。UE装置１０５、１１５は地域無線網１０４、１１４他複数の地域無線網への接続を任意に切り替えられるものとする。本実施例においては、UE装置１０５が接続する地域無線網を管理するSGSN/MSC装置の情報はHLR/HSS装置１０６に保持され、UE装置１１５が接続する地域無線網を管理するSGSN/MSC装置の情報はHLR装置１１６に保持されるものとする。また、UE装置１０５のプライバシ保護に関する情報はGMLC装置１０２に保持され、UE装置１１５のプライバシ保護に関する情報はGMLC装置１１２に保持されるものとする。HLR/HSS装置１０６はUE装置１０５のプライバシ保護に関する情報がGMLC装置１０２に保持されていることを記憶しており、HLR/HSS装置１１６はUE装置１１５のプライバシ保護に関する情報がGMLC装置１１２に保持されていることを記憶している。client装置１０１の情報はGMLC装置１０２に保持され、client装置１１１の情報はGMLC装置１１２に保持される。本実施例においては、UE装置１０５が接続する移動通信ネットワークのGMLC装置の情報がHLR/HSS装置１０６に保持され、UE装置１１５が接続する移動通信ネットワークのGMLC装置の情報がHLR装置１１６に保持されるものとする。本実施の形態においては、UE装置１０５はRAN１１４に接続しているものとする。
【０１０９】
【動作の説明】
次に、図１４〜図１５を併せ参照して、本発明の第五の実施の形態における外部起動測位の動作を説明する。
【０１１０】
図１４および図１５を併せ参照して、UE装置１０５のプライバシ設定情報および過去の測位結果をGMLC装置１０２が保持する場合に、client装置１１１がUE装置１０５の位置を取得するための動作を説明する。図１５は、GMLC装置１０２が保持している過去の測位結果を再利用する場合の、ネットワーク内の各ノードにおける処理および各ノード間で送受されるメッセージフローを示している。client装置１１１は測位要求をGMLC装置１１２に送信する（図１５のステップ１）。測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１１２は、必要に応じてclient装置１１１の認証を行ない（図１５のステップ２）、認証に失敗した場合にはclient装置１１１にエラーを通知する。client装置１１１からの測位要求の受付が許可された場合には、GMLC装置１１２は測位対象であるUE１０５の情報を管理しているHLR/HSS装置１０６に対して、UE１０５のプライバシ設定情報を保持しているGMLC装置の情報を問い合わせる（図１５のステップ３）。HLR/HSS装置１０６はGMLC装置１１２からの要求を受け取ると、UE１０５のプライバシ設定情報を保持しているGMLC装置がGMLC装置１０２であるという情報をGMLC装置１１２へ渡していいかどうかを判断し、渡しても良いと判断した場合にはGMLC装置１０２の情報をGMLC装置１１２へ送信する（図１５のステップ４）。図１１のステップ４において送信されるGMLC装置１０２の情報とは、GMLC装置１０２のネットワークアドレスであるが、GMLC装置１０２の識別情報、GMLC装置１０２の具備する能力などの付加情報を一緒に送信することも可能である。図１５のステップ１によりclient装置１１１からの測位要求を受け取ったGMLC装置１１２が、測位対象であるUE１０５のプライバシ設定情報を保持しているGMLC装置１０２のネットワークアドレス等の情報をすでに知っていた場合には、図１５のステップ３および図１５のステップ４は省略することも可能である。次にGMLC装置１１２は、client装置１１１からの測位要求をUE装置１０５のプライバシ設定情報を保持しているGMLC装置１０２に対して転送する（図１５のステップ５）。GMLC装置１１２はclient装置１１１からの測位要求をGMLC装置１０２に転送する際に、GMLC装置１１２が保持しているclient装置情報の一部を転送する場合もある。転送され���client装置情報には、位置情報の表記方法等のclient装置１１１がサポートしている機能に関する情報が含まれる。また、転送される測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。転送されてきた測位要求を受け取ったGMLC装置１０２は、GMLC装置１１２からの測位要求を受け付けるかどうかを判断し、受け付けないと判断した場合にはエラーをGMLC装置１１２に送信する。測位要求を受け付けると判断した場合には、GMLC装置１０２は管理している測位対象のUE１０５のプライバシ設定情報を参照しclient装置１１１からの測位要求をUE１０５が受け付けるかどうかを判断する（図１５のステップ６）。ここで行なわれるプライバシチェックでは、client装置１１１が要求する位置精度と、UE装置１０５がclient装置１１１に渡すことを許可している位置精度との整合性のチェックなども行なわれる。また、UE１０５が測位要求を受け付ける条件として通知もしくは確認を必要としているかどうかも確認する。GMLC装置１０２は、プライバシチェックの結果、UE装置１０５がclient装置１１１からの測位要求を受け付けないと判断した場合には、GMLC装置１１２にエラーを通知し、エラー通知を受け取ったGMLC装置１１２はclient装置１１１にエラーを通知する。GMLC装置１０２は、プライバシチェックの結果、UE装置１０５がclient装置１１１からの測位要求を測位要求を受け付けると判断した場合には、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、GMLC装置１０２は測位対象のUE装置１０５の過去の測位結果を保持していないかどうかをチェックし、過去の測位結果を保持している場合には過去の測位結果を再利用することができるかどうかを判断する（図１５のステップ７）。過去の測位結果が再利用できるかどうかを判断する要素としては、client装置１１１から要求されている位置情報の鮮度や精度などが考えられる。また、特定の時刻以降の測位結果である場合のみclient装置１１１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図１５のステップ６におけるプライバシ設定の確認の結果、UE装置１０５への通知もしくは確認が不要であると判断された場合には、図１５のステップ８から１４は省略される。図１５のステップ６におけるプライバシ設定の確認の結果、UE装置１０５への通知もしくは確認が必要であると判断されていた場合には、GMLC装置１０２はUE１０５が接続する地域無線網（RAN）を管理するSGSN/MSC装置の情報をHLR/HSS装置１０６に問い合わせる（図１５のステップ８）。HLR/HSS装置１０６は、GMLC装置１０２からの問い合わせに対して、UE装置１０５が接続する地域無線網（RAN）１１４を管理するSGSN/MSC装置１１３の情報を返信する（図１５のステップ９）。ここでHLR/HSS装置１０６は、UE装置１０５が接��する移動通信ネットワークのGMLC装置１１２のネットワークアドレス等の情報を保持していた場合には、前記SGSN/MSC装置１１３の情報と合わせてGMLC装置１０２に返信する。GMLC装置１０２はHLR/HSS装置１０６からSGSN/MSC装置１１３の情報を受け取ることができなかった場合には、GMLC装置１１２にエラーを通知し、エラー通知を受け取ったGMLC装置１１２はclient装置１１１にエラーを通知する。HLR/HSS装置１０６からSGSN/MSC装置１１３の情報と共にGMLC装置１１２の情報を受け取った場合には、GMLC装置１０２はGMLC装置１１２に対してプライバシチェック要求メッセージを送信する（図１５のステップ１０）。HLR/HSS装置１０６からGMLC装置１１２の情報を受け取ることができなかった場合には、GMLC装置１０２は、SGSN/MSC装置１１３に対してプライバシチェック要求メッセージを送信する。GMLC装置１０２からプライバシチェック要求メッセージを受け取ったGMLC装置１１２は、SGSN/MSC装置１１３に対してプライバシチェック要求メッセージを送信する（図１５のステップ１１）。プライバシチェック要求メッセージには、UE１０５に対する通知だけが必要なのか確認（UE１０５からの測位を許可するという応答）も必要なのかの区別と、client装置１１１の情報などUE１０５に通知すべき情報が含まれている。プライバシ要求メッセージとしては、従来例における測位要求メッセージに特定のパラメータを付加して送信することで受信側であるSGSN/MSC装置１１３においてプライバシチェック要求メッセージであると判断することも可能であるし、プライバシチェック要求用に専用のメッセージを追加定義することも可能である。GMLC装置１１２もしくはGMLC装置１０２からのプライバシチェック要求メッセージを受信したSGSN/MSC装置１１３は、UE装置１０５に対して通知もしくは確認処理を行なう（図１５のステップ１２）。プライバシチェックを行なったSGSN/MSC装置１１３は、プライバシチェック結果をGMLC装置１１２に送信する（図１５のステップ１３）。SGSN/MSC装置１１３からのプライバシチェック結果を受信したGMLC装置１１２は、プライバシチェック結果をGMLC装置１０２に送信する（図１５のステップ１４）。図１５のステップ１３において、SGSN/MSC装置１１３がプライバシチェック要求をGMLC装置１０２から受け取っていた場合には、SGSN/MSC装置１１３は、プライバシチェック結果をGMLC装置１０２に送信する。SGSN/MSC装置１１３におけるプライバシチェック結果が位置情報をclient装置１１１に渡してはいけないという結果であった場合には、GMLC装置１０２はGMLC装置１１２にエラーを通知し、エラー通知を受け取ったGMLC装置１１２はclient装置１１１にエラーを通知する。SGSN/MSC装置１１３におけるプライバシチェック結果が位置情報をclient装置１１１に渡してもよいという結果であった場合には、GMLC装置１０２は測位対象のUE装置１０５のプライバシ設定を参照し、位置情報をclient装置１１１に送信してよいかどうかを判断する（図１５のステップ１５）。このプライバシチェックにおいては、UE装置１０５がclient装置１１１に測位結果を渡しても良いと設定している時間帯や場所のチェックを行ない、測位が行なわれた時刻や場所がUE装置１０５が許可している時間帯や場所でない場合には、GMLC装置１０２はGMLC装置１１２にエラーを通知し、エラー通知を受け取ったGMLC装置１１２はclient装置１１１にエラーを通知する。図１５のステップ１５におけるプライバシチェックにおいて、測位結果の位置精度がUE装置１０５がclient装置１１１に提供することを許可している位置精度よりも良かった場合には、GMLC装置１０２において位置精度を劣化させる位置情報加工処理を行なうことも考えられる。図１５のステップ１５におけるプライバシチェック結果が位置情報をclient装置１１１に渡してもよいという結果であった場合には、GMLC装置１０２は測位結果をGMLC装置１１２に転送する（図１５のステップ１６）。GMLC装置１０２からの測位結果を受け取ったGMLC装置１１２は、保持しているclient装置１１１の情報に従って、必要ならば位置の表現形式の変換等の測位結果の加工を行なった後、client装置１１１に測位結果を送信し（図１５のステップ１７）、測位処理を終了する。
【０１１１】
【発明の第六の実施の形態】
本発明の第六の実施の形態について図面を参照して詳細に説明する。
【０１１２】
【構成の説明】
図１６を参照すると、本発明の第六の実施の形態は、測位要求を移動通信ネットワークに対して送信するclient装置１０１他複数のclient装置と、移動通信ネットワークにおいてclient装置からの測位要求を受け付けるゲートウェイ装置であるGMLC装置１０２等ひとつもしくは複数のGMLC装置と、ひとつもしくは複数の地域無線網を管理するSGSN/MSC装置１０３他複数のSGSN/MSC装置と、地域無線網（RAN）１０４他複数の地域無線網（RAN）と、測位対象となる移動機であるUE装置１０５他複数のUE装置と、各移動機の接続する地域無線網の情報を保持する移動機データベースであるHLR/HSS装置１０６他複数のHLR/HSS装置と、UE装置１０５他複数のUE装置のプライバシ設定情報を保持するPPR装置１０７等のひとつもしくは複数のPPR装置などの複数のノードから構成される。ここで地域無線網（RAN）１０４は基地局や基地局制御装置など複数の装置から構成されるのが通常であるが、地域無線網の内部構成は本実施例に影響しないためここでは地域無線網としてまとめて取り扱うものとする。UE装置１０５は地域無線網１０４他複数の地域無線網への接続を任意に切り替えられるものとする。本実施例においては、UE装置１０５が接続する地域無線網を管理するSGSN/MSC装置の情報はHLR/HSS装置１０６に保持されるものとする。また、UE装置１０５のプライバシ保護に関する情報はPPR装置１０７に保持されるものとする。HLR/HSS装置１０６はUE装置１０５のプライバシ設定情報を保持するPPR装置１０７がGMLC装置１０２に接続されていることを記憶している。またHLR/HSS装置１０６はUE装置１０５のプライバシ設定情報を保持するPPR装置１０７のネットワークアドレス等の情報を記憶している場合もある。client装置１０１の情報はGMLC装置１０２に保持される。本実施の形態においては、UE装置１０５はRAN１０４に接続しているものとする。本実施の形態は、第一の実施の形態においてUE装置のプライバシ保護のためのプライバシ設定情報をGMLC装置１０２ではなく、PPR装置１０７で保持する場合の実施の形態である。
【０１１３】
【動作の説明】
次に、図１６および図２１、図２２を併せ参照して、本発明の第六の実施の形態における外部起動測位の動作を説明する。
【０１１４】
図１６および図２１を併せ参照して、UE装置１０５の過去の測位結果をPPR装置１０７が保持する場合に、client装置１０１がUE装置１０５の位置を取得するための動作を説明する。図２１は、PPR装置１０７が保持している過去の測位結果を再利用する場合の、ネットワーク内の各ノードにおける処理および各ノード間で送受されるメッセージフローを示している。client装置１０１は測位要求をGMLC装置１０２に送信する（図２１のステップ１）。測位要求には、測位対象であるUE１０５の電話番号等の識別情報、client装置１０１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１０２は、必要に応じてclient装置１０１の認証を行ない（図２１のステップ２）、認証に失敗した場合にはclient装置１０１にエラーを通知する。client装置１０１からの測位要求の受付が許可された場合には、GMLC装置１０２は測位対象であるUE装置１０５のプライバシ情報を管理しているPPR装置１０７に測位処理許可要求を送信する（図２１のステップ３）。ここで、GMLC装置１０２がUE装置１０５のプライバシ情報を管理しているPPR装置１０７のネットワークアドレス等の情報を保持していない場合には、図２１のステップ７およびステップ８を先に実行し、HLR/HSS装置１０６からPPR装置１０７の情報を取得する。GMLC装置１０２からの測位処理許可要求には、測位対象であるUE１０５の電話番号等の識別情報、client装置１１１の識別情報、要求する位置情報の種別、要求する位置情報の精度情報、要求する位置情報の鮮度情報などの付加情報が含まれている。測位処理許可要求を受け取ったPPR装置１０７は、GMLC装置１０２からの測位処理許可要求を受け付けるかどうかを、例えば同じオペレータ（通信運用者）内のGMLCであるかどうかに基づいて判断し、受け付けないと判断した場合にはエラーをGMLC装置１０２に送信する。測位処理許可要求を受け付けると判断した場合には、PPR装置１０７は管理している測位対象のUE１０５のプライバシ設定情報を参照しclient装置１０１からの測位要求をUE１０５が受け付けるかどうかを判断する（図２１のステップ４）。ここで行なわれるプライバシチェックでは、client装置１０１が要求する位置精度と、UE装置１０５がclient装置１０１に渡すことを許可している位置精度との整合性のチェックなども行なわれる。また、UE１０５が測位要求を受け付ける条件として���知もしくは確認を必要としているかどうかも確認する。PPR装置１０７は、プライバシチェックの結果、UE装置１０５がclient装置１０１からの測位要求を受け付けないと判断した場合には、測位処理許可要求の応答としてGMLC装置１０２にエラーを通知し、エラー通知を受け取ったGMLC装置１０２はclient装置１０１にエラーを通知する。PPR装置１０７は、プライバシチェックの結果、UE装置１０５がclient装置１０１からの測位要求を測位要求を受け付けると判断した場合には、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、PPR装置１０７は測位対象のUE装置１０５の過去の測位結果を保持していないかどうかをチェックし、過去の測位結果を保持している場合には過去の測位結果を再利用することができるかどうかを判断する（図２１のステップ５）。過去の測位結果が再利用できるかどうかを判断する要素としては、client装置１０１から要求されている位置情報の鮮度や精度などが考えられる。また、特定の時刻以降の測位結果である場合のみclient装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断された場合には、PPR装置１０７は、プライバシチェックの結果と共に過去の測位結果を測位処理許可要求の応答としてGMLC装置１０２に送信する（図２１のステップ６）。図２１のステップ４におけるプライバシ設定の確認の結果、UE装置１０５への通知もしくは確認が不要であると判断された場合には、図２１のステップ７から１１は省略される。図２１のステップ４におけるプライバシ設定の確認の結果、UE装置１０５への通知もしくは確認が必要であると判断されていた場合には、PPR装置１０７からの測位処理許可要求に対する応答を受信したGMLC装置１０２は、UE１０５が接続する地域無線網（RAN）を管理するSGSN/MSC装置の情報をHLR/HSS装置１０６に問い合わせる（図２１のステップ７）。HLR/HSS装置１０６は、GMLC装置１０２からの問い合わせに対して、UE装置１０５が接続する地域無線網（RAN）１０４を管理するSGSN/MSC装置１０３の情報を返信する（図２１のステップ８）。GMLC装置１０２はHLR/HSS装置１０６からSGSN/MSC装置１０３の情報を受け取ることができなかった場合には、client装置１０１にエラーを通知する。GMLC装置１０２は、SGSN/MSC装置１０３に対してプライバシチェック要求メッセージを送信する（図２１のステップ９）。プライバシチェック要求メッセージには、UE１０５に対する通知だけが必要なのか確認（UE１０５からの測位を許可するという応答）も必要なのかの区別と、client装置１０１の情報などUE１０５に通知すべき情報が含まれている。プライバシ要求メッセージとしては、従来例における測位要求メッセージに特定のパラメータを付加して送信することで受信側であるSGSN/MSC装置１０３においてプライバシチェック要求メッセージであると判断することも可能であるし、プライバシチェック要求用に専用のメッセージを追加定義することも可能である。GMLC装置１０２からのプライバシチェック要求メッセージを受信したSGSN/MSC装置１０３は、UE装置１０５に対して通知もしくは確認処理を行なう（図２１のステップ１０）。プライバシチェックを行なったSGSN/MSC装置１０３は、プライバシチェック結果をGMLC装置１０２に送信する（図２１のステップ１１）。SGSN/MSC装置１０３におけるプライバシチェック結果が位置情報をclient装置１０１に渡してはいけないという結果であった場合には、GMLC装置１０２はclient装置１０１にエラーを通知する。SGSN/MSC装置１０３におけるプライバシチェック結果が位置情報をclient装置１０１に渡してもよいという結果であった場合には、GMLC装置１０２は測位対象であるUE装置１０５のプライバシ情報を管理しているPPR装置１０７に測位処理許可要求を送信する（図２１のステップ１２）。測位処理許可要求を受信したPPR装置１０７は、測位対象のUE装置１０５のプライバシ設定を参照し、位置情報をclient装置１０１に送信してよいかどうかを判断する（図２１のステップ１３）。このプライバシチェックにおいては、UE装置１０５がclient装置１０１に測位結果を渡しても良いと設定している時間帯や場所のチェックを行ない、測位が行なわれた時刻や場所がUE装置１０５が許可している時間帯や場所でない場合には、PPR装置１０７はGMLC装置１０２にエラーを通知し、エラー通知を受け取ったGMLC装置１０２はclient装置１０１にエラーを通知する。図２１のステップ１３におけるプライバシチェックにおいて、測位結果の位置精度がUE装置１０５がclient装置１０１に提供することを許可している位置精度よりも良かった場合には、PPR装置１０７において位置精度を劣化させる位置情報加工処理を行なうことも考えられる。図２１のステップ１３におけるプライバシチェック結果が位置情報をclient装置１０１に渡してもよいという結果であった場合には、PPR装置１０７は測位処理許可要求に対する応答としてプライバシチェック結果をGMLC装置１０２に送信する（図２１のステップ１４）。ここで、ステップ４におけるPrivacyチェックの結果としてステップ１３におけるプライバシチェックが不要と判断されていた場合には、ステップ１２からステップ１４の処理は不要である。GMLC装置１０２は保持しているclient装置１０１の情報に従って、必要ならば位置の表現形式の変換等の測位結果の加工を行なった後、client装置１０１に測位結果を送信し（図２１のステップ１５）、測位処理を終了する。
【０１１５】
図１６および図２２を併せ参照して、UE装置１０５の過去の測位結果をGMLC装置１０２が保持する場合に、client装置１０１がUE装置１０５の位置を取得するための動作を説明する。図２２は、GMLC装置１０２が保持している過去の測位結果を再利用する場合の、ネットワーク内の各ノードにおける処理および各ノード間で送受されるメッセージフローを示している。client装置１０１は測位要求をGMLC装置１０２に送信する（図２２のステップ１）。測位要求には、測位対象であるUE１０５の電話番号等の識別情報、client装置１０１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１０２は、必要に応じてclient装置１０１の認証を行ない（図２２のステップ２）、認証に失敗した場合にはclient装置１０１にエラーを通知する。client装置１０１からの測位要求の受付が許可された場合には、GMLC装置１０２は測位対象であるUE装置１０５のプライバシ情報を管理しているPPR装置１０７に測位処理許可要求を送信する（図２２のステップ３）。ここで、GMLC装置１０２がUE装置１０５のプライバシ情報を管理しているPPR装置１０７のネットワークアドレス等の情報を保持していない場合には、図２２のステップ７およびステップ８を先に実行し、HLR/HSS装置１０６からPPR装置１０７の情報を取得する。GMLC装置１０２からの測位処理許可要求には、測位対象であるUE１０５の電話番号等の識別情報、client装置１１１の識別情報、要求する位置情報の種別、要求する位置情報の精度情報、要求する位置情報の鮮度情報などの付加情報が含まれている。測位処理許可要求を受け取ったPPR装置１０７は、GMLC装置１０２からの測位処理許可要求を受け付けるかどうかを判断し、受け付けないと判断した場合にはエラーをGMLC装置１０２に送信する。測位処理許可要求を受け付けると判断した場合には、PPR装置１０７は管理している測位対象のUE１０５のプライバシ設定情報を参照しclient装置１０１からの測位要求をUE１０５が受け付けるかどうかを判断する（図２２のステップ４）。ここで行なわれるプライバシチェックでは、client装置１０１が要求する位置精度と、UE装置１０５がclient装置１０１に渡すことを許可している位置精度との整合性のチェックなども行なわれる。また、UE１０５が測位要求を受け付ける条件として通知もしくは確認を必要としているかどうかも確認する。PPR装置１０７は、プライバシチェックの結果、UE装置１０５がclient装置１０１からの測位要求を受け付けないと判断した場合には、測位処理許可要求の応答としてGMLC装置１０２にエラーを通知し、エラー通知を受け取ったGMLC装置１０２はclient装置１０１にエラーを通知する。PPR装置１０７は、プライバシチェックの結果、UE装置１０５がclient装置１０１からの測位要求を測位要求を受け付けると判断した場合には、PPR装置１０７は、プライバシチェックの結果を測位処理許可要求の応答としてGMLC装置１０２に送信する（図２２のステップ５）。測位要求が受け付けられるというプライバシチェック結果を受け取ったGMLC装置１０２は、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、GMLC装置１０２は測位対象のUE装置１０５の過去の測位結果を保持していないかどうかをチェックし、過去の測位結果を保持している場合には過去の測位結果を再利用することができるかどうかを判断する（図２２のステップ６）。過去の測位結果が再利用できるかどうかを判断する要素としては、client装置１０１から要求されている位置情報の鮮度や精度などが考えられる。また、特定の時刻以降の測位結果である場合のみclient装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図２２のステップ４におけるプライバシ設定の確認の結果、UE装置１０５への通知もしくは確認が不要であると判断された場合には、図２２のステップ７から１１は省略される。図２２のステップ４におけるプライバシ設定の確認の結果、UE装置１０５への通知もしくは確認が必要であると判断されていた場合には、PPR装置１０７からの測位処理許可要求に対する応答を受信したGMLC装置１０２は、UE１０５が接続する地域無線網（RAN）を管理するSGSN/MSC装置の情報をHLR/HSS装置１０６に問い合わせる（図２２のステップ７）。HLR/HSS装置１０６は、GMLC装置１０２からの問い合わせに対して、UE装置１０５が接続する地域無線網（RAN）１０４を管理するSGSN/MSC装置１０３の情報を返信する（図２２のステップ８）。GMLC装置１０２はHLR/HSS装置１０６からSGSN/MSC装置１０３の情報を受け取ることができなかった場合には、client装置１０１にエラーを通知する。GMLC装置１０２は、SGSN/MSC装置１０３に対してプライバシチェック要求メッセージを送信する（図２２のステップ９）。プライバシチェック要求メッセージには、UE１０５に対する通知だけが必要なのか確認（UE１０５からの測位を許可するという応答）も必要なのかの区別と、client装置１０１の情報などUE１０５に通知すべき情報が含まれている。プライバシ要求メッセージとしては、従来例における測位要求メッセージに特定のパラメータを付加して送信することで受信側であるSGSN/MSC装置１０３においてプライバシチェック要求メッセージであると判断することも可能であるし、プライバシチェック要求用に専用のメッセージを追加定義することも可能である。GMLC装��１０２からのプライバシチェック要求メッセージを受信したSGSN/MSC装置１０３は、UE装置１０５に対して通知もしくは確認処理を行なう（図２２のステップ１０）。プライバシチェックを行なったSGSN/MSC装置１０３は、プライバシチェック結果をGMLC装置１０２に送信する（図２２のステップ１１）。SGSN/MSC装置１０３におけるプライバシチェック結果が位置情報をclient装置１０１に渡してはいけないという結果であった場合には、GMLC装置１０２はclient装置１０１にエラーを通知する。SGSN/MSC装置１０３におけるプライバシチェック結果が位置情報をclient装置１０１に渡してもよいという結果であった場合には、GMLC装置１０２は測位対象であるUE装置１０５のプライバシ情報を管理しているPPR装置１０７に測位処理許可要求を送信する（図２２のステップ１２）。測位処理許可要求を受信したPPR装置１０７は、測位対象のUE装置１０５のプライバシ設定を参照し、位置情報をclient装置１０１に送信してよいかどうかを判断する（図２２のステップ１３）。このプライバシチェックにおいては、UE装置１０５がclient装置１０１に測位結果を渡しても良いと設定している時間帯や場所のチェックを行ない、測位が行なわれた時刻や場所がUE装置１０５が許可している時間帯や場所でない場合には、PPR装置１０７はGMLC装置１０２にエラーを通知し、エラー通知を受け取ったGMLC装置１０２はclient装置１０１にエラーを通知する。図２２のステップ１３におけるプライバシチェックにおいて、測位結果の位置精度がUE装置１０５がclient装置１０１に提供することを許可している位置精度よりも良かった場合には、PPR装置１０７において位置精度を劣化させる位置情報加工処理を行なうことも考えられる。図２２のステップ１３におけるプライバシチェック結果が位置情報をclient装置１０１に渡してもよいという結果であった場合には、PPR装置１０７は測位処理許可要求に対する応答としてプライバシチェック結果をGMLC装置１０２に送信する（図２２のステップ１４）。ここで、ステップ４におけるPrivacyチェックの結果としてステップ１３におけるプライバシチェックが不要と判断されていた場合には、ステップ１２からステップ１４の処理は不要である。GMLC装置１０２は保持しているclient装置１０１の情報に従って、必要ならば位置の表現形式の変換等の測位結果の加工を行なった後、client装置１０１に測位結果を送信し（図２２のステップ１５）、測位処理を終了する。
【０１１６】
【発明の第七の実施の形態】
本発明の第七の実施の形態について図面を参照して詳細に説明する。
【０１１７】
【構成の説明】
図１７を参照すると、本発明の第七の実施の形態は、測位要求を移動通信ネットワークに対して送信するclient装置１０１、１１１他複数のclient装置と、移動通信ネットワークにおいてclient装置からの測位要求を受け付けるゲートウェイ装置であるGMLC装置１０２、１１２等ひとつもしくは複数のGMLC装置と、ひとつもしくは複数の地域無線網を管理するSGSN/MSC装置１０３、１１３他複数のSGSN/MSC装置と、地域無線網（RAN）１０４、１１４他複数の地域無線網（RAN）と、測位対象となる移動機であるUE装置１０５、１１５他複数のUE装置と、各移動機の接続する地域無線網の情報を保持する移動機データベースであるHLR/HSS装置１０６、１１６他複数のHLR/HSS装置と、UE装置１０５、１１５他複数のUE装置のプライバシ設定情報を保持するPPR装置１０７、１１７等のひとつもしくは複数のPPR装置などの複数のノードから構成される。ここで地域無線網（RAN）１０４、１１４は基地局や基地局制御装置など複数の装置から構成されるのが通常であるが、地域無線網の内部構成は本実施例に影響しないためここでは地域無線網としてまとめて取り扱うものとする。UE装置１０５、１１５は地域無線網１０４、１１４他複数の地域無線網への接続を任意に切り替えられるものとする。本実施例においては、UE装置１０５が接続する地域無線網を管理するSGSN/MSC装置の情報はHLR/HSS装置１０６に保持されるものとし、UE装置１１５が接続する地域無線網を管理するSGSN/MSC装置の情報はHLR/HSS装置１１６に保持されるものとする。また、UE装置１０５のプライバシ保護に関する情報はPPR装置１０７に保持され、UE装置１１５のプライバシ保護に関する情報はPPR装置１１７に保持されるものとする。HLR/HSS装置１０６はUE装置１０５のプライバシ設定情報を保持するPPR装置１０７がGMLC装置１０２に接続されていることを記憶しており、HLR/HSS装置１１６はUE装置１１５のプライバシ設定情報を保持するPPR装置１１７がGMLC装置１１２に接続されていることを記憶している。またHLR/HSS装置１０６はUE装置１０５のプライバシ設定情報を保持するPPR装置１０７のネットワークアドレス等の情報を記憶している場合もあり、HLR/HSS装置１１６はUE装置１１５のプライバシ設定情報を保持するPPR装置１１７のネットワークアドレス等の情報を記憶している場合もある。client装置１０１の情報はGMLC装置１０２に保持され、client装置１１１の情報はGMLC装置１１２に保持される。本実施の形態においては、UE装置１０５はRAN１０４に接続しているものとする。本実施の形態は、第二の実施の形態にPPR装置１０７、１１７を追加し、第二の実施の形態においてはGMLC装置１０２、１１２が保持していたUE装置のプライバシ保護のためのプライバシ設定情報を、PPR装置１０７、１１７で保持するように変更した場合の実施の形態である。
【０１１８】
【動作の説明】
次に、図１７および図９、図２１、図２２を併せ参照して、本発明の第七の実施の形態における外部起動測位の動作を説明する。
【０１１９】
図１７および図９、図２１を併せ参照して、UE装置１０５の過去の測位結果をPPR装置１０７が保持する場合に、client装置１１１がUE装置１０５の位置を取得するための動作を説明する。client装置１１１は測位要求をGMLC装置１１２に送信する（図９のステップ１）。測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１１２は、必要に応じてclient装置１１１の認証を行ない、認証に失敗した場合にはclient装置１１１にエラーを通知する（図９のステップ２）。client装置１１１からの測位要求の受付が許可された場合には、GMLC装置１１２は測位対象であるUE１０５の情報を管理しているHLR/HSS装置１０６に対して、UE１０５のプライバシ設定情報を保持しているGMLC装置の情報を問い合わせる（図９のステップ３）。HLR/HSS装置１０６はGMLC装置１１２からの要求を受け取ると、UE１０５のプライバシ設定情報を保持しているGMLC装置がGMLC装置１０２であるという情報をGMLC装置１１２へ渡していいかどうかを判断し、渡しても良いと判断した場合にはGMLC装置１０２の情報をGMLC装置１１２へ送信する（図９のステップ４）。図９のステップ４において送信されるGMLC装置１０２の情報とは、GMLC装置１０２のネットワークアドレスであるが、GMLC装置１０２の識別情報、GMLC装置１０２の具備する能力などの付加情報を一緒に送信することも可能である。図９のステップ１によりclient装置１１１からの測位要求を受け取ったGMLC装置１１２が、測位対象であるUE１０５のプライバシ設定情報を保持しているGMLC装置１０２のネットワークアドレス等の情報をすでに知っていた場合には、図９のステップ３および図９のステップ４は省略することも可能である。次にGMLC装置１１２は、client装置１１１からの測位要求をUE装置１０５のプライバシ設定情報を保持しているGMLC装置１０２に対して転送する（図９のステップ５）。GMLC装置１１２はclient装置１１１からの測位要求をGMLC装置１０２に転送する際に、GMLC装置１１２が保持しているclient装置情報の一部を転送する場合もある。転送されるclient装置情報には、位置情報の表記方法等のclient装置１１１がサポートしている機能に関する情報が含まれる。また、転送される測位要求には、測位対象であるUE１０５の電話番号等の識別情報、client装置１１１の識別情報���要求する位置情報の種別、要求する位置情報の精度情報、要求する位置情報の鮮度情報などの付加情報が含まれている。転送されてきた測位要求を受け取ったGMLC装置１０２は、GMLC装置１１２からの測位要求を受け付けるかどうかを判断し、受け付けないと判断した場合にはエラーをGMLC装置１１２に送信する。GMLC装置１１２からの測位要求の受付が許可された場合には、GMLC装置１０２は測位対象であるUE装置１０５のプライバシ情報を管理しているPPR装置１０７に測位処理許可要求を送信する（図２１のステップ３）。ここで、GMLC装置１０２がUE装置１０５のプライバシ情報を管理しているPPR装置１０７のネットワークアドレス等の情報を保持していない場合には、図９のステップ８およびステップ９を先に実行し、HLR/HSS装置１０６からPPR装置１０７の情報を取得する。GMLC装置１０２からの測位処理許可要求には、測位対象であるUE１０５の電話番号等の識別情報、client装置１１１の識別情報、要求する位置情報の種別、要求する位置情報の精度情報、要求する位置情報の鮮度情報などの付加情報が含まれている。測位処理許可要求を受け取ったPPR装置１０７は、GMLC装置１０２からの測位処理許可要求を受け付けるかどうかを判断し、受け付けないと判断した場合にはエラーをGMLC装置１０２に送信する。測位処理許可要求を受け付けると判断した場合には、PPR装置１０７は管理している測位対象のUE１０５のプライバシ設定情報を参照しclient装置１０１からの測位要求をUE１０５が受け付けるかどうかを判断する（図２１のステップ４）。ここで行なわれるプライバシチェックでは、client装置１０１が要求する位置精度と、UE装置１０５がclient装置１０１に渡すことを許可している位置精度との整合性のチェックなども行なわれる。また、UE１０５が測位要求を受け付ける条件として通知もしくは確認を必要としているかどうかも確認する。PPR装置１０７は、プライバシチェックの結果、UE装置１０５がclient装置１０１からの測位要求を受け付けないと判断した場合には、測位処理許可要求の応答としてGMLC装置１０２にエラーを通知し、エラー通知を受け取ったGMLC装置１０２はclient装置１０１にエラーを通知する。PPR装置１０７は、プライバシチェックの結果、UE装置１０５がclient装置１０１からの測位要求を測位要求を受け付けると判断した場合には、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、PPR装置１０７は測位対象のUE装置１０５の過去の測位結果を保持していないかどうかをチェックし、過去の測位結果を保持している場合には過去の測位結果を再利用することができるかどうかを判断する（図２１のステップ５）。過去の測位結果が再利用できるかどうかを判断する要素としては、client装置１０１から要求されている位置情報の鮮度や精度などが考えられる。また、特定の時刻以降の測位結果である場合のみclient装置１０１に渡してもよいというようなプライバシ設定等がある場合には、その条件を過去の測位結果が満たしているかどうかも確認する。過去の測位結果が要求される精度、要求される鮮度などの条件を満たし再利用が��能であると判断された場合には、PPR装置１０７は、プライバシチェックの結果と共に過去の測位結果を測位処理許可要求の応答としてGMLC装置１０２に送信する（図２１のステップ６）。図２１のステップ４におけるプライバシ設定の確認の結果、UE装置１０５への通知もしくは確認が必要であると判断されていた場合には、GMLC装置１０２はUE１０５が接続する地域無線網（RAN）を管理するSGSN/MSC装置の情報をHLR/HSS装置１０６に問い合わせる（図９のステップ８）。HLR/HSS装置１０６は、GMLC装置１０２からの問い合わせに対して、UE装置１０５が接続する地域無線網（RAN）１０４を管理するSGSN/MSC装置１０３の情報を返信する（図９のステップ９）。HLR/HSS装置１０６からSGSN/MSC装置１０３の情報を受け取ることができなかった場合には、GMLC装置１０２はGMLC装置１１２にエラーを通知し、エラー通知を受け取ったGMLC装置１１２はclient装置１１１にエラーを通知する。HLR/HSS装置１０６からSGSN/MSC装置１０３の情報を受け取ったGMLC装置１０２は、SGSN/MSC装置１０３に対してプライバシチェック要求メッセージを送信する（図９のステップ１０）。プライバシチェック要求メッセージには、UE１０５に対する通知だけが必要なのか確認（UE１０５からの測位を許可するという応答）も必要なのかの区別と、client装置１１１の情報などUE１０５に通知すべき情報が含まれている。プライバシ要求メッセージとしては、従来例における測位要求メッセージに特定のパラメータを付加して送信することで受信側であるSGSN/MSC装置１０３においてプライバシチェック要求メッセージであると判断することも可能であるし、プライバシチェック要求用に専用のメッセージを追加定義することも可能である。GMLC装置１０２からのプライバシチェック要求メッセージを受信したSGSN/MSC装置１０３は、UE装置１０５に対して通知もしくは確認処理を行なう（図９のステップ１１）。プライバシチェックを行なったSGSN/MSC装置１０３は、プライバシチェック結果をGMLC装置１０２に送信する（図９のステップ１２）。SGSN/MSC装置１０３におけるプライバシチェック結果が位置情報をclient装置１１１に渡してはいけないという結果であった場合には、GMLC装置１０２はGMLC装置１１２にエラーを通知し、エラー通知を受け取ったGMLC装置１１２はclient装置１１１にエラーを通知する。SGSN/MSC装置１０３におけるプライバシチェック結果が位置情報をclient装置１１１に渡してもよいという結果であった場合には、GMLC装置１０２は測位対象であるUE装置１０５のプライバシ情報を管理しているPPR装置１０７に測位処理許可要求を送信する（図２１のステップ１２）。測位処理許可要求を受信したPPR装置１０７は、測位対象のUE装置１０５のプライバシ設定を参照し、位置情報をclient装置１０１に送信してよいかどうかを判断する（図２１のステップ１３）。このプライバシチェックにおいては、UE装置１０５がclient装置１０１に測位結果を渡しても良いと設定している時間帯や場所のチェックを行ない、測位が行なわれた時刻や場所がUE装置１０５が許可している時間帯や場所でない場合には、PPR装置１０７はGMLC装置１０２にエラーを通知し、エラー通知を受け取ったGMLC装置１０２はclient装置１０１にエラーを通知する。図２１のステップ１３におけるプライバシチェックにおいて、���位結果の位置精度がUE装置１０５がclient装置１０１に提供することを許可している位置精度よりも良かった場合には、PPR装置１０７において位置精度を劣化させる位置情報加工処理を行なうことも考えられる。図２１のステップ１３におけるプライバシチェック結果が位置情報をclient装置１０１に渡してもよいという結果であった場合には、PPR装置１０７は測位処理許可要求に対する応答としてプライバシチェック結果をGMLC装置１０２に送信する（図２１のステップ１４）。ここで、ステップ４におけるPrivacyチェックの結果としてステップ１３におけるプライバシチェックが不要と判断されていた場合には、ステップ１２からステップ１４の処理は不要である。図２１のステップ１３におけるプライバシチェック結果が位置情報をclient装置１１１に渡してもよいという結果であった場合もしくは、図２１のステップ４におけるPrivacyチェックの結果としてステップ１３におけるプライバシチェックが不要と判断されていた場合には、GMLC装置１０２は測位結果をGMLC装置１１２に転送する（図９のステップ１４）。GMLC装置１０２からの測位結果を受け取ったGMLC装置１１２は、保持しているclient装置１１１の情報に従って、位置の表現形式の変換等の測位結果の加工を行なった後、client装置１１１に測位結果を送信し（図９のステップ１５）、測位処理を終了する。
【０１２０】
図１７および図９、図２２を併せ参照して、UE装置１０５の過去の測位結果をGMLC装置１０２が保持する場合に、client装置１１１がUE装置１０５の位置を取得するための動作を説明する。client装置１１１は測位要求をGMLC装置１１２に送信する（図９のステップ１）。測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１１２は、必要に応じてclient装置１１１の認証を行ない、認証に失敗した場合にはclient装置１１１にエラーを通知する（図９のステップ２）。client装置１１１からの測位要求の受付が許可された場合には、GMLC装置１１２は測位対象であるUE１０５の情報を管理しているHLR/HSS装置１０６に対して、UE１０５のプライバシ設定情報を保持しているGMLC装置の情報を問い合わせる（図９のステップ３）。HLR/HSS装置１０６はGMLC装置１１２からの要求を受け取ると、UE１０５のプライバシ設定情報を保持しているGMLC装置がGMLC装置１０２であるという情報をGMLC装置１１２へ渡していいかどうかを判断し、渡しても良いと判断した場合にはGMLC装置１０２の情報をGMLC装置１１２へ送信する（図９のステップ４）。図９のステップ４において送信されるGMLC装置１０２の情報とは、GMLC装置１０２のネットワークアドレスであるが、GMLC装置１０２の識別情報、GMLC装置１０２の具備する能力などの付加情報を一緒に送信することも可能である。図９のステップ１によりclient装置１１１からの測位要求を受け取ったGMLC装置１１２が、測位対象であるUE１０５のプライバシ設定情報を保持しているGMLC装置１０２のネットワークアドレス等の情報をすでに知っていた場合には、図９のステップ３および図９のステップ４は省略することも可能である。次にGMLC装置１１２は、client装置１１１からの測位要求をUE装置１０５のプライバシ設定情報を保持しているGMLC装置１０２に対して転送する（図９のステップ５）。GMLC装置１１２はclient装置１１１からの測位要求をGMLC装置１０２に転送する際に、GMLC装置１１２が保持しているclient装置情報の一部を転送する場合もある。転送されるclient装置情報には、位置情報の表記方法等のclient装置１１１がサポートしている機能に関する情報が含まれる。また、転送される測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。転送されてきた測位要求を受け取ったGMLC装置１０２は、GMLC装置１１２からの測位要求を受け付けるかどうかを判断し、受け付けないと判断した場合にはエラーをGMLC装置１１２に送信する。GMLC装置１１２からの測位要求の受付が許可された場合には、GMLC装置１０２は測位対象であるUE装置１０５のプライバシ情報を管理しているPPR装置１０７に測位処理許可要求を送信する（図２２のステップ３）。ここで、GMLC装置１０２がUE装置１０５のプライバシ情報を管理しているPPR装置１０７のネットワークアドレス等の情報を保持していない場合には、図９のステップ８およびステップ９を先に実行し、HLR/HSS装置１０６からPPR装置１０７の情報を取得する。GMLC装置１０２からの測位処理許可要求には、測位対象であるUE１０５の電話番号等の識別情報、client装置１１１の識別情報、要求する位置情報の種別、要求する位置情報の精度情報、要求する位置情報の鮮度情報などの付加情報が含まれている。測位処理許可要求を受け取ったPPR装置１０７は、GMLC装置１０２からの測位処理許可要求を受け付けるかどうかを判断し、受け付けないと判断した場合にはエラーをGMLC装置１０２に送信する。測位処理許可要求を受け付けると判断した場合には、PPR装置１０７は管理している測位対象のUE１０５のプライバシ設定情報を参照しclient装置１０１からの測位要求をUE１０５が受け付けるかどうかを判断する（図２２のステップ４）。ここで行なわれるプライバシチェックでは、client装置１０１が要求する位置精度と、UE装置１０５がclient装置１０１に渡すことを許可している位置精度との整合性のチェックなども行なわれる。また、UE１０５が測位要求を受け付ける条件として通知もしくは確認を必要としているかどうかも確認する。PPR装置１０７は、プライバシチェックの結果、UE装置１０５がclient装置１０１からの測位要求を受け付けないと判断した場合には、測位処理許可要求の応答としてGMLC装置１０２にエラーを通知し、エラー通知を受け取ったGMLC装置１０２はclient装置１０１にエラーを通知する。PPR装置１０７は、プライバシチェックの結果、UE装置１０５がclient装置１０１からの測位要求を測位要求を受け付けると判断した場合には、PPR装置１０７は、プライバシチェックの結果を測位処理許可要求の応答としてGMLC装置１０２に送信する（図２２のステップ５）。測位要求が受け付けられるというプライバシチェック結果を受け取ったGMLC装置１０２は、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、GMLC装置１０２は測位対象のUE装置１０５の過去の測位結果を保持していないかどうかをチェックし、過去の測位結果を保持している場合には過去の測位結果を再利用することができるかどうかを判断する（図２２のステップ６）。過去の測位結果が再利用できるかどうかを判断する要素としては、client装置１０１から要求されている位置情報の鮮度や精度などが考えられる。また、特定の時刻以降の測位結果である場合のみclient���置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図２２のステップ４におけるプライバシ設定の確認の結果、UE装置１０５への通知もしくは確認が不要であると判断された場合には、図２２のステップ７から１１は省略される。図２２のステップ４におけるプライバシ設定の確認の結果、UE装置１０５への通知もしくは確認が必要であると判断されていた場合には、GMLC装置１０２はUE１０５が接続する地域無線網（RAN）を管理するSGSN/MSC装置の情報をHLR/HSS装置１０６に問い合わせる（図９のステップ８）。HLR/HSS装置１０６は、GMLC装置１０２からの問い合わせに対して、UE装置１０５が接続する地域無線網（RAN）１０４を管理するSGSN/MSC装置１０３の情報を返信する（図９のステップ９）。HLR/HSS装置１０６からSGSN/MSC装置１０３の情報を受け取ることができなかった場合には、GMLC装置１０２はGMLC装置１１２にエラーを通知し、エラー通知を受け取ったGMLC装置１１２はclient装置１１１にエラーを通知する。HLR/HSS装置１０６からSGSN/MSC装置１０３の情報を受け取ったGMLC装置１０２は、SGSN/MSC装置１０３に対してプライバシチェック要求メッセージを送信する（図９のステップ１０）。プライバシチェック要求メッセージには、UE１０５に対する通知だけが必要なのか確認（UE１０５からの測位を許可するという応答）も必要なのかの区別と、client装置１１１の情報などUE１０５に通知すべき情報が含まれている。プライバシ要求メッセージとしては、従来例における測位要求メッセージに特定のパラメータを付加して送信することで受信側であるSGSN/MSC装置１０３においてプライバシチェック要求メッセージであると判断することも可能であるし、プライバシチェック要求用に専用のメッセージを追加定義することも可能である。GMLC装置１０２からのプライバシチェック要求メッセージを受信したSGSN/MSC装置１０３は、UE装置１０５に対して通知もしくは確認処理を行なう（図９のステップ１１）。プライバシチェックを行なったSGSN/MSC装置１０３は、プライバシチェック結果をGMLC装置１０２に送信する（図９のステップ１２）。SGSN/MSC装置１０３におけるプライバシチェック結果が位置情報をclient装置１１１に渡してはいけないという結果であった場合には、GMLC装置１０２はGMLC装置１１２にエラーを通知し、エラー通知を受け取ったGMLC装置１１２はclient装置１１１にエラーを通知する。SGSN/MSC装置１０３におけるプライバシチェック結果が位置情報をclient装置１１１に渡してもよいという結果であった場合には、GMLC装置１０２は測位対象であるUE装置１０５のプライバシ情報を管理しているPPR装置１０７に測位処理許可要求を送信する（図２２のステップ１２）。測位処理許可要求を受信したPPR装置１０７は、測位対象のUE装置１０５のプライバシ設定を参照し、位置情報をclient装置１０１に送信してよいかどうかを判断する（図２２のステップ１３）。このプライバシチェックにおいては、UE装置１０５がclient装置１０１に測位結果を渡しても良いと設定している時間帯や場所のチェックを行ない、測位が行なわれた時刻や場所がUE装置１０５が���可している時間帯や場所でない場合には、PPR装置１０７はGMLC装置１０２にエラーを通知し、エラー通知を受け取ったGMLC装置１０２はclient装置１０１にエラーを通知する。図２２のステップ１３におけるプライバシチェックにおいて、測位結果の位置精度がUE装置１０５がclient装置１０１に提供することを許可している位置精度よりも良かった場合には、PPR装置１０７において位置精度を劣化させる位置情報加工処理を行なうことも考えられる。図２２のステップ１３におけるプライバシチェック結果が位置情報をclient装置１０１に渡してもよいという結果であった場合には、PPR装置１０７は測位処理許可要求に対する応答としてプライバシチェック結果をGMLC装置１０２に送信する（図２２のステップ１４）。ここで、ステップ４におけるPrivacyチェックの結果としてステップ１３におけるプライバシチェックが不要と判断されていた場合には、ステップ１２からステップ１４の処理は不要である。図２２のステップ１３におけるプライバシチェック結果が位置情報をclient装置１１１に渡してもよいという結果であった場合もしくは、図２２のステップ４におけるPrivacyチェックの結果としてステップ１３におけるプライバシチェックが不要と判断されていた場合には、GMLC装置１０２は測位結果をGMLC装置１１２に転送する（図９のステップ１４）。GMLC装置１０２からの測位結果を受け取ったGMLC装置１１２は、保持しているclient装置１１１の情報に従って、位置の表現形式の変換等の測位結果の加工を行なった後、client装置１１１に測位結果を送信し（図９のステップ１５）、測位処理を終了する。
【０１２１】
第二の実施の形態のようにプライバシ設定情報をGMLC装置が保持する移動通信ネットワークと、第七の実施の形態のようにプライバシ設定情報をPPR装置が保持する移動通信ネットワークが混在する実施の形態も考えられる。その場合には測位対象のUE装置の情報を保持するHLR/HSS装置が属する移動通信ネットワークがどちらの実施の形態に相当するかによって本発明の動作は異なる。測位対象のUE装置の情報を保持するHLR/HSS装置が属する移動通信ネットワークが第二の実施の形態に相当する場合は、第二の実施の形態における処理が行なわれ、測位対象のUE装置の情報を保持するHLR/HSS装置が属する移動通信ネットワークが第七の実施の形態に相当する場合は、第七の実施の形態における処理が行なわれる。
【０１２２】
【発明の第八の実施の形態】
本発明の第八の実施の形態について図面を参照して詳細に説明する。
【０１２３】
【構成の説明】
図１８を参照すると、本発明の第八の実施の形態は、測位要求を移動通信ネットワークに対して送信するclient装置１０１、１１１、１２１他複数のclient装置と、移動通信ネットワークにおいてclient装置からの測位要求を受け付けるゲートウェイ装置であるGMLC装置１０２、１１２、１２２他複数のGMLC装置と、ひとつもしくは複数の地域無線網を管理するSGSN/MSC装置１０３、１１３、１２３他複数のSGSN/MSC装置と、地域無線網（RAN）１０４、１１４、１２４他複数の地域無線網（RAN）と、測位対象となる移動機であるUE装置１０５、１１５、１２５他複数のUE装置と、各移動機の接続する地域無線網の情報を保持する移動機データベースであるHLR/HSS装置１０６、１１６、１２６他複数のHLR/HSS装置と、UE装置１０５、１１５、１２５他複数のUE装置のプライバシ設定情報を保持するPPR装置１０７、１１７、１２７等複数のPPR装置などの複数のノードから構成される。ここで地域無線網（RAN）１０４、１１４、１２４は基地局や基地局制御装置など複数の装置から構成されるのが通常であるが、地域無線網の内部構成は本実施例に影響しないためここでは地域無線網としてまとめて取り扱うものとする。client装置１０１、GMLC装置１０２、SGSN/MSC装置１０３、RAN１０４、HLR/HSS装置１０６およびPPR装置１０７から構成される移動通信ネットワークは、client装置１１１、GMLC装置１１２、SGSN/MSC装置１１３、RAN１１４、HLR/HSS装置１１６およびPPR装置１１７から構成される移動通信ネットワークを運用する移動通信事業者と同じ移動通信事業者が運営する場合も考えられるし、異なる移動通信事業者が運営する場合も考えられる。client装置１２１、GMLC装置１２２、SGSN/MSC装置１２３、RAN１２４、HLR/HSS装置１２６およびPPR装置１２７から構成される移動通信ネットワークに関しても同様に、他の移動通信ネットワークを運用する移動通信事業者と同じ移動通信事業者が運営する場合も考えられるし、異なる移動通信事業者が運営する場合も考えられる。UE装置１０５、１１５、１２５は地域無線網１０４、１１４、１２４他複数の地域無線網への接続を任意に切り替えられるものとする。本実施例においては、UE装置１０５が接続する地域無線網を管理するSGSN/MSC装置の情報はHLR/HSS装置１０６に保持され、UE装置１１５が接続する地域無線網を管理するSGSN/MSC装置の情報はHLR装置１１６に保持され、UE装置１２５が接続する地域無線網を管理するSGSN/MSC装置の情報はHLR装置１２６に保持されるものとする。また、UE装置１０５のプライバシ保護に関する情報はPPR装置１０７に保持され、UE装置１１５のプライバシ保護に関する情報はPPR装置１１７に保持され、UE装置１２５のプライバシ保護に関する情報はPPR装置１２７に保持されるものとする。HLR/HSS装置１０６はUE装置１０５のプライバシ設定情報を保持するPPR装置１０７がGMLC装置１０２に接続されていることを記憶しており、HLR/HSS装置１１６はUE装置１１５のプライバシ設定情報を保持するPPR装置１１７がGMLC装置１１２に接続されていることを記憶しており、HLR/HSS装置１２６はUE装置１２５のプライバシ設定情報を保持するPPR装置１２７がGMLC装置１２２に接続されていることを記憶している。またHLR/HSS装置１０６はUE装置１０５のプライバシ設定情報を保持するPPR装置１０７のネットワークアドレス等の情��を記憶している場合もあり、HLR/HSS装置１１６はUE装置１１５のプライバシ設定情報を保持するPPR装置１１７のネットワークアドレス等の情報を記憶している場合もあり、HLR/HSS装置１２６はUE装置１２５のプライバシ設定情報を保持するPPR装置１２７のネットワークアドレス等の情報を記憶している場合もある。client装置１０１の情報はGMLC装置１０２に保持され、client装置１１１の情報はGMLC装置１１２に保持され、client装置１２１の情報はGMLC装置１２２に保持される。本実施例においては、UE装置１０５が接続する移動通信ネットワークのGMLC装置の情報がHLR/HSS装置１０６に保持され、UE装置１１５が接続する移動通信ネットワークのGMLC装置の情報がHLR装置１１６に保持され、UE装置１２５が接続する移動通信ネットワークのGMLC装置の情報がHLR装置１２６に保持されるものとする。本実施の形態においては、UE装置１０５はRAN１２４に接続しているものとする。本実施の形態は、第三の実施の形態にPPR装置１０７、１１７、１２７を追加し、第三の実施の形態においてはGMLC装置１０２、１１２、１２２が保持していたUE装置のプライバシ保護のためのプライバシ設定情報を、PPR装置１０７、１１７、１２７で保持するように変更した場合の実施の形態である。
【０１２４】
【動作の説明】
次に、図１８および図１１、図２１、図２２を併せ参照して、本発明の第八の実施の形態における外部起動測位の動作を説明する。
【０１２５】
図１８および図１１、図２１を併せ参照して、UE装置１０５の過去の測位結果をPPR装置１０７が保持する場合に、client装置１１１がUE装置１０５の位置を取得するための動作を説明する。client装置１１１は測位要求をGMLC装置１１２に送信する（図１１のステップ１）。測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１１２は、必要に応じてclient装置１１１の認証を行ない（図１１のステップ２）、認証に失敗した場合にはclient装置１１１にエラーを通知する。client装置１１１からの測位要求の受付が許可された場合には、GMLC装置１１２は測位対象であるUE１０５の情報を管理しているHLR/HSS装置１０６に対して、UE１０５のプライバシ設定情報を保持しているGMLC装置の情報を問い合わせる（図１１のステップ３）。HLR/HSS装置１０６はGMLC装置１１２からの要求を受け取ると、UE１０５のプライバシ設定情報を保持しているGMLC装置がGMLC装置１０２であるという情報をGMLC装置１１２へ渡していいかどうかを判断し、渡しても良いと判断した場合にはGMLC装置１０２の情報をGMLC装置１１２へ送信する（図１１のステップ４）。図１１のステップ４において送信されるGMLC装置１０２の情報とは、GMLC装置１０２のネットワークアドレスであるが、GMLC装置１０２の識別情報、GMLC装置１０２の具備する能力などの付加情報を一緒に送信することも可能である。図１１のステップ１によりclient装置１１１からの測位要求を受け取ったGMLC装置１１２が、測位対象であるUE１０５のプライバシ設定情報を保持しているGMLC装置１０２のネットワークアドレス等の情報をすでに知っていた場合には、図１１のステップ３および図１１のステップ４は省略することも可能である。次にGMLC装置１１２は、client装置１１１からの測位要求をUE装置１０５のプライバシ設定情報を保持しているGMLC装置１０２に対して転送する（図１１のステップ５）。GMLC装置１１２はclient装置１１１からの測位要求をGMLC装置１０２に転送する際に、GMLC装置１１２が保持しているclient装置情報の一部を転送する場合もある。転送されるclient装置情報には、位置情報の表記方法等のclient装置１１１がサポートしている機能に関する情報が含まれる。また、転送される測位要求には、測位対象であるUE１０５の電話番号等の識別情報、client���置１１１の識別情報、要求する位置情報の種別、要求する位置情報の精度情報、要求する位置情報の鮮度情報などの付加情報が含まれている。転送されてきた測位要求を受け取ったGMLC装置１０２は、GMLC装置１１２からの測位要求を受け付けるかどうかを判断し、受け付けないと判断した場合にはエラーをGMLC装置１１２に送信する。測位要求を受け付けると判断した場合には、GMLC装置１０２は測位対象であるUE装置１０５のプライバシ情報を管理しているPPR装置１０７に測位処理許可要求を送信する（図２１のステップ３）。ここで、GMLC装置１０２がUE装置１０５のプライバシ情報を管理しているPPR装置１０７のネットワークアドレス等の情報を保持していない場合には、図１１のステップ８およびステップ９を先に実行し、HLR/HSS装置１０６からPPR装置１０７の情報を取得する。GMLC装置１０２からの測位処理許可要求には、測位対象であるUE１０５の電話番号等の識別情報、client装置１１１の識別情報、要求する位置情報の種別、要求する位置情報の精度情報、要求する位置情報の鮮度情報などの付加情報が含まれている。測位処理許可要求を受け取ったPPR装置１０７は、PPR装置１０７は管理している測位対象のUE１０５のプライバシ設定情報を参照しclient装置１０１からの測位要求をUE１０５が受け付けるかどうかを判断する（図２１のステップ４）。ここで行なわれるプライバシチェックでは、client装置１０１が要求する位置精度と、UE装置１０５がclient装置１０１に渡すことを許可している位置精度との整合性のチェックなども行なわれる。また、UE１０５が測位要求を受け付ける条件として通知もしくは確認を必要としているかどうかも確認する。PPR装置１０７は、プライバシチェックの結果、UE装置１０５がclient装置１０１からの測位要求を受け付けないと判断した場合には、測位処理許可要求の応答としてGMLC装置１０２にエラーを通知し、エラー通知を受け取ったGMLC装置１０２はclient装置１０１にエラーを通知する。PPR装置１０７は、プライバシチェックの結果、UE装置１０５がclient装置１０１からの測位要求を測位要求を受け付けると判断した場合には、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、PPR装置１０７は測位対象のUE装置１０５の過去の測位結果を保持していないかどうかをチェックし、過去の測位結果を保持している場合には過去の測位結果を再利用することができるかどうかを判断する（図２１のステップ５）。過去の測位結果が再利用できるかどうかを判断する要素としては、client装置１０１から要求されている位置情報の鮮度や精度などが考えられる。また、特定の時刻以降の測位結果である場合のみclient装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断された場合には、PPR装置１０７は、プライバシチェックの結果と共に過去の測位結果を測位処理許可要求の応答としてGMLC装置１０２に送信する（図２１のステップ６）。���去の測位結果が要求される精度、要求される鮮度などの条件を満たし再利用が可能であると判断され、図２１のステップ４におけるプライバシ設定の確認の結果、UE装置１０５への通知もしくは確認が不要であると判断された場合には、図１１のステップ８から１４は省略される。図２１のステップ４におけるプライバシ設定の確認の結果、UE装置１０５への通知もしくは確認が必要であると判断されていた場合には、GMLC装置１０２はUE１０５が接続する地域無線網（RAN）を管理するSGSN/MSC装置の情報をHLR/HSS装置１０６に問い合わせる（図１１のステップ８）。HLR/HSS装置１０６は、GMLC装置１０２からの問い合わせに対して、UE装置１０５が接続する地域無線網（RAN）１２４を管理するSGSN/MSC装置１２３の情報を返信する（図１１のステップ９）。ここでHLR/HSS装置１０６は、UE装置１０５が接続する移動通信ネットワークのGMLC装置１２２のネットワークアドレス等の情報を保持していた場合には、前記SGSN/MSC装置１２３の情報と合わせてGMLC装置１０２に返信する。GMLC装置１０２はHLR/HSS装置１０６からSGSN/MSC装置１２３の情報を受け取ることができなかった場合には、GMLC装置１１２にエラーを通知し、エラー通知を受け取ったGMLC装置１１２はclient装置１１１にエラーを通知する。HLR/HSS装置１０６からSGSN/MSC装置１２３の情報と共にGMLC装置１２２の情報を受け取った場合には、GMLC装置１０２はGMLC装置１２２に対してプライバシチェック要求メッセージを送信する（図１１のステップ１０）。HLR/HSS装置１０６からGMLC装置１２２の情報を受け取ることができなかった場合には、GMLC装置１０２は、SGSN/MSC装置１２３に対してプライバシチェック要求メッセージを送信する。GMLC装置１０２からプライバシチェック要求メッセージを受け取ったGMLC装置１２２は、SGSN/MSC装置１２３に対してプライバシチェック要求メッセージを送信する（図１１のステップ１１）。プライバシチェック要求メッセージには、UE１０５に対する通知だけが必要なのか確認（UE１０５からの測位を許可するという応答）も必要なのかの区別と、client装置１１１の情報などUE１０５に通知すべき情報が含まれている。プライバシ要求メッセージとしては、従来例における測位要求メッセージに特定のパラメータを付加して送信することで受信側であるSGSN/MSC装置１２３においてプライバシチェック要求メッセージであると判断することも可能であるし、プライバシチェック要求用に専用のメッセージを追加定義することも可能である。GMLC装置１２２もしくはGMLC装置１０２からのプライバシチェック要求メッセージを受信したSGSN/MSC装置１２３は、UE装置１０５に対して通知もしくは確認処理を行なう（図１１のステップ１２）。プライバシチェックを行なったSGSN/MSC装置１２３は、プライバシチェック結果をGMLC装置１２２に送信する（図１１のステップ１３）。SGSN/MSC装置１２３からのプライバシチェック結果を受信したGMLC装置１２２は、プライバシチェック結果をGMLC装置１０２に送信する（図１１のステップ１４）。図１１のステップ１３において、SGSN/MSC装置１２３がプライバシチェック要求をGMLC装置１０２から受け取っていた場合には、SGSN/MSC装置１２３は、プライバシチェック結果をGMLC装置１０２に送信する。SGSN/MSC装置１２３におけるプライバシチェック結果が位置情報をclient装置１１１に渡してはいけないという結果であった場合には、GMLC装置１０２はGMLC装置１１２にエラーを通知し、エラー通知を受け取ったGMLC装置１１２はclient装置１１１にエラーを通知する。SGSN/MSC装置１２３におけるプライバシチェック結果が位置情報をclient装置１１１に渡してもよいという結果であった場合には、GMLC装置１０２は測位対象であるUE装置１０５のプライバシ情報を管理しているPPR装置１０７に測位処理許可要求を送信する（図２１のステップ１２）。測位処理許可要求を受信したPPR装置１０７は、測位対象のUE装置１０５のプライバシ設定を参照し、位置情報をclient装置１０１に送信してよいかどうかを判断する（図２１のステップ１３）。このプライバシチェックにおいては、UE装置１０５がclient装置１０１に測位結果を渡しても良いと設定している時間帯や場所のチェックを行ない、測位が行なわれた時刻や場所がUE装置１０５が許可している時間帯や場所でない場合には、PPR装置１０７はGMLC装置１０２にエラーを通知し、エラー通知を受け取ったGMLC装置１０２はclient装置１０１にエラーを通知する。図２１のステップ１３におけるプライバシチェックにおいて、測位結果の位置精度がUE装置１０５がclient装置１０１に提供することを許可している位置精度よりも良かった場合には、PPR装置１０７において位置精度を劣化させる位置情報加工処理を行なうことも考えられる。図２１のステップ１３におけるプライバシチェック結果が位置情報をclient装置１０１に渡してもよいという結果であった場合には、PPR装置１０７は測位処理許可要求に対する応答としてプライバシチェック結果をGMLC装置１０２に送信する（図２１のステップ１４）。ここで、ステップ４におけるPrivacyチェックの結果としてステップ１３におけるプライバシチェックが不要と判断されていた場合には、ステップ１２からステップ１４の処理は不要である。図２１のステップ１３におけるプライバシチェック結果が位置情報をclient装置１１１に渡してもよいという結果であった場合もしくは、図２１のステップ４におけるPrivacyチェックの結果としてステップ１３におけるプライバシチェックが不要と判断されていた場合には、GMLC装置１０２は測位結果をGMLC装置１１２に転送する（図１１のステップ１６）。GMLC装置１０２からの測位結果を受け取ったGMLC装置１１２は、保持しているclient装置１１１の情報に従って、必要ならば位置の表現形式の変換等の測位結果の加工を行なった後、client装置１１１に測位結果を送信し（図１１のステップ１７）、測位処理を終了する。
【０１２６】
図１８および図１１、図２２を併せ参照して、UE装置１０５の過去の測位結果をGMLC装置１０２が保持する場合に、client装置１１１がUE装置１０５の位置を取得するための動作を説明する。client装置１１１は測位要求をGMLC装置１１２に送信する（図１１のステップ１）。測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１１２は、必要に応じてclient装置１１１の認証を行ない（図１１のステップ２）、認証に失敗した場合にはclient装置１１１にエラーを通知する。client装置１１１からの測位要求の受付が許可された場合には、GMLC装置１１２は測位対象であるUE１０５の情報を管理しているHLR/HSS装置１０６に対して、UE１０５のプライバシ設定情報を保持しているGMLC装置の情報を問い合わせる（図１１のステップ３）。HLR/HSS装置１０６はGMLC装置１１２からの要求を受け取ると、UE１０５のプライバシ設定情報を保持しているGMLC装置がGMLC装置１０２であるという情報をGMLC装置１１２へ渡していいかどうかを判断し、渡しても良いと判断した場合にはGMLC装置１０２の情報をGMLC装置１１２へ送信する（図１１のステップ４）。図１１のステップ４において送信されるGMLC装置１０２の情報とは、GMLC装置１０２のネットワークアドレスであるが、GMLC装置１０２の識別情報、GMLC装置１０２の具備する能力などの付加情報を一緒に送信することも可能である。図１１のステップ１によりclient装置１１１からの測位要求を受け取ったGMLC装置１１２が、測位対象であるUE１０５のプライバシ設定情報を保持しているGMLC装置１０２のネットワークアドレス等の情報をすでに知っていた場合には、図１１のステップ３および図１１のステップ４は省略することも可能である。次にGMLC装置１１２は、client装置１１１からの測位要求をUE装置１０５のプライバシ設定情報を保持しているGMLC装置１０２に対して転送する（図１１のステップ５）。GMLC装置１１２はclient装置１１１からの測位要求をGMLC装置１０２に転送する際に、GMLC装置１１２が保持しているclient装置情報の一部を転送する場合もある。転送されるclient装置情報には、位置情報の表記方法等のclient装置１１１がサポートしている機能に関する情報が含まれる。また、転送される測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。転送されてきた測位要求を受け取ったGMLC装置１０２は、GMLC装置１１２からの測位要求を受け付けるかどうかを判断し、受け付けないと判断した場合にはエラーをGMLC装置１１２に送信する。測位要求を受け付けると判断した場合には、GMLC装置１０２は測位対象であるUE装置１０５のプライバシ情報を管理しているPPR装置１０７に測位処理許可要求を送信する（図２２のステップ３）。ここで、GMLC装置１０２がUE装置１０５のプライバシ情報を管理しているPPR装置１０７のネットワークアドレス等の情報を保持していない場合には、図１１のステップ８およびステップ９を先に実行し、HLR/HSS装置１０６からPPR装置１０７の情報を取得する。GMLC装置１０２からの測位処理許可要求には、測位対象であるUE１０５の電話番号等の識別情報、client装置１１１の識別情報、要求する位置情報の種別、要求する位置情報の精度情報、要求する位置情報の鮮度情報などの付加情報が含まれている。測位処理許可要求を受け取ったPPR装置１０７は、GMLC装置１０２からの測位処理許可要求を受け付けるかどうかを判断し、受け付けないと判断した場合にはエラーをGMLC装置１０２に送信する。測位処理許可要求を受け付けると判断した場合には、PPR装置１０７は管理している測位対象のUE１０５のプライバシ設定情報を参照しclient装置１０１からの測位要求をUE１０５が受け付けるかどうかを判断する（図２２のステップ４）。ここで行なわれるプライバシチェックでは、client装置１０１が要求する位置精度と、UE装置１０５がclient装置１０１に渡すことを許可している位置精度との整合性のチェックなども行なわれる。また、UE１０５が測位要求を受け付ける条件として通知もしくは確認を必要としているかどうかも確認する。PPR装置１０７は、プライバシチェックの結果、UE装置１０５がclient装置１０１からの測位要求を受け付けないと判断した場合には、測位処理許可要求の応答としてGMLC装置１０２にエラーを通知し、エラー通知を受け取ったGMLC装置１０２はclient装置１０１にエラーを通知する。PPR装置１０７は、プライバシチェックの結果、UE装置１０５がclient装置１０１からの測位要求を測位要求を受け付けると判断した場合には、PPR装置１０７は、プライバシチェックの結果を測位処理許可要求の応答としてGMLC装置１０２に送信する（図２２のステップ５）。測位要求が受け付けられるというプライバシチェック結果を受け取ったGMLC装置１０２は、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、GMLC装置１０２は測位対象のUE装置１０５の過去の測位結果を保持していないかどうかをチェックし、過去の測位結果を保持している場合には過去の測位結果を再利用することができるかどうかを判断する（図２２のステップ６）。過去の測位結果が再利用できるかどうかを判断する要素としては、client装置１０１から要求されている位置情報の鮮度や精度などが考えられる。また、特定の時刻以降の測位結果である場合��みclient装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図２２のステップ４におけるプライバシ設定の確認の結果、UE装置１０５への通知もしくは確認が不要であると判断された場合には、図１１のステップ８から１４は省略される。図２２のステップ４におけるプライバシ設定の確認の結果、UE装置１０５への通知もしくは確認が必要であると判断されていた場合には、GMLC装置１０２はUE１０５が接続する地域無線網（RAN）を管理するSGSN/MSC装置の情報をHLR/HSS装置１０６に問い合わせる（図１１のステップ８）。HLR/HSS装置１０６は、GMLC装置１０２からの問い合わせに対して、UE装置１０５が接続する地域無線網（RAN）１２４を管理するSGSN/MSC装置１２３の情報を返信する（図１１のステップ９）。ここでHLR/HSS装置１０６は、UE装置１０５が接続する移動通信ネットワークのGMLC装置１２２のネットワークアドレス等の情報を保持していた場合には、前記SGSN/MSC装置１２３の情報と合わせてGMLC装置１０２に返信する。GMLC装置１０２はHLR/HSS装置１０６からSGSN/MSC装置１２３の情報を受け取ることができなかった場合には、GMLC装置１１２にエラーを通知し、エラー通知を受け取ったGMLC装置１１２はclient装置１１１にエラーを通知する。HLR/HSS装置１０６からSGSN/MSC装置１２３の情報と共にGMLC装置１２２の情報を受け取った場合には、GMLC装置１０２はGMLC装置１２２に対してプライバシチェック要求メッセージを送信する（図１１のステップ１０）。HLR/HSS装置１０６からGMLC装置１２２の情報を受け取ることができなかった場合には、GMLC装置１０２は、SGSN/MSC装置１２３に対してプライバシチェック要求メッセージを送信する。GMLC装置１０２からプライバシチェック要求メッセージを受け取ったGMLC装置１２２は、SGSN/MSC装置１２３に対してプライバシチェック要求メッセージを送信する（図１１のステップ１１）。プライバシチェック要求メッセージには、UE１０５に対する通知だけが必要なのか確認（UE１０５からの測位を許可するという応答）も必要なのかの区別と、client装置１１１の情報などUE１０５に通知すべき情報が含まれている。プライバシ要求メッセージとしては、従来例における測位要求メッセージに特定のパラメータを付加して送信することで受信側であるSGSN/MSC装置１２３においてプライバシチェック要求メッセージであると判断することも可能であるし、プライバシチェック要求用に専用のメッセージを追加定義することも可能である。GMLC装置１２２もしくはGMLC装置１０２からのプライバシチェック要求メッセージを受信したSGSN/MSC装置１２３は、UE装置１０５に対して通知もしくは確認処理を行なう（図１１のステップ１２）。プライバシチェックを行なったSGSN/MSC装置１２３は、プライバシチェック結果をGMLC装置１２２に送信する（図１１のステップ１３）。SGSN/MSC装置１２３からのプライバシチェック結果を受信したGMLC装置１２２は、プライバシチェック結果をGMLC装置１０２に送信する（図１１のステップ１４）。図１１のステップ１３において、SGSN/MSC装置１２３がプライバシチェック要求をGMLC装置１０２から受け取っていた場合には、SGSN/MSC装置１２３は、プライバシチェック結果をGMLC装置１０２に送信する。SGSN/MSC装置１２３におけるプライバシチェック結果が位置情報をclient装置１１１に渡してはいけないという結果であった場合には、GMLC装置１０２はGMLC装置１１２にエラーを通知し、エラー通知を受け取ったGMLC装置１１２はclient装置１１１にエラーを通知する。SGSN/MSC装置１２３におけるプライバシチェック結果が位置情報をclient装置１１１に渡してもよいという結果であった場合には、GMLC装置１０２は測位対象であるUE装置１０５のプライバシ情報を管理しているPPR装置１０７に測位処理許可要求を送信する（図２２のステップ１２）。測位処理許可要求を受信したPPR装置１０７は、測位対象のUE装置１０５のプライバシ設定を参照し、位置情報をclient装置１０１に送信してよいかどうかを判断する（図２２のステップ１３）。このプライバシチェックにおいては、UE装置１０５がclient装置１０１に測位結果を渡しても良いと設定している時間帯や場所のチェックを行ない、測位が行なわれた時刻や場所がUE装置１０５が許可している時間帯や場所でない場合には、PPR装置１０７はGMLC装置１０２にエラーを通知し、エラー通知を受け取ったGMLC装置１０２はclient装置１０１にエラーを通知する。図２２のステップ１３におけるプライバシチェックにおいて、測位結果の位置精度がUE装置１０５がclient装置１０１に提供することを許可している位置精度よりも良かった場合には、PPR装置１０７において位置精度を劣化させる位置情報加工処理を行なうことも考えられる。図２２のステップ１３におけるプライバシチェック結果が位置情報をclient装置１０１に渡してもよいという結果であった場合には、PPR装置１０７は測位処理許可要求に対する応答としてプライバシチェック結果をGMLC装置１０２に送信する（図２２のステップ１４）。ここで、ステップ４におけるPrivacyチェックの結果としてステップ１３におけるプライバシチェックが不要と判断されていた場合には、ステップ１２からステップ１４の処理は不要である。図２２のステップ１３におけるプライバシチェック結果が位置情報をclient装置１１１に渡してもよいという結果であった場合もしくは、図２２のステップ４におけるPrivacyチェックの結果としてステップ１３におけるプライバシチェックが不要と判断されていた場合には、GMLC装置１０２は測位結果をGMLC装置１１２に転送する（図１１のステップ１６）。GMLC装置１０２からの測位結果を受け取ったGMLC装置１１２は、保持しているclient装置１１１の情報に従って、必要ならば位置の表現形式の変換等の測位結果の加工を行なった後、client装置１１１に測位結果を送信し（図１１のステップ１７）、測位処理を終了する。
【０１２７】
第三の実施の形態のようにプライバシ設定情報をGMLC装置が保持する移動通信ネットワークと、第八の実施の形態のようにプライバシ設定情報をPPR装置が保持する移動通信ネットワークが混在する実施の形態も考えられる。その場合には測位対象のUE装置の情報を保持するHLR/HSS装置が属する移動通信ネットワークがどちらの実施の形態に相当するかによって本発明の動作は異なる。測位対象のUE装置の情報を保持するHLR/HSS装置が属する移動通信ネットワークが第三の実施の形態に相当する場合は、第三の実施の形態における処理が行なわれ、測位対象のUE装置の情報を保持するHLR/HSS装置が属する移動通信ネットワークが第八の実施の形態に相当する場合は、第八の実施の形態における処理が行なわれる。
【０１２８】
【発明の第九の実施の形態】
本発明の第九の実施の形態について図面を参照して詳細に説明する。
【０１２９】
【構成の説明】
図１９を参照すると、本発明の第九の実施の形態は、測位要求を移動通信ネットワークに対して送信するclient装置１０１、１１１他複数のclient装置と、移動通信ネットワークにおいてclient装置からの測位要求を受け付けるゲートウェイ装置であるGMLC装置１０２、１１２他複数のGMLC装置と、ひとつもしくは複数の地域無線網を管理するSGSN/MSC装置１０３、１１３他複数のSGSN/MSC装置と、地域無線網（RAN）１０４、１１４他複数の地域無線網（RAN）と、測位対象となる移動機であるUE装置１０５、１１５他複数のUE装置と、各移動機の接続する地域無線網の情報を保持する移動機データベースであるHLR/HSS装置１０６、１１６他複数のHLR/HSS装置と、UE装置１０５、１１５他複数のUE装置のプライバシ設定情報を保持するPPR装置１０７、１１７等複数のPPR装置などの複数のノードから構成される。ここで地域無線網（RAN）１０４、１１４は基地局や基地局制御装置など複数の装置から構成されるのが通常であるが、地域無線網の内部構成は本実施例に影響しないためここでは地域無線網としてまとめて取り扱うものとする。client装置１０１、GMLC装置１０２、SGSN/MSC装置１０３、RAN１０４、HLR/HSS装置１０６およびPPR装置１０７から構成される移動通信ネットワークは、client装置１１１、GMLC装置１１２、SGSN/MSC装置１１３、RAN１１４、HLR/HSS装置１１６およびPPR装置１１７から構成される移動通信ネットワークを運用する移動通信事業者と同じ移動通信事業者が運営する場合も考えられるし、異なる移動通信事業者が運営する場合も考えられる。UE装置１０５、１１５は地域無線網１０４、１１４他複数の地域無線網への接続を任意に切り替えられるものとする。本実施例においては、UE装置１０５が接続する地域無線網を管理するSGSN/MSC装置の情報はHLR/HSS装置１０６に保持され、UE装置１１５が接続する地域無線網を管理するSGSN/MSC装置の情報はHLR装置１１６に保持されるものとする。また、UE装置１０５のプライバシ保護に関する情報はPPR装置１０７に保持され、UE装置１１５のプライバシ保護に関する情報はPPR装置１１７に保持されるものとする。HLR/HSS装置１０６はUE装置１０５のプライバシ設定情報を保持するPPR装置１０７がGMLC装置１０２に接続されていることを記憶しており、HLR/HSS装置１１６はUE装置１１５のプライバシ設定情報を保持するPPR装置１１７がGMLC装置１１２に接続されていることを記憶している。またHLR/HSS装置１０６はUE装置１０５のプライバシ設定情報を保持するPPR装置１０７のネットワークアドレス等の情報を記憶している場合もあり、HLR/HSS装置１１６はUE装置１１５のプライバシ設定情報を保持するPPR装置１１７のネットワークアドレス等の情報を記憶している場合もある。client装置１０１の情報はGMLC装置１０２に保持され、client装置１１１の情報はGMLC装置１１２に保持される。本実施例においては、UE装置１０５が接続する移動通信ネットワークのGMLC装置の情報がHLR/HSS装置１０６に保持され、UE装置１１５が接続する移動通信ネットワークのGMLC装置の情報がHLR装置１１６に保持されるものとする。本実施の形態においては、UE装置１０５はRAN１１４に接続しているものとする。本実施の形態は、第四の実施の形態にPPR装置１０７、１１７を追加し、第四の実施の形態においてはGMLC装置１０２、１１２が保持していたUE��置のプライバシ保護のためのプライバシ設定情報を、PPR装置１０７、１１７で保持するように変更した場合の実施の形態である。
【０１３０】
【動作の説明】
次に、図１９および図１３，図２１，図２２を併せ参照して、本発明の第九の実施の形態における外部起動測位の動作を説明する。
【０１３１】
図１９および図１３，図２１を併せ参照して、UE装置１０５のプライバシ設定情報および過去の測位結果をPPR装置１０７が保持する場合に、client装置１０１がUE装置１０５の位置を取得するための動作を説明する。client装置１０１は測位要求をGMLC装置１０２に送信する（図１３のステップ１）。測位要求には、測位対象であるUE１０５の電話番号等の識別情報、client装置１０１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１０２は、必要に応じてclient装置１０１の認証を行ない（図１３のステップ２）、認証に失敗した場合にはclient装置１０１にエラーを通知する。client装置１０１からの測位要求の受付が許可された場合には、GMLC装置１０２は測位対象であるUE装置１０５のプライバシ情報を管理しているPPR装置１０７に測位処理許可要求を送信する（図２１のステップ３）。ここで、GMLC装置１０２がUE装置１０５のプライバシ情報を管理しているPPR装置１０７のネットワークアドレス等の情報を保持していない場合には、図１３のステップ５およびステップ６を先に実行し、HLR/HSS装置１０６からPPR装置１０７の情報を取得する。GMLC装置１０２からの測位処理許可要求には、測位対象であるUE１０５の電話番号等の識別情報、client装置１１１の識別情報、要求する位置情報の種別、要求する位置情報の精度情報、要求する位置情報の鮮度情報などの付加情報が含まれている。測位処理許可要求を受け取ったPPR装置１０７は、PPR装置１０７は管理している測位対象のUE１０５のプライバシ設定情報を参照しclient装置１０１からの測位要求をUE１０５が受け付けるかどうかを判断する（図２１のステップ４）。ここで行なわれるプライバシチェックでは、client装置１０１が要求する位置精度と、UE装置１０５がclient装置１０１に渡すことを許可している位置精度との整合性のチェックなども行なわれる。また、UE１０５が測位要求を受け付ける条件として通知もしくは確認を必要としているかどうかも確認する。PPR装置１０７は、プライバシチェックの結果、UE装置１０５がclient装置１０１からの測位要求を受け付けないと判断した場合には、測位処理許可要求の応答としてGMLC装置１０２にエラーを通知し、エラー通知を受け取ったGMLC装置１０２はclient装置１０１にエラーを通知する。PPR装置１０７は、プライバシチェックの結果、UE装置１０５がclient装置１０１からの���位要求を測位要求を受け付けると判断した場合には、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、PPR装置１０７は測位対象のUE装置１０５の過去の測位結果を保持していないかどうかをチェックし、過去の測位結果を保持している場合には過去の測位結果を再利用することができるかどうかを判断する（図２１のステップ５）。過去の測位結果が再利用できるかどうかを判断する要素としては、client装置１０１から要求されている位置情報の鮮度や精度などが考えられる。また、特定の時刻以降の測位結果である場合のみclient装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断された場合には、PPR装置１０７は、プライバシチェックの結果と共に過去の測位結果を測位処理許可要求の応答としてGMLC装置１０２に送信する（図２１のステップ６）。過去の測位結果が要求される精度、要求される鮮度などの条件を満たし再利用が可能であると判断され、図２１のステップ４におけるプライバシ設定の確認の結果、UE装置１０５への通知もしくは確認が不要であると判断された場合には、図１３のステップ５から１１は省略される。図２１のステップ４におけるプライバシ設定の確認の結果、UE装置１０５への通知もしくは確認が必要であると判断されていた場合には、GMLC装置１０２はUE１０５が接続する地域無線網（RAN）を管理するSGSN/MSC装置の情報をHLR/HSS装置１０６に問い合わせる（図１３のステップ５）。HLR/HSS装置１０６は、GMLC装置１０２からの問い合わせに対して、UE装置１０５が接続する地域無線網（RAN）１１４を管理するSGSN/MSC装置１１３の情報を返信する（図１３のステップ６）。ここでHLR/HSS装置１０６は、UE装置１０５が接続する移動通信ネットワークのGMLC装置１１２のネットワークアドレス等の情報を保持していた場合には、前記SGSN/MSC装置１１３の情報と合わせてGMLC装置１０２に返信する。GMLC装置１０２はHLR/HSS装置１０６からSGSN/MSC装置１１３の情報を受け取ることができなかった場合には、client装置１０１にエラーを通知する。HLR/HSS装置１０６からSGSN/MSC装置１１３の情報と共にGMLC装置１１２の情報を受け取った場合には、GMLC装置１０２はGMLC装置１１２に対してプライバシチェック要求メッセージを送信する（図１３のステップ７）。HLR/HSS装置１０６からGMLC装置１１２の情報を受け取ることができなかった場合には、GMLC装置１０２は、SGSN/MSC装置１１３に対してプライバシチェック要求メッセージを送信する。GMLC装置１０２からプライバシチェック要求メッセージを受け取ったGMLC装置１１２は、SGSN/MSC装置１１３に対してプライバシチェック要求メッセージを送信する（図１３のステップ８）。プライバシチェック要求メッセージには、UE１０５に対する通知だけが必要なのか確認（UE１０５からの測位を許可するという応答）も必要なのかの区別と、client装置１０１の情報などUE１０５に通知すべき情報が含まれている。プライバシ要���メッセージとしては、従来例における測位要求メッセージに特定のパラメータを付加して送信することで受信側であるSGSN/MSC装置１１３においてプライバシチェック要求メッセージであると判断することも可能であるし、プライバシチェック要求用に専用のメッセージを追加定義することも可能である。GMLC装置１１２もしくはGMLC装置１０２からのプライバシチェック要求メッセージを受信したSGSN/MSC装置１１３は、UE装置１０５に対して通知もしくは確認処理を行なう（図１３のステップ９）。プライバシチェックを行なったSGSN/MSC装置１１３は、プライバシチェック結果をGMLC装置１１２に送信する（図１３のステップ１０）。SGSN/MSC装置１１３からのプライバシチェック結果を受信したGMLC装置１１２は、プライバシチェック結果をGMLC装置１０２に送信する（図１３のステップ１１）。図１３のステップ１０において、SGSN/MSC装置１１３がプライバシチェック要求をGMLC装置１０２から受け取っていた場合には、SGSN/MSC装置１１３は、プライバシチェック結果をGMLC装置１０２に送信する。SGSN/MSC装置１１３におけるプライバシチェック結果が位置情報をclient装置１０１に渡してはいけないという結果であった場合には、GMLC装置１０２はclient装置１０１にエラーを通知する。SGSN/MSC装置１１３におけるプライバシチェック結果が位置情報をclient装置１０１に渡してもよいという結果であった場合には、GMLC装置１０２は測位対象であるUE装置１０５のプライバシ情報を管理しているPPR装置１０７に測位処理許可要求を送信する（図２１のステップ１２）。測位処理許可要求を受信したPPR装置１０７は、測位対象のUE装置１０５のプライバシ設定を参照し、位置情報をclient装置１０１に送信してよいかどうかを判断する（図２１のステップ１３）。このプライバシチェックにおいては、UE装置１０５がclient装置１０１に測位結果を渡しても良いと設定している時間帯や場所のチェックを行ない、測位が行なわれた時刻や場所がUE装置１０５が許可している時間帯や場所でない場合には、PPR装置１０７はGMLC装置１０２にエラーを通知し、エラー通知を受け取ったGMLC装置１０２はclient装置１０１にエラーを通知する。図２１のステップ１３におけるプライバシチェックにおいて、測位結果の位置精度がUE装置１０５がclient装置１０１に提供することを許可している位置精度よりも良かった場合には、PPR装置１０７において位置精度を劣化させる位置情報加工処理を行なうことも考えられる。図２１のステップ１３におけるプライバシチェック結果が位置情報をclient装置１０１に渡してもよいという結果であった場合には、PPR装置１０７は測位処理許可要求に対する応答としてプライバシチェック結果をGMLC装置１０２に送信する（図２１のステップ１４）。ここで、ステップ４におけるPrivacyチェックの結果としてステップ１３におけるプライバシチェックが不要と判断されていた場合には、ステップ１２からステップ１４の処理は不要である。図２１のステップ１３におけるプライバシチェック結果が位置情報をclient装置１０１に渡してもよいという結果であった場合もしくは、図２１のステップ４におけるPrivacyチェックの結果としてステップ１３におけるプライバシチェックが不要と判断されていた場合には、GMLC装置１０２は、保持しているclient装置１０１の情報に従って、必要ならば位置の表現形式の変換等の測位結果の加工を行なった後、client装置１０１に測位結果を送信し（図１３のステップ１３）、測位処理を終了する。
【０１３２】
図１９および図１３，図２１を併せ参照して、UE装置１０５の過去の測位結果をGMLC装置１０２が保持する場合に、client装置１０１がUE装置１０５の位置を取得するための動作を説明する。client装置１０１は測位要求をGMLC装置１０２に送信する（図１３のステップ１）。測位要求には、測位対象であるUE１０５の電話番号等の識別情報、client装置１０１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１０２は、必要に応じてclient装置１０１の認証を行ない（図１３のステップ２）、認証に失敗した場合にはclient装置１０１にエラーを通知する。client装置１０１からの測位要求の受付が許可された場合には、GMLC装置１０２は測位対象であるUE装置１０５のプライバシ情報を管理しているPPR装置１０７に測位処理許可要求を送信する（図２２のステップ３）。ここで、GMLC装置１０２がUE装置１０５のプライバシ情報を管理しているPPR装置１０７のネットワークアドレス等の情報を保持していない場合には、図１３のステップ５およびステップ６を先に実行し、HLR/HSS装置１０６からPPR装置１０７の情報を取得する。GMLC装置１０２からの測位処理許可要求には、測位対象であるUE１０５の電話番号等の識別情報、client装置１１１の識別情報、要求する位置情報の種別、要求する位置情報の精度情報、要求する位置情報の鮮度情報などの付加情報が含まれている。測位処理許可要求を受け取ったPPR装置１０７は、GMLC装置１０２からの測位処理許可要求を受け付けるかどうかを判断し、受け付けないと判断した場合にはエラーをGMLC装置１０２に送信する。測位処理許可要求を受け付けると判断した場合には、PPR装置１０７は管理している測位対象のUE１０５のプライバシ設定情報を参照しclient装置１０１からの測位要求をUE１０５が受け付けるかどうかを判断する（図２２のステップ４）。ここで行なわれるプライバシチェックでは、client装置１０１が要求する位置精度と、UE装置１０５がclient装置１０１に渡すことを許可している位置精度との整合性のチェックなども行なわれる。また、UE１０５が測位要求を受け付ける条件として通知もしくは確認を必要としているかどうかも確認する。PPR装置１０７は、プライバシチェックの結果、UE装置１０５がclient装置１０１からの測位要求を受け付けないと判断した場合には、測位処理許可要求の応答としてGMLC装置１０２にエラーを通���し、エラー通知を受け取ったGMLC装置１０２はclient装置１０１にエラーを通知する。PPR装置１０７は、プライバシチェックの結果、UE装置１０５がclient装置１０１からの測位要求を測位要求を受け付けると判断した場合には、PPR装置１０７は、プライバシチェックの結果を測位処理許可要求の応答としてGMLC装置１０２に送信する（図２２のステップ５）。測位要求が受け付けられるというプライバシチェック結果を受け取ったGMLC装置１０２は、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、GMLC装置１０２は測位対象のUE装置１０５の過去の測位結果を保持していないかどうかをチェックし、過去の測位結果を保持している場合には過去の測位結果を再利用することができるかどうかを判断する（図２２のステップ６）。過去の測位結果が再利用できるかどうかを判断する要素としては、client装置１０１から要求されている位置情報の鮮度や精度などが考えられる。また、特定の時刻以降の測位結果である場合のみclient装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図２２のステップ４におけるプライバシ設定の確認の結果、UE装置１０５への通知もしくは確認が不要であると判断された場合には、図１３のステップ５から１１は省略される。図２２のステップ４におけるプライバシ設定の確認の結果、UE装置１０５への通知もしくは確認が必要であると判断されていた場合には、GMLC装置１０２はUE１０５が接続する地域無線網（RAN）を管理するSGSN/MSC装置の情報をHLR/HSS装置１０６に問い合わせる（図１３のステップ５）。HLR/HSS装置１０６は、GMLC装置１０２からの問い合わせに対して、UE装置１０５が接続する地域無線網（RAN）１１４を管理するSGSN/MSC装置１１３の情報を返信する（図１３のステップ６）。ここでHLR/HSS装置１０６は、UE装置１０５が接続する移動通信ネットワークのGMLC装置１１２のネットワークアドレス等の情報を保持していた場合には、前記SGSN/MSC装置１１３の情報と合わせてGMLC装置１０２に返信する。GMLC装置１０２はHLR/HSS装置１０６からSGSN/MSC装置１１３の情報を受け取ることができなかった場合には、client装置１０１にエラーを通知する。HLR/HSS装置１０６からSGSN/MSC装置１１３の情報と共にGMLC装置１１２の情報を受け取った場合には、GMLC装置１０２はGMLC装置１１２に対してプライバシチェック要求メッセージを送信する（図１３のステップ７）。HLR/HSS装置１０６からGMLC装置１１２の情報を受け取ることができなかった場合には、GMLC装置１０２は、SGSN/MSC装置１１３に対してプライバシチェック要求メッセージを送信する。GMLC装置１０２からプライバシチェック要求メッセージを受け取ったGMLC装置１１２は、SGSN/MSC装置１１３に対してプライバシチェック要求メッセージを送信する（図１３のステップ８）。プライバシチェック要求メッセージには、UE１０５に対する通知だけが必要なのか確認（UE１０５からの測位を許可する���いう応答）も必要なのかの区別と、client装置１０１の情報などUE１０５に通知すべき情報が含まれている。プライバシ要求メッセージとしては、従来例における測位要求メッセージに特定のパラメータを付加して送信することで受信側であるSGSN/MSC装置１１３においてプライバシチェック要求メッセージであると判断することも可能であるし、プライバシチェック要求用に専用のメッセージを追加定義することも可能である。GMLC装置１１２もしくはGMLC装置１０２からのプライバシチェック要求メッセージを受信したSGSN/MSC装置１１３は、UE装置１０５に対して通知もしくは確認処理を行なう（図１３のステップ９）。プライバシチェックを行なったSGSN/MSC装置１１３は、プライバシチェック結果をGMLC装置１１２に送信する（図１３のステップ１０）。SGSN/MSC装置１１３からのプライバシチェック結果を受信したGMLC装置１１２は、プライバシチェック結果をGMLC装置１０２に送信する（図１３のステップ１１）。図１３のステップ１０において、SGSN/MSC装置１１３がプライバシチェック要求をGMLC装置１０２から受け取っていた場合には、SGSN/MSC装置１１３は、プライバシチェック結果をGMLC装置１０２に送信する。SGSN/MSC装置１１３におけるプライバシチェック結果が位置情報をclient装置１０１に渡してはいけないという結果であった場合には、GMLC装置１０２はclient装置１０１にエラーを通知する。SGSN/MSC装置１１３におけるプライバシチェック結果が位置情報をclient装置１０１に渡してもよいという結果であった場合には、GMLC装置１０２は測位対象であるUE装置１０５のプライバシ情報を管理しているPPR装置１０７に測位処理許可要求を送信する（図２２のステップ１２）。測位処理許可要求を受信したPPR装置１０７は、測位対象のUE装置１０５のプライバシ設定を参照し、位置情報をclient装置１０１に送信してよいかどうかを判断する（図２２のステップ１３）。このプライバシチェックにおいては、UE装置１０５がclient装置１０１に測位結果を渡しても良いと設定している時間帯や場所のチェックを行ない、測位が行なわれた時刻や場所がUE装置１０５が許可している時間帯や場所でない場合には、PPR装置１０７はGMLC装置１０２にエラーを通知し、エラー通知を受け取ったGMLC装置１０２はclient装置１０１にエラーを通知する。図２２のステップ１３におけるプライバシチェックにおいて、測位結果の位置精度がUE装置１０５がclient装置１０１に提供することを許可している位置精度よりも良かった場合には、PPR装置１０７において位置精度を劣化させる位置情報加工処理を行なうことも考えられる。図２２のステップ１３におけるプライバシチェック結果が位置情報をclient装置１０１に渡してもよいという結果であった場合には、PPR装置１０７は測位処理許可要求に対する応答としてプライバシチェック結果をGMLC装置１０２に送信する（図２２のステップ１４）。ここで、ステップ４におけるPrivacyチェックの結果としてステップ１３におけるプライバシチェックが不要と判断されていた場合には、ステップ１２からステップ１４の処理は不要である。図２２のステップ１３におけるプライバシチェック結果が位置情報をclient装置１０１に渡してもよいという結果であった場合もしくは、図２２のステップ４におけるPrivacyチェックの結��としてステップ１３におけるプライバシチェックが不要と判断されていた場合には、GMLC装置１０２は、保持しているclient装置１０１の情報に従って、必要ならば位置の表現形式の変換等の測位結果の加工を行なった後、client装置１０１に測位結果を送信し（図１３のステップ１３）、測位処理を終了する。
【０１３３】
第四の実施の形態のようにプライバシ設定情報をGMLC装置が保持する移動通信ネットワークと、第九の実施の形態のようにプライバシ設定情報をPPR装置が保持する移動通信ネットワークが混在する実施の形態も考えられる。その場合には測位対象のUE装置の情報を保持するHLR/HSS装置が属する移動通信ネットワークがどちらの実施の形態に相当するかによって本発明の動作は異なる。測位対象のUE装置の情報を保持するHLR/HSS装置が属する移動通信ネットワークが第四の実施の形態に相当する場合は、第四の実施の形態における処理が行なわれ、測位対象のUE装置の情報を保持するHLR/HSS装置が属する移動通信ネットワークが第九の実施の形態に相当する場合は、第九の実施の形態における処理が行なわれる。
【０１３４】
【発明の第十の実施の形態】
本発明の第十の実施の形態について図面を参照して詳細に説明する。
【０１３５】
【構成の説明】
図２０を参照すると、本発明の第十の実施の形態は、測位要求を移動通信ネットワークに対して送信するclient装置１０１、１１１他複数のclient装置と、移動通信ネットワークにおいてclient装置からの測位要求を受け付けるゲートウェイ装置であるGMLC装置１０２、１１２他複数のGMLC装置と、ひとつもしくは複数の地域無線網を管理するSGSN/MSC装置１０３、１１３他複数のSGSN/MSC装置と、地域無線網（RAN）１０４、１１４他複数の地域無線網（RAN）と、測位対象となる移動機であるUE装置１０５、１１５他複数のUE装置と、各移動機の接続する地域無線網の情報を保持する移動機データベースであるHLR/HSS装置１０６、１１６他複数のHLR/HSS装置と、UE装置１０５、１１５他複数のUE装置のプライバシ設定情報を保持するPPR装置１０７、１１７等複数のPPR装置などの複数のノードから構成される。ここで地域無線網（RAN）１０４、１１４は基地局や基地局制御装置など複数の装置から構成されるのが通常であるが、地域無線網の内部構成は本実施例に影響しないためここでは地域無線網としてまとめて取り扱うものとする。client装置１０１、GMLC装置１０２、SGSN/MSC装置１０３、RAN１０４、HLR/HSS装置１０６およびPPR装置１０７から構成される移動通信ネットワークは、client装置１１１、GMLC装置１１２、SGSN/MSC装置１１３、RAN１１４、HLR/HSS装置１１６およびPPR装置１１７から構成される移動通信ネットワークを運用する移動通信事業者と同じ移動通信事業者が運営する場合も考えられるし、異なる移動通信事業者が運営する場合も考えられる。UE装置１０５、１１５は地域無線網１０４、１１４他複数の地域無線網への接続を任意に切り替えられるものとする。本実施例においては、UE装置１０５が接続する地域無線網を管理するSGSN/MSC装置の情報はHLR/HSS装置１０６に保持され、UE装置１１５が接続する地域無線網を管理するSGSN/MSC装置の情報はHLR装置１１６に保持されるものとする。また、UE装置１０５のプライバシ保護に関する情報はPPR装置１０７に保持され、UE装置１１５のプライバシ保護に関する情報はPPR装置１１７に保持されるものとする。HLR/HSS装置１０６はUE装置１０５のプライバシ設定情報を保持するPPR装置１０７がGMLC装置１０２に接続されていることを記憶しており、HLR/HSS装置１１６はUE装置１１５のプライバシ設定情報を保持するPPR装置１１７がGMLC装置１１２に接続されていることを記憶している。またHLR/HSS装置１０６はUE装置１０５のプライバシ設定情報を保持するPPR装置１０７のネットワークアドレス等の情報を記憶している場合もあり、HLR/HSS装置１１６はUE装置１１５のプライバシ設定情報を保持するPPR装置１１７のネットワークアドレス等の情報を記憶している場合もある。client装置１０１の情報はGMLC装置１０２に保持され、client装置１１１の情報はGMLC装置１１２に保持される。本実施例においては、UE装置１０５が接続する移動通信ネットワークのGMLC装置の情報がHLR/HSS装置１０６に保持され、UE装置１１５が接続する移動通信ネットワークのGMLC装置の情報がHLR装置１１６に保持されるものとする。本実施の形態においては、UE装置１０５はRAN１１４に接続しているものとする。本実施の形態は、第五の実施の形態にPPR装置１０７、１１７を追加し、第五の実施の形態においてはGMLC装置１０２、１１２が保持していたUE��置のプライバシ保護のためのプライバシ設定情報を、PPR装置１０７、１１７で保持するように変更した場合の実施の形態である。
【０１３６】
【動作の説明】
次に、図２０および図１５，図２１，図２２を併せ参照して、本発明の第十の実施の形態における外部起動測位の動作を説明する。
【０１３７】
図２０および図１５，図２１を併せ参照して、UE装置１０５のプライバシ設定情報および過去の測位結果をPPR装置１０７が保持する場合に、client装置１１１がUE装置１０５の位置を取得するための動作を説明する。client装置１１１は測位要求をGMLC装置１１２に送信する（図１５のステップ１）。測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１１２は、必要に応じてclient装置１１１の認証を行ない（図１５のステップ２）、認証に失敗した場合にはclient装置１１１にエラーを通知する。client装置１１１からの測位要求の受付が許可された場合には、GMLC装置１１２は測位対象であるUE１０５の情報を管理しているHLR/HSS装置１０６に対して、UE１０５のプライバシ設定情報を保持しているGMLC装置の情報を問い合わせる（図１５のステップ３）。HLR/HSS装置１０６はGMLC装置１１２からの要求を受け取ると、UE１０５のプライバシ設定情報を保持しているGMLC装置がGMLC装置１０２であるという情報をGMLC装置１１２へ渡していいかどうかを判断し、渡しても良いと判断した場合にはGMLC装置１０２の情報をGMLC装置１１２へ送信する（図１５のステップ４）。図１１のステップ４において送信されるGMLC装置１０２の情報とは、GMLC装置１０２のネットワークアドレスであるが、GMLC装置１０２の識別情報、GMLC装置１０２の具備する能力などの付加情報を一緒に送信することも可能である。図１５のステップ１によりclient装置１１１からの測位要求を受け取ったGMLC装置１１２が、測位対象であるUE１０５のプライバシ設定情報を保持しているGMLC装置１０２のネットワークアドレス等の情報をすでに知っていた場合には、図１５のステップ３および図１５のステップ４は省略することも可能である。次にGMLC装置１１２は、client装置１１１からの測位要求をUE装置１０５のプライバシ設定情報を保持しているGMLC装置１０２に対して転送する（図１５のステップ５）。GMLC装置１１２はclient装置１１１からの測位要求をGMLC装置１０２に転送する際に、GMLC装置１１２が保持しているclient装置情報の一部を転送する場合もある。転送されるclient装置情報には、位置情報の表記方法等のclient装置１１１がサポートしている機能に関する情報が含まれる。また、転送される測位要求には、測位対象であるUE１０５の電���番号等の識別情報、client装置１１１の識別情報、要求する位置情報の種別、要求する位置情報の精度情報、要求する位置情報の鮮度情報などの付加情報が含まれている。転送されてきた測位要求を受け取ったGMLC装置１０２は、GMLC装置１１２からの測位要求を受け付けるかどうかを判断し、受け付けないと判断した場合にはエラーをGMLC装置１１２に送信する。測位要求を受け付けると判断した場合には、GMLC装置１０２は測位対象であるUE装置１０５のプライバシ情報を管理しているPPR装置１０７に測位処理許可要求を送信する（図２１のステップ３）。ここで、GMLC装置１０２がUE装置１０５のプライバシ情報を管理しているPPR装置１０７のネットワークアドレス等の情報を保持していない場合には、図１５のステップ８およびステップ９を先に実行し、HLR/HSS装置１０６からPPR装置１０７の情報を取得する。GMLC装置１０２からの測位処理許可要求には、測位対象であるUE１０５の電話番号等の識別情報、client装置１１１の識別情報、要求する位置情報の種別、要求する位置情報の精度情報、要求する位置情報の鮮度情報などの付加情報が含まれている。測位処理許可要求を受け取ったPPR装置１０７は、GMLC装置１０２からの測位処理許可要求を受け付けるかどうかを判断し、受け付けないと判断した場合にはエラーをGMLC装置１０２に送信する。測位処理許可要求を受け付けると判断した場合には、PPR装置１０７は管理している測位対象のUE１０５のプライバシ設定情報を参照しclient装置１０１からの測位要求をUE１０５が受け付けるかどうかを判断する（図２１のステップ４）。ここで行なわれるプライバシチェックでは、client装置１０１が要求する位置精度と、UE装置１０５がclient装置１０１に渡すことを許可している位置精度との整合性のチェックなども行なわれる。また、UE１０５が測位要求を受け付ける条件として通知もしくは確認を必要としているかどうかも確認する。PPR装置１０７は、プライバシチェックの結果、UE装置１０５がclient装置１０１からの測位要求を受け付けないと判断した場合には、測位処理許可要求の応答としてGMLC装置１０２にエラーを通知し、エラー通知を受け取ったGMLC装置１０２はclient装置１０１にエラーを通知する。PPR装置１０７は、プライバシチェックの結果、UE装置１０５がclient装置１０１からの測位要求を測位要求を受け付けると判断した場合には、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、PPR装置１０７は測位対象のUE装置１０５の過去の測位結果を保持していないかどうかをチェックし、過去の測位結果を保持している場合には過去の測位結果を再利用することができるかどうかを判断する（図２１のステップ５）。過去の測位結果が再利用できるかどうかを判断する要素としては、client装置１０１から要求されている位置情報の鮮度や精度などが考えられる。また、特定の時刻以降の測位結果である場合のみclient装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断された場合には、PPR装置１０７は、プライバシチェックの結果と共に過去の測位結果を測位処理許可要求の応答としてGMLC装置１０２に送信する（図２１のステップ６）。図２１のステップ４におけるプライバシ設定の確認の結果、UE装置１０５への通知もしくは確認が不要であると判断された場合には、図１５のステップ８から１４は省略される。図２１のステップ４におけるプライバシ設定の確認の結果、UE装置１０５への通知もしくは確認が必要であると判断されていた場合には、GMLC装置１０２はUE１０５が接続する地域無線網（RAN）を管理するSGSN/MSC装置の情報をHLR/HSS装置１０６に問い合わせる（図１５のステップ８）。HLR/HSS装置１０６は、GMLC装置１０２からの問い合わせに対して、UE装置１０５が接続する地域無線網（RAN）１１４を管理するSGSN/MSC装置１１３の情報を返信する（図１５のステップ９）。ここでHLR/HSS装置１０６は、UE装置１０５が接続する移動通信ネットワークのGMLC装置１１２のネットワークアドレス等の情報を保持していた場合には、前記SGSN/MSC装置１１３の情報と合わせてGMLC装置１０２に返信する。GMLC装置１０２はHLR/HSS装置１０６からSGSN/MSC装置１１３の情報を受け取ることができなかった場合には、GMLC装置１１２にエラーを通知し、エラー通知を受け取ったGMLC装置１１２はclient装置１１１にエラーを通知する。HLR/HSS装置１０６からSGSN/MSC装置１１３の情報と共にGMLC装置１１２の情報を受け取った場合には、GMLC装置１０２はGMLC装置１１２に対してプライバシチェック要求メッセージを送信する（図１５のステップ１０）。HLR/HSS装置１０６からGMLC装置１１２の情報を受け取ることができなかった場合には、GMLC装置１０２は、SGSN/MSC装置１１３に対してプライバシチェック要求メッセージを送信する。GMLC装置１０２からプライバシチェック要求メッセージを受け取ったGMLC装置１１２は、SGSN/MSC装置１１３に対してプライバシチェック要求メッセージを送信する（図１５のステップ１１）。プライバシチェック要求メッセージには、UE１０５に対する通知だけが必要なのか確認（UE１０５からの測位を許可するという応答）も必要なのかの区別と、client装置１１１の情報などUE１０５に通知すべき情報が含まれている。プライバシ要求メッセージとしては、従来例における測位要求メッセージに特定のパラメータを付加して送信することで受信側であるSGSN/MSC装置１１３においてプライバシチェック要求メッセージであると判断することも可能であるし、プライバシチェック要求用に専用のメッセージを追加定義することも可能である。GMLC装置１１２もしくはGMLC装置１０２からのプライバシチェック要求メッセージを受信したSGSN/MSC装置１１３は、UE装置１０５に対して通知もしくは確認処理を行なう（図１５のステップ１２）。プライバシチェックを行なったSGSN/MSC装置１１３は、プライバシチェック結果をGMLC装置１１２に送信する（図１５のステップ１３）。SGSN/MSC装置１１３からのプライバシチェック結果を受信したGMLC装置１１２は、プライバシチェック結果をGMLC装置１０２に送信する（図１５のステップ１４）。図１５のステップ１３において、SGSN/MSC装置１１３がプライバシチェック要求をGMLC装置１０２から受け取っていた場合には、SGSN/MSC装置���１３は、プライバシチェック結果をGMLC装置１０２に送信する。SGSN/MSC装置１１３におけるプライバシチェック結果が位置情報をclient装置１１１に渡してはいけないという結果であった場合には、GMLC装置１０２はGMLC装置１１２にエラーを通知し、エラー通知を受け取ったGMLC装置１１２はclient装置１１１にエラーを通知する。SGSN/MSC装置１１３におけるプライバシチェック結果が位置情報をclient装置１１１に渡してもよいという結果であった場合には、GMLC装置１０２は測位対象であるUE装置１０５のプライバシ情報を管理しているPPR装置１０７に測位処理許可要求を送信する（図２１のステップ１２）。測位処理許可要求を受信したPPR装置１０７は、測位対象のUE装置１０５のプライバシ設定を参照し、位置情報をclient装置１０１に送信してよいかどうかを判断する（図２１のステップ１３）。このプライバシチェックにおいては、UE装置１０５がclient装置１０１に測位結果を渡しても良いと設定している時間帯や場所のチェックを行ない、測位が行なわれた時刻や場所がUE装置１０５が許可している時間帯や場所でない場合には、PPR装置１０７はGMLC装置１０２にエラーを通知し、エラー通知を受け取ったGMLC装置１０２はclient装置１０１にエラーを通知する。図２１のステップ１３におけるプライバシチェックにおいて、測位結果の位置精度がUE装置１０５がclient装置１０１に提供することを許可している位置精度よりも良かった場合には、PPR装置１０７において位置精度を劣化させる位置情報加工処理を行なうことも考えられる。図２１のステップ１３におけるプライバシチェック結果が位置情報をclient装置１０１に渡してもよいという結果であった場合には、PPR装置１０７は測位処理許可要求に対する応答としてプライバシチェック結果をGMLC装置１０２に送信する（図２１のステップ１４）。ここで、ステップ４におけるPrivacyチェックの結果としてステップ１３におけるプライバシチェックが不要と判断されていた場合には、ステップ１２からステップ１４の処理は不要である。図２１のステップ１３におけるプライバシチェック結果が位置情報をclient装置１１１に渡してもよいという結果であった場合もしくは、図２１のステップ４におけるPrivacyチェックの結果としてステップ１３におけるプライバシチェックが不要と判断されていた場合には、GMLC装置１０２は測位結果をGMLC装置１１２に転送する（図１５のステップ１６）。GMLC装置１０２からの測位結果を受け取ったGMLC装置１１２は、保持しているclient装置１１１の情報に従って、必要ならば位置の表現形式の変換等の測位結果の加工を行なった後、client装置１１１に測位結果を送信し（図１５のステップ１７）、測位処理を終了する。
【０１３８】
図２０および図１５，図２２を併せ参照して、UE装置１０５の過去の測位結果をGMLC装置１０２が保持する場合に、client装置１１１がUE装置１０５の位置を取得するための動作を説明する。client装置１１１は測位要求をGMLC装置１１２に送信する（図１５のステップ１）。測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。要求位置情報の種別には、測位対象のUE装置１０５の現在位置を要求する場合（Current）、過去の位置を要求する場合（Last known）、現在位置が取得できない場合には過去の位置を要求する場合（Current or Last known）、過去の位置が取得できない場合には現在位置を要求する場合（Last known or Current）などの種別が考えられる。位置情報種別として過去の位置を要求する場合（Last known, Current or Last known, Last known or Currentのいずれかの場合）には、過去の位置情報に対する要求鮮度情報を伴う場合が考えられ、要求鮮度情報は何月何日何時何分何秒というような絶対時刻表記でその絶対時刻以降の位置情報が欲しいと指定する場合と、何分何秒前というように測位要求を送信した時刻に対する相対時間でその相対時間以内の位置情報が欲しいと指定する場合などの指定方法が考えられる。GMLC装置１１２は、必要に応じてclient装置１１１の認証を行ない（図１５のステップ２）、認証に失敗した場合にはclient装置１１１にエラーを通知する。client装置１１１からの測位要求の受付が許可された場合には、GMLC装置１１２は測位対象であるUE１０５の情報を管理しているHLR/HSS装置１０６に対して、UE１０５のプライバシ設定情報を保持しているGMLC装置の情報を問い合わせる（図１５のステップ３）。HLR/HSS装置１０６はGMLC装置１１２からの要求を受け取ると、UE１０５のプライバシ設定情報を保持しているGMLC装置がGMLC装置１０２であるという情報をGMLC装置１１２へ渡していいかどうかを判断し、渡しても良いと判断した場合にはGMLC装置１０２の情報をGMLC装置１１２へ送信する（図１５のステップ４）。図１１のステップ４において送信されるGMLC装置１０２の情報とは、GMLC装置１０２のネットワークアドレスであるが、GMLC装置１０２の識別情報、GMLC装置１０２の具備する能力などの付加情報を一緒に送信することも可能である。図１５のステップ１によりclient装置１１１からの測位要求を受け取ったGMLC装置１１２が、測位対象であるUE１０５のプライバシ設定情報を保持しているGMLC装置１０２のネットワークアドレス等の情報をすでに知っていた場合には、図１５のステップ３および図１５のステップ４は省略することも可能である。次にGMLC装置１１２は、client装置１１１からの測位要求をUE装置１０５のプライバシ設定情報を保持しているGMLC装置１０２に対して転送する（図１５のステップ５）。GMLC装置１１２はclient装置１１１からの測位要求をGMLC装置１０２に転送する際に、GMLC装置１１２が保持しているclient装置情報の一部を転送する場合もある。転送されるclient装置情報には、位置情報の表記方法等のclient装置１１１がサポートしている機能に関する情報が含まれる。また、転送される測位要求には、測位対象であるUE１０５の電話番号等の識別情報、client装置１１１の識別情報、要求する位置情報の種別、要求する位置情報の精度情報、要求する位置情報の鮮度情報などの付加情報が含まれている。転送されてきた測位要求を受け取ったGMLC装置１０２は、GMLC装置１１２からの測位要求を受け付けるかどうかを判断し、受け付けないと判断した場合にはエラーをGMLC装置１１２に送信する。測位要求を受け付けると判断した場合には、GMLC装置１０２は測位対象であるUE装置１０５のプライバシ情報を管理しているPPR装置１０７に測位処理許可要求を送信する（図２２のステップ３）。ここで、GMLC装置１０２がUE装置１０５のプライバシ情報を管理しているPPR装置１０７のネットワークアドレス等の情報を保持していない場合には、図１５のステップ８およびステップ９を先に実行し、HLR/HSS装置１０６からPPR装置１０７の情報を取得する。GMLC装置１０２からの測位処理許可要求には、測位対象であるUE１０５の電話番号等の識別情報、client装置１１１の識別情報、要求する位置情報の種別、要求する位置情報の精度情報、要求する位置情報の鮮度情報などの付加情報が含まれている。測位処理許可要求を受け取ったPPR装置１０７は、GMLC装置１０２からの測位処理許可要求を受け付けるかどうかを判断し、受け付けないと判断した場合にはエラーをGMLC装置１０２に送信する。測位処理許可要求を受け付けると判断した場合には、PPR装置１０７は管理している測位対象のUE１０５のプライバシ設定情報を参照しclient装置１０１からの測位要求をUE１０５が受け付けるかどうかを判断する（図２２のステップ４）。ここで行なわれるプライバシチェックでは、client装置１０１が要求する位置精度と、UE装置１０５がclient装置１０１に渡すことを許可している位置精度との整合性のチェックなども行なわれる。また、UE１０５が測位要求を受け付ける条件として通知もしくは確認を必要としているかどうかも確認する。PPR装置１０７は、プライバシチェックの結果、UE装置１０５がclient装置１０１からの測位要求を受け付けないと判断した場合には、測位処理許可要求の応答としてGMLC装置１０２にエラーを通知し、エラー通知を受け取ったGMLC装置１０２はclient装置１０１にエラーを通知する。PPR装置１０７は、プライバシチェックの結果、UE装置１０５がclient装置１０１からの測位要求を測位要求を受け付けると判断した場合には、PPR装置１０７は、プライバシチェックの結果を測位処理許可要求の応答としてGMLC装置１０２に送信する（図２２のステップ５）。測位要求が受け付けられるというプライバシチェック結果を受け取ったGMLC装置１０２は、測位対象のUE１０５の現在位置（Current）が位置情報種別として要求されているかどうかを判断する。要求されている位置情報種別が、現在位置でなく過去の位置でも構わない場合（Last known, Last known or Currentのどちらかの場合）には、GMLC装置１０２は測位対象のUE装置１０５の過去の測位結果を保持していないかどうかをチェックし、過去の測位結果を保持している場合には過去の測位結果を再利用することができるかどうかを判断する（図２２のステップ６）。過去の測位結果が再利用できるかどうかを判断する要素としては、client装置１０１から要求されている位置情報の鮮度や精度などが考えられる。また、特定の時刻以降の測位結果である場合��みclient装置１０１に渡してもよいというようなプライバシ設定等がある場合には、その条件を過去の測位結果が満たしているかどうかも確認する。過去の測位結果が要求される精度、要求される鮮度などの条件を満たし再利用が可能であると判断され、図２２のステップ４におけるプライバシ設定の確認の結果、UE装置１０５への通知もしくは確認が不要であると判断された場合には、図１５のステップ８から１３は省略される。図２２のステップ４におけるプライバシ設定の確認の結果、UE装置１０５への通知もしくは確認が不要であると判断された場合には、図１５のステップ８から１４は省略される。図２２のステップ４におけるプライバシ設定の確認の結果、UE装置１０５への通知もしくは確認が必要であると判断されていた場合には、GMLC装置１０２はUE１０５が接続する地域無線網（RAN）を管理するSGSN/MSC装置の情報をHLR/HSS装置１０６に問い合わせる（図１５のステップ８）。HLR/HSS装置１０６は、GMLC装置１０２からの問い合わせに対して、UE装置１０５が接続する地域無線網（RAN）１１４を管理するSGSN/MSC装置１１３の情報を返信する（図１５のステップ９）。ここでHLR/HSS装置１０６は、UE装置１０５が接続する移動通信ネットワークのGMLC装置１１２のネットワークアドレス等の情報を保持していた場合には、前記SGSN/MSC装置１１３の情報と合わせてGMLC装置１０２に返信する。GMLC装置１０２はHLR/HSS装置１０６からSGSN/MSC装置１１３の情報を受け取ることができなかった場合には、GMLC装置１１２にエラーを通知し、エラー通知を受け取ったGMLC装置１１２はclient装置１１１にエラーを通知する。HLR/HSS装置１０６からSGSN/MSC装置１１３の情報と共にGMLC装置１１２の情報を受け取った場合には、GMLC装置１０２はGMLC装置１１２に対してプライバシチェック要求メッセージを送信する（図１５のステップ１０）。HLR/HSS装置１０６からGMLC装置１１２の情報を受け取ることができなかった場合には、GMLC装置１０２は、SGSN/MSC装置１１３に対してプライバシチェック要求メッセージを送信する。GMLC装置１０２からプライバシチェック要求メッセージを受け取ったGMLC装置１１２は、SGSN/MSC装置１１３に対してプライバシチェック要求メッセージを送信する（図１５のステップ１１）。プライバシチェック要求メッセージには、UE１０５に対する通知だけが必要なのか確認（UE１０５からの測位を許可するという応答）も必要なのかの区別と、client装置１１１の情報などUE１０５に通知すべき情報が含まれている。プライバシ要求メッセージとしては、従来例における測位要求メッセージに特定のパラメータを付加して送信することで受信側であるSGSN/MSC装置１１３においてプライバシチェック要求メッセージであると判断することも可能であるし、プライバシチェック要求用に専用のメッセージを追加定義することも可能である。GMLC装置１１２もしくはGMLC装置１０２からのプライバシチェック要求メッセージを受信したSGSN/MSC装置１１３は、UE装置１０５に対して通知もしくは確認処理を行なう（図１５のステップ１２）。プライバシチェックを行なったSGSN/MSC装置１１３は、プライバシチェック結果をGMLC装置１１２に送信する（図１５のステップ１３）。SGSN/MSC装置１１３からのプライバシチェック結果を受信したGMLC装置１１２は、プライ��シチェック結果をGMLC装置１０２に送信する（図１５のステップ１４）。図１５のステップ１３において、SGSN/MSC装置１１３がプライバシチェック要求をGMLC装置１０２から受け取っていた場合には、SGSN/MSC装置１１３は、プライバシチェック結果をGMLC装置１０２に送信する。SGSN/MSC装置１１３におけるプライバシチェック結果が位置情報をclient装置１１１に渡してはいけないという結果であった場合には、GMLC装置１０２はGMLC装置１１２にエラーを通知し、エラー通知を受け取ったGMLC装置１１２はclient装置１１１にエラーを通知する。SGSN/MSC装置１１３におけるプライバシチェック結果が位置情報をclient装置１１１に渡してもよいという結果であった場合には、GMLC装置１０２は測位対象であるUE装置１０５のプライバシ情報を管理しているPPR装置１０７に測位処理許可要求を送信する（図２２のステップ１２）。測位処理許可要求を受信したPPR装置１０７は、測位対象のUE装置１０５のプライバシ設定を参照し、位置情報をclient装置１０１に送信してよいかどうかを判断する（図２２のステップ１３）。このプライバシチェックにおいては、UE装置１０５がclient装置１０１に測位結果を渡しても良いと設定している時間帯や場所のチェックを行ない、測位が行なわれた時刻や場所がUE装置１０５が許可している時間帯や場所でない場合には、PPR装置１０７はGMLC装置１０２にエラーを通知し、エラー通知を受け取ったGMLC装置１０２はclient装置１０１にエラーを通知する。図２２のステップ１３におけるプライバシチェックにおいて、測位結果の位置精度がUE装置１０５がclient装置１０１に提供することを許可している位置精度よりも良かった場合には、PPR装置１０７において位置精度を劣化させる位置情報加工処理を行なうことも考えられる。図２２のステップ１３におけるプライバシチェック結果が位置情報をclient装置１０１に渡してもよいという結果であった場合には、PPR装置１０７は測位処理許可要求に対する応答としてプライバシチェック結果をGMLC装置１０２に送信する（図２２のステップ１４）。ここで、ステップ４におけるPrivacyチェックの結果としてステップ１３におけるプライバシチェックが不要と判断されていた場合には、ステップ１２からステップ１４の処理は不要である。図２２のステップ１３におけるプライバシチェック結果が位置情報をclient装置１１１に渡してもよいという結果であった場合もしくは、図２２のステップ４におけるPrivacyチェックの結果としてステップ１３におけるプライバシチェックが不要と判断されていた場合には、GMLC装置１０２は測位結果をGMLC装置１１２に転送する（図１５のステップ１６）。GMLC装置１０２からの測位結果を受け取ったGMLC装置１１２は、保持しているclient装置１１１の情報に従って、必要ならば位置の表現形式の変換等の測位結果の加工を行なった後、client装置１１１に測位結果を送信し（図１５のステップ１７）、測位処理を終了する。
【０１３９】
第五の実施の形態のようにプライバシ設定情報をGMLC装置が保持する移動通信ネットワークと、第十の実施の形態のようにプライバシ設定情報をPPR装置が保持する移動通信ネットワークが混在する実施の形態も考えられる。その場合には測位対象のUE装置の情報を保持するHLR/HSS装置が属する移動通信ネットワークがどちらの実施の形態に相当するかによって本発明の動作は異なる。測位対象のUE装置の情報を保持するHLR/HSS装置が属する移動通信ネットワークが第五の実施の形態に相当する場合は、第五の実施の形態における処理が行なわれ、測位対象のUE装置の情報を保持するHLR/HSS装置が属する移動通信ネットワークが第十の実施の形態に相当する場合は、第十の実施の形態における処理が行なわれる。
【０１４０】
以上本発明の実施の形態について説明したが、本発明は以上の実施の形態にのみ限定されず、その他各種の付加変更が可能である。また、client装置、GMLC装置、SGSN/MSC装置、地域無線網(RAN)、移動機(UE装置)、HLR/HSS装置は、その有する機能をハードウェア的に実現することは勿論、コンピュータとプログラムとで実現することができる。プログラムは、磁気ディスクや半導体メモリ等のコンピュータ可読記録媒体に記録されて提供され、コンピュータの立ち上げ時などにコンピュータに読み取られ、そのコンピュータの動作を制御することにより、そのコンピュータを前述した各実施の形態におけるclient装置、GMLC装置、SGSN/MSC装置、地域無線網(RAN)、移動機(UE装置)、HLR/HSS装置として機能させる。
【０１４１】
【発明の効果】
第１の効果は、外部起動測位（MT-LR）において測位処理に失敗した場合以外にも過去の測位結果の再利用が可能になったことである。
【０１４２】
第２の効果は、端末起動測位（MO-LR）において過去の測位結果の再利用が可能になったことである。
【０１４３】
第３の効果は、外部起動測位（MT-LR）における測位結果の再利用時のプライバシ保護が実現されたことである。
【０１４４】
第４の効果は、過去の測位結果再利用時に、どれぐらい過去に測定された位置ならば受け入れることができるかを示す鮮度情報を、client装置やUE装置が指定できるようになり、その鮮度情報に基づいて過去の測位結果の再利用が可能となったことである。
【図面の簡単な説明】
【図１】従来および本発明の第一の実施の形態における移動通信システムの構成図である。
【図２】本発明の第一の実施の形態における外部起動測位（MT-LR）における従来の測位処理手順を示す信号フロー図である。
【図３】本発明の第一の実施の形態における端末起動測位（MO-LR）における従来の測位処理手順を示す信号フロー図である。
【図４】本発明の第一の実施の形態においてGMLC装置が過去の測位結果を保持する場合の外部起動測位（MT-LR）の測位処理手順を示す信号フロー図である。
【図５】本発明の第一の実施の形態においてGMLC装置が過去の測位結果を保持する場合の外部起動測位（MT-LR）の測位処理手順におけるGMLC装置の測位処理動作を示す流れ図である。
【図６】本発明の第一の実施の形態においてSGSN/MSC装置が過去の測位結果を保持する場合の外部起動測位（MT-LR）の測位処理手順を示す信号フロー図である。
【図７】本発明の第一の実施の形態においてSGSN/MSC装置が過去の測位結果を保持する場合の端末起動測位（MO-LR）の測位処理手順を示す信号フロー図である。
【図８】本発明の第二の実施の形態の移動通信システムの構成図である。
【図９】本発明の第二の実施の形態における測位処理手順を示す信号フロー図である。
【図１０】本発明の第三の実施の形態の移動通信システムの構成図である。
【図１１】本発明の第三の実施の形態における測位処理手順を示す信号フロー図である。
【図１２】本発明の第四の実施の形態の移動通信システムの構成図である。
【図１３】本発明の第四の実施の形態における測位処理手順を示す信号フロー図である。
【図１４】本発明の第五の実施の形態の移動通信システムの構成図である。
【図１５】本発明の第五の実施の形態における測位処理手順を示す信号フロー図である。
【図１６】本発明の第六の実施の形態の移動通信システムの構成図である。
【図１７】本発明の第七の実施の形態の移動通信システムの構成図である。
【図１８】本発明の第八の実施の形態の移動通信システムの構成図である。
【図１９】本発明の第九の実施の形態の移動通信システムの構成図である。
【図２０】本発明の第十の実施の形態の移動通信システムの構成図である。
【図２１】本発明の実施の形態における測位処理手順を示す信号フロー図である。
【図２２】本発明の実施の形態における測位処理手順を示す信号フロー図である。
【図２３】本発明の第一の実施の形態の概略を説明するためのブロック図である。
【図２４】本発明の第二の実施の形態の概略を説明するためのブロック図である。
【図２５】本発明の第三の実施の形態の概略を説明するためのブロック図である。
【図２６】本発明の第四の実施の形態の概略を説明するためのブロック図である。
【図２７】本発明の第五の実施の形態の概略を説明するためのブロック図である。
【図２８】本発明の第六の実施の形態の概略を説明するためのブロック図である。
【図２９】本発明の第六の実施の形態の概略を説明するためのブロック図である。
【図３０】本発明の第七の実施の形態の概略を説明するためのブロック図である。
【図３１】本発明の第七の実施の形態の概略を説明するためのブロック図である。
【図３２】本発明の第八の実施の形態の概略を説明するためのブロック図である。
【図３３】本発明の第八の実施の形態の概略を説明するためのブロック図である。
【図３４】本発明の第九の実施の形態の概略を説明するためのブロック図である。
【図３５】本発明の第九の実施の形態の概略を説明するためのブロック図である。
【図３６】本発明の第十の実施の形態の概略を説明するためのブロック図である。
【図３７】本発明の第十の実施の形態の概略を説明するためのブロック図である。
【符号の説明】
１０１、１１１、１２１  端末の測位結果を必要とするclient装置
１０２、１１２、１２２  測位処理を制御するGMLC装置
１０３、１１３、１２３  端末が接続する地域無線網（RAN）を制御するSGSN/MSC装置
１０４、１１４、１２４  端末が接続する地域無線網（RAN）
１０５、１１５、１２５  測位対象となる移動機（UE装置）
１０６、１１６、１２６  移動機が接続している地域無線網を制御するSGSN/MSCの情報を保持するHLR/HSS装置
１０７、１１７、１２７  移動機のプライバシ情報を保持するPPR装置
１０１１、１１１１  送信手段
１０１２、１１１２  受信手段
１０２１  記憶手段
１０２２  測位要求確認手段
１０２３  再利用性確認手段
１０２４  通知／確認手段
１０２５  追加チェック手段
１０２６  応答送出手段
１０２７  測位処理許可要求送出手段
１０２８  追加チェック要求手段
１１２１  要求転送手段
１１２２  応答転送手段
１１２３、１２２１  メッセージ転送手段
１１２４、１２２２  結果転送手段
１１２５  転送手段
【図１】
0004016787.tif 000002
【図２】
0004016787.tif 000003
【図３】
0004016787.tif 000004
【図４】
0004016787.tif 000005
【図５】
0004016787.tif 000006
【図６】
0004016787.tif 000007
【図７】
0004016787.tif 000008
【図８】
0004016787.tif 000009
【図９】
0004016787.tif 000010
【図１０】
0004016787.tif 000011
【図１１】
0004016787.tif 000012
【図１２】
0004016787.tif 000013
【図１３】
0004016787.tif 000014
【図１４】
0004016787.tif 000015
【図１５】
0004016787.tif 000016
【図１６】
0004016787.tif 000017
【図１７】
0004016787.tif 000018
【図１８】
0004016787.tif 000019
【図１９】
0004016787.tif 000020
【図２０】
0004016787.tif 000021
【図２１】
0004016787.tif 000022
【図２２】
0004016787.tif 000023
【図２３】
0004016787.tif 000024
【図２４】
0004016787.tif 000025
【図２５】
0004016787.tif 000026
【図２６】
0004016787.tif 000027
【図２７】
0004016787.tif 000028
【図２８】
0004016787.tif 000029
【図２９】
0004016787.tif 000030
【図３０】
0004016787.tif 000031
【図３１】
0004016787.tif 000032
【図３２】
0004016787.tif 000033
【図３３】
0004016787.tif 000034
【図３４】
0004016787.tif 000035
【図３５】
0004016787.tif 000036
【図３６】
0004016787.tif 000037
【図３７】
0004016787.tif 000038